(57)【要約】制御送信およびデータ送信に対する優先順位を定義するルールのセットに少なくとも部分的に基づいた、ダウンリンク送信ビームのためのビームフォーミングパラメータの識別を提供する、ワイヤレス通信のための方法、システム、およびデバイスが説明される。ダウンリンクリソースは、ダウンリンクビームフォーミングパラメータの第１のセットを介してダウンリンク送信のためにユーザ機器（ＵＥ）に割り振られ得、ＵＥはまた、ダウンリンク送信と同じ送信時間インターバル（ＴＴＩ）内のダウンリンクビームフォーミングパラメータの異なるセットを使用して制御リソースセットをモニタするように構成され得る。ＵＥおよび基地局は、優先順位に基づいて、どのビームフォーミングパラメータをダウンリンク送信に使用すべきかを識別し得る。ルールのセットは、ダウンリンクビームフォーミングパラメータのどのセットが使用されるべきか、ダウンリンク送信が制御リソースセットの周りでレートマッチングされるかどうか、またはそれらの組合せを定義し得る。【選択図】図３
2021514146.tif 000002
【特許請求の範囲】
【請求項１】
ワイヤレス通信のための方法であって、
ユーザ機器（ＵＥ）において、基地局からダウンリンク許可を受信することと、ここで、前記ダウンリンク許可は、第１の送信時間インターバル（ＴＴＩ）中に前記基地局からダウンリンク送信ビームを介してダウンリンク送信を受信するために前記ＵＥによって使用されるべきビームフォーミングパラメータの第１のセットを示す、
ビームフォーミングパラメータの前記第１のセットおよびビームフォーミングパラメータの第２のセットに少なくとも部分的に基づいて、前記第１のＴＴＩの制御リソースセットおよび前記ダウンリンク送信に関連する優先順位を決定することと、
前記優先順位に少なくとも部分的に基づいて、ビームフォーミングパラメータの前記第１のセットを使用する前記ダウンリンク送信またはビームフォーミングパラメータの前記第２のセットを使用する前記制御リソースセットのうちの少なくとも１つを受信することと、
を備える方法。
【請求項２】
ビームフォーミングパラメータの前記第２のセットを使用して前記第１のＴＴＩの少なくとも一部分中、前記制御リソースセットがモニタされるべきであると決定すること、
をさらに備える、請求項１に記載の方法。
【請求項３】
前記ダウンリンク送信または前記制御リソースセットのうちの少なくとも１つを受信することは、前記優先順位に少なくとも部分的に基づいて、前記ダウンリンク許可を無視することと、前記制御リソースセットを受信することとを備える、請求項１に記載の方法。
【請求項４】
前記優先順位は、前記ＵＥによってモニタされる無線ネットワーク一時識別子（ＲＮＴＩ）に少なくとも部分的に基づいて決定される、請求項１に記載の方法。
【請求項５】
前記優先順位は、前記ダウンリンク送信のための１つまたは複数のダウンリンクリソースのうちの少なくとも１つと、同じ直交周波数分割多重（ＯＦＤＭ）シンボル内に存在する前記制御リソースセットの１つまたは複数のダウンリンクリソースのうちの少なくとも１つと、に少なくとも部分的に基づいて決定される、請求項１に記載の方法。
【請求項６】
前記優先順位は、前記制御リソースセットが前記ダウンリンク送信より高い優先度を有することを示す、請求項１に記載の方法。
【請求項７】
前記優先順位は、前記制御リソースセットに関連するサービス品質（ＱｏＳ）が前記ダウンリンク送信より高い優先度を有することに少なくとも部分的に基づいて、前記制御リソースセットが前記より高い優先度を有することを示し、
前記制御リソースセットに関連する前記ＱｏＳは、超高信頼低レイテンシ通信（ＵＲＬＬＣ）ＱｏＳであり、前記ダウンリンク送信に関連するＱｏＳは、前記ＵＲＬＬＣ ＱｏＳより低い優先度を有する、請求項６に記載の方法。
【請求項８】
ビームフォーミングパラメータの前記第１のセットまたはビームフォーミングパラメータの前記第２のセットが、空間受信ビームフィルタリングに使用されるべきであると決定すること、
をさらに備える、請求項１に記載の方法。
【請求項９】
前記ダウンリンク送信が前記制御リソースセットの周りでレートマッチングされるかどうかを決定すること、
をさらに備える、請求項１に記載の方法。
【請求項１０】
前記ダウンリンク送信が前記制御リソースセットの周りでレートマッチングされると決定されるとき、前記ダウンリンク送信または前記制御リソースセットのうちの少なくとも１つを受信することは、
ビームフォーミングパラメータの前記第１のセットを使用して、前記制御リソースセットをモニタすることと、
ビームフォーミングパラメータの前記第１のセットを使用して、前記ダウンリンク送信を受信することと、
を備える、請求項９に記載の方法。
【請求項１１】
前記ダウンリンク送信または前記制御リソースセットのうちの少なくとも１つを受信することは、
前記制御リソースセットを送信するために構成された前記第１のＴＴＩ内のリソースのサブセットを識別することと、
前記制御リソースセットを送信するために構成されたリソースの前記サブセットを使用して、前記第１のＴＴＩ中に前記ダウンリンク送信を受信することと、
を備える、請求項１に記載の方法。
【請求項１２】
前記優先順位は、前記制御リソースセットに関連する送信のタイプ、前記ダウンリンク送信のためのダウンリンクリソースと前記制御リソースセットのダウンリンクリソースとの間の周波数分割多重化、複数の送信ビームを同時に受信する前記ＵＥの能力、またはそれらの任意の組合せのうちの１つまたは複数に少なくとも部分的に基づいて決定される、請求項１に記載の方法。
【請求項１３】
前記基地局によって構成された２つ以上の異なる制御リソースセットを識別することをさらに備え、前記２つ以上の異なる制御リソースセットの各々は、前記優先順位において異なる優先度を有する、
請求項１に記載の方法。
【請求項１４】
前記２つ以上の異なる制御リソースセットのうちの第１の制御リソースセットは、超高信頼低レイテンシ通信（ＵＲＬＬＣ）サービスの送信に対応し、前記ダウンリンク送信より高い優先度を有し、
前記２つ以上の異なる制御リソースセットのうちの第２の制御リソースセットは、拡張モバイルブロードバンド（ｅＭＢＢ）サービスの送信に対応し、前記ダウンリンク送信より低い優先度を有する、請求項１３に記載の方法。
【請求項１５】
ビームフォーミングパラメータの第３のセットを用いて、前記第１のＴＴＩ内の非周期的チャネル状態情報基準信号（ＣＳＩ−ＲＳ）構成を識別することと、
前記非周期的ＣＳＩ−ＲＳ構成を無視することと、
前記第１のＴＴＩ中にビームフォーミングパラメータの前記第１のセットを使用して前記ダウンリンク送信を受信することと、
をさらに備える、請求項１に記載の方法。
【請求項１６】
残存システム情報（ＲＭＳＩ）制御リソースセットを含む送信ビームをモニタするためのビームフォーミングパラメータの第３のセットを識別することと、
前記ＲＭＳＩ制御リソースセットのための探索空間が前記第１のＴＴＩと重複するとき、ビームフォーミングパラメータの前記第３のセットを使用して前記ダウンリンク送信をモニタすることと、
をさらに備える、請求項１に記載の方法。
【請求項１７】
前記優先順位を定義するルールのセットは、前記ＵＥにおいて静的に定義される、請求項１に記載の方法。
【請求項１８】
前記優先順位を定義するルールのセットは、無線リソース制御シグナリングを介して半静的に受信される、請求項１に記載の方法。
【請求項１９】
ワイヤレス通信のための方法であって、
ユーザ機器（ＵＥ）にダウンリンク許可を送信することと、ここで、前記ダウンリンク許可は、第１の送信時間インターバル（ＴＴＩ）中にダウンリンク送信ビームを介してダウンリンク送信を受信するために前記ＵＥによって使用されるべきビームフォーミングパラメータの第１のセットを示す、
ビームフォーミングパラメータの前記第１のセットおよびビームフォーミングパラメータの第２のセットに少なくとも部分的に基づいて、前記第１のＴＴＩの制御リソースセットおよび前記ダウンリンク送信に関連する優先順位を決定することと、
前記優先順位に少なくとも部分的に基づいて、ビームフォーミングパラメータの前記第１のセットを使用する前記ダウンリンク送信またはビームフォーミングパラメータの前記第２のセットを使用する前記制御リソースセットのうちの少なくとも１つを送信することと、
を備える方法。
【請求項２０】
ビームフォーミングパラメータの前記第２のセットを使用して、前記第１のＴＴＩの少なくとも一部分中に前記制御リソースセットが送信されるべきであると決定すること、
をさらに備える、請求項１９に記載の方法。
【請求項２１】
前記ダウンリンク送信または前記制御リソースセットのうちの少なくとも１つを送信することは、前記優先順位に少なくとも部分的に基づいて、前記ダウンリンク許可の送信をスキップすることと、前記制御リソースセットを送信することとを備える、請求項１９に記載の方法。
【請求項２２】
前記優先順位は、前記ＵＥによってモニタされるべき無線ネットワーク一時識別子（ＲＮＴＩ）に少なくとも部分的に基づいて決定される、請求項１９に記載の方法。
【請求項２３】
前記優先順位は、前記ダウンリンク送信のための１つまたは複数のダウンリンクリソースのうちの少なくとも１つと、同じ直交周波数分割多重（ＯＦＤＭ）シンボル内に存在する前記制御リソースセットの１つまたは複数のダウンリンクリソースのうちの少なくとも１つとに少なくとも部分的に基づいて決定される、請求項１９に記載の方法。
【請求項２４】
前記優先順位は、前記制御リソースセットが前記ダウンリンク送信より高い優先度を有することを示す、請求項１９に記載の方法。
【請求項２５】
前記優先順位は、前記制御リソースセットに関連するサービス品質（ＱｏＳ）が前記ダウンリンク送信より高い優先度を有することに少なくとも部分的に基づいて、前記制御リソースセットが前記より高い優先度を有することを示し、
前記制御リソースセットに関連する前記ＱｏＳは、超高信頼低レイテンシ通信（ＵＲＬＬＣ）ＱｏＳであり、前記ダウンリンク送信に関連するＱｏＳは、前記ＵＲＬＬＣ ＱｏＳより低い優先度を有する、請求項２４に記載の方法。
【請求項２６】
前記優先順位は、ビームフォーミングパラメータの前記第１のセットまたはビームフォーミングパラメータの前記第２のセットのうちのどちらが空間受信ビームフィルタリングに使用されるべきかを示す、請求項１９に記載の方法。
【請求項２７】
前記優先順位は、前記ダウンリンク送信が前記制御リソースセットの周りでレートマッチングされるべきかどうかを示す、請求項１９に記載の方法。
【請求項２８】
前記ダウンリンク送信が前記制御リソースセットの周りでレートマッチングされるとき、前記方法は、
ビームフォーミングパラメータの前記第１のセットを使用して前記制御リソースセットを送信すること、
をさらに備える、請求項２７に記載の方法。
【請求項２９】
前記ダウンリンク送信または前記制御リソースセットのうちの少なくとも１つを前記送信することは、
前記制御リソースセットの送信をスキップすることと、
前記制御リソースセットを送信するために構成された前記第１のＴＴＩ内のリソースを使用して前記ダウンリンク送信を送信することと、
を備える、請求項１９に記載の方法。
【請求項３０】
前記優先順位は、前記制御リソースセットに関連する送信のタイプ、前記ダウンリンク送信のためのダウンリンクリソースと前記制御リソースセットのリソースとの間の周波数分割多重化、複数の送信ビームを同時に受信する前記ＵＥの能力、またはそれらの任意の組合せのうちの１つまたは複数に少なくとも部分的に基づいて決定される、請求項１９に記載の方法。
【請求項３１】
前記優先順位において異なる優先度を有する２つ以上の異なる制御リソースセットを識別すること、
をさらに備える、請求項１９に記載の方法。
【請求項３２】
前記２つ以上の異なる制御リソースセットのうちの第１の制御リソースセットは、超高信頼低レイテンシ通信（ＵＲＬＬＣ）サービスの送信に対応し、前記ダウンリンク送信より高い優先度を有し、
前記２つ以上の異なる制御リソースセットのうちの第２の制御リソースセットは、拡張モバイルブロードバンド（ｅＭＢＢ）サービスの送信に対応し、前記ダウンリンク送信より低い優先度を有する、請求項３１に記載の方法。
【請求項３３】
ビームフォーミングパラメータの第３のセットを用いて、前記第１のＴＴＩ内の非周期的チャネル状態情報基準信号（ＣＳＩ−ＲＳ）構成を識別することと、
前記非周期的ＣＳＩ−ＲＳ構成を無視することと、
前記第１のＴＴＩ中にビームフォーミングパラメータの前記第１のセットを使用して前記ダウンリンク送信を送信することと、
をさらに備える、請求項１９に記載の方法。
【請求項３４】
残存システム情報（ＲＭＳＩ）制御リソースセットを含む送信ビームのためにビームフォーミングパラメータの第３のセットを識別することと、
前記ＲＭＳＩ制御リソースセットのための探索空間が前記第１のＴＴＩと重複するとき、ビームフォーミングパラメータの前記第３のセットを使用して前記ダウンリンク送信を送信することと、
をさらに備える、請求項１９に記載の方法。
【請求項３５】
前記優先順位を定義するルールのセットは、静的に定義されるか、または無線リソース制御シグナリングを介して半静的に送信される、請求項１９に記載の方法。
【請求項３６】
ワイヤレス通信のための装置であって、
ユーザ機器（ＵＥ）において、基地局からダウンリンク許可を受信するための手段と、ここで、前記ダウンリンク許可は、第１の送信時間インターバル（ＴＴＩ）中に前記基地局からダウンリンク送信ビームを介してダウンリンク送信を受信するために前記ＵＥによって使用されるべきビームフォーミングパラメータの第１のセットを示す、
ビームフォーミングパラメータの前記第１のセットおよびビームフォーミングパラメータの第２のセットに少なくとも部分的に基づいて、前記第１のＴＴＩの制御リソースセットおよび前記ダウンリンク送信に関連する優先順位を決定するための手段と、
前記優先順位に少なくとも部分的に基づいて、ビームフォーミングパラメータの前記第１のセットを使用する前記ダウンリンク送信またはビームフォーミングパラメータの前記第２のセットを使用する前記制御リソースセットのうちの少なくとも１つを受信するための手段と、
を備える装置。
【請求項３７】
ビームフォーミングパラメータの前記第２のセットを使用して前記第１のＴＴＩの少なくとも一部分中、前記制御リソースセットがモニタされるべきであると決定するための手段、
をさらに備える、請求項３６に記載の装置。
【請求項３８】
前記ダウンリンク送信または前記制御リソースセットのうちの少なくとも１つを受信するための前記手段は、
前記優先順位に少なくとも部分的に基づいて、前記ダウンリンク許可を無視し、前記制御リソースセットを受信するための手段
をさらに備える、請求項３６に記載の装置。
【請求項３９】
前記ＵＥによってモニタされる無線ネットワーク一時識別子（ＲＮＴＩ）に少なくとも部分的に基づいて前記優先順位を決定するための手段、
をさらに備える、請求項３６に記載の装置。
【請求項４０】
前記ダウンリンク送信のための１つまたは複数のダウンリンクリソースのうちの少なくとも１つと、同じ直交周波数分割多重（ＯＦＤＭ）シンボル内に存在する前記制御リソースセットの１つまたは複数のダウンリンクリソースのうちの少なくとも１つと、に少なくとも部分的に基づいて、前記優先順位を決定するための手段、
をさらに備える、請求項３６に記載の装置。
【請求項４１】
前記優先順位は、前記制御リソースセットが前記ダウンリンク送信より高い優先度を有することを示す、請求項３６に記載の装置。
【請求項４２】
前記優先順位は、前記制御リソースセットに関連するサービス品質（ＱｏＳ）が前記ダウンリンク送信より高い優先度を有することに少なくとも部分的に基づいて、前記制御リソースセットが前記より高い優先度を有することを示し、
前記制御リソースセットに関連する前記ＱｏＳは、超高信頼低レイテンシ通信（ＵＲＬＬＣ）ＱｏＳであり、前記ダウンリンク送信に関連するＱｏＳは、前記ＵＲＬＬＣ ＱｏＳより低い優先度を有する、請求項４１に記載の装置。
【請求項４３】
ビームフォーミングパラメータの前記第１のセットまたはビームフォーミングパラメータの前記第２のセットが、空間受信ビームフィルタリングに使用されるべきであると決定するための手段、
をさらに備える、請求項３６に記載の装置。
【請求項４４】
前記ダウンリンク送信が前記制御リソースセットの周りでレートマッチングされるかどうかを決定するための手段、
をさらに備える、請求項３６に記載の装置。
【請求項４５】
前記ダウンリンク送信が前記制御リソースセットの周りでレートマッチングされると決定されるとき、ビームフォーミングパラメータの前記第１のセットを使用して、前記制御リソースセットをモニタするための手段と、
ビームフォーミングパラメータの前記第１のセットを使用して前記ダウンリンク送信を受信するための手段と、
をさらに備える、請求項４４に記載の装置。
【請求項４６】
前記ダウンリンク送信または前記制御リソースセットのうちの少なくとも１つを受信するための前記手段は、
前記制御リソースセットを送信するために構成された前記第１のＴＴＩ内のリソースのサブセットを識別するための手段と、
前記制御リソースセットを送信するために構成された前記リソースのサブセットを使用して、前記第１のＴＴＩ中に前記ダウンリンク送信を受信するための手段と、
をさらに備える、請求項３６に記載の装置。
【請求項４７】
前記基地局によって構成された２つ以上の異なる制御リソースセットを識別するための手段をさらに備え、前記２つ以上の異なる制御リソースセットの各々は、前記優先順位において異なる優先度を有する、
請求項３６に記載の装置。
【請求項４８】
前記２つ以上の異なる制御リソースセットのうちの第１の制御リソースセットは、超高信頼低レイテンシ通信（ＵＲＬＬＣ）サービスの送信に対応し、前記ダウンリンク送信より高い優先度を有し、
前記２つ以上の異なる制御リソースセットのうちの第２の制御リソースセットは、拡張モバイルブロードバンド（ｅＭＢＢ）サービスの送信に対応し、前記ダウンリンク送信より低い優先度を有する、請求項４７に記載の装置。
【請求項４９】
ビームフォーミングパラメータの第３のセットを用いて、前記第１のＴＴＩ内の非周期的チャネル状態情報基準信号（ＣＳＩ−ＲＳ）構成を識別するための手段と、
前記非周期的ＣＳＩ−ＲＳ構成を無視するための手段と、
前記第１のＴＴＩ中にビームフォーミングパラメータの前記第１のセットを使用して前記ダウンリンク送信を受信するための手段と、
をさらに備える、請求項３６に記載の装置。
【請求項５０】
残存システム情報（ＲＭＳＩ）制御リソースセットを含む送信ビームをモニタするためのビームフォーミングパラメータの第３のセットを識別するための手段と、
前記ＲＭＳＩ制御リソースセットのための探索空間が前記第１のＴＴＩと重複するとき、ビームフォーミングパラメータの前記第３のセットを使用して前記ダウンリンク送信をモニタするための手段と、
をさらに備える、請求項３６に記載の装置。
【請求項５１】
ワイヤレス通信のための装置であって、
ユーザ機器（ＵＥ）にダウンリンク許可を送信するための手段と、ここで、前記ダウンリンク許可は、第１の送信時間インターバル（ＴＴＩ）中にダウンリンク送信ビームを介してダウンリンク送信を受信するために前記ＵＥによって使用されるべきビームフォーミングパラメータの第１のセットを示す、
ビームフォーミングパラメータの前記第１のセットおよびビームフォーミングパラメータの第２のセットに少なくとも部分的に基づいて、前記第１のＴＴＩの制御リソースセットおよび前記ダウンリンク送信に関連する優先順位を決定するための手段と、
前記優先順位に少なくとも部分的に基づいて、ビームフォーミングパラメータの前記第１のセットを使用する前記ダウンリンク送信またはビームフォーミングパラメータの前記第２のセットを使用する前記制御リソースセットのうちの少なくとも１つを送信するための手段と、
を備える装置。
【請求項５２】
ビームフォーミングパラメータの前記第２のセットを使用して、前記第１のＴＴＩの少なくとも一部分中に前記制御リソースセットが送信されるべきであると決定するための手段、
をさらに備える、請求項５１に記載の装置。
【請求項５３】
前記ダウンリンク送信または前記制御リソースセットのうちの少なくとも１つを送信するための前記手段は、
前記優先順位に少なくとも部分的に基づいて、前記制御リソースセットの送信をスキップし、前記制御リソースセットを送信するために構成された前記第１のＴＴＩ内のリソースを使用して前記ダウンリンク送信を送信するための手段と、
をさらに備える、請求項５１に記載の装置。
【請求項５４】
前記ＵＥによってモニタされるべき無線ネットワーク一時識別子（ＲＮＴＩ）に少なくとも部分的に基づいて前記優先順位を決定するための手段、
をさらに備える、請求項５１に記載の装置。
【請求項５５】
前記ダウンリンク送信のための１つまたは複数のダウンリンクリソースのうちの少なくとも１つと、同じ直交周波数分割多重（ＯＦＤＭ）シンボル内に存在する前記制御リソースセットの１つまたは複数のダウンリンクリソースのうちの少なくとも１つとに少なくとも部分的に基づいて、前記優先順位を決定するための手段、
をさらに備える、請求項５１に記載の装置。
【請求項５６】
前記優先順位は、前記制御リソースセットが前記ダウンリンク送信より高い優先度を有することを示す、請求項５１に記載の装置。
【請求項５７】
前記優先順位は、前記制御リソースセットに関連するサービス品質（ＱｏＳ）が前記ダウンリンク送信より高い優先度を有することに少なくとも部分的に基づいて、前記制御リソースセットが前記より高い優先度を有することを示し、
前記制御リソースセットに関連する前記ＱｏＳは、超高信頼低レイテンシ通信（ＵＲＬＬＣ）ＱｏＳであり、前記ダウンリンク送信に関連するＱｏＳは、前記ＵＲＬＬＣ ＱｏＳより低い優先度を有する、請求項５６に記載の装置。
【請求項５８】
前記優先順位は、ビームフォーミングパラメータの前記第１のセットまたはビームフォーミングパラメータの前記第２のセットのうちのどちらが空間受信ビームフィルタリングに使用されるべきかを示す、請求項５１に記載の装置。
【請求項５９】
前記優先順位は、前記ダウンリンク送信が前記制御リソースセットの周りでレートマッチングされるべきかどうかを示す、請求項５１に記載の装置。
【請求項６０】
前記ダウンリンク送信が前記制御リソースセットの周りでレートマッチングされるとき、ビームフォーミングパラメータの前記第１のセットを使用して前記制御リソースセットを送信するための手段、
をさらに備える、請求項５９に記載の装置。
【請求項６１】
前記制御リソースセットの送信をスキップするための手段と、
前記制御リソースセットを送信するために構成された前記第１のＴＴＩ内のリソースを使用して前記ダウンリンク送信を送信するための手段と
をさらに備える、請求項５１に記載の装置。
【請求項６２】
前記制御リソースセットに関連するＱｏＳが前記ダウンリンク送信より高い優先度を有するとき、前記ダウンリンク送信をスキップし、前記制御リソースセットを送信するための手段、
をさらに備える、請求項５１に記載の装置。
【請求項６３】
前記優先順位において異なる優先度を有する２つ以上の異なる制御リソースセットを識別するための手段
をさらに備える、請求項５１に記載の装置。
【請求項６４】
前記２つ以上の異なる制御リソースセットのうちの第１の制御リソースセットは、超高信頼低レイテンシ通信（ＵＲＬＬＣ）サービスの送信に対応し、前記ダウンリンク送信より高い優先度を有し、
前記２つ以上の異なる制御リソースセットのうちの第２の制御リソースセットは、拡張モバイルブロードバンド（ｅＭＢＢ）サービスの送信に対応し、前記ダウンリンク送信より低い優先度を有する、請求項６３に記載の装置。
【請求項６５】
ビームフォーミングパラメータの第３のセットを用いて、前記第１のＴＴＩ内の非周期的チャネル状態情報基準信号（ＣＳＩ−ＲＳ）構成を識別するための手段と、
前記非周期的ＣＳＩ−ＲＳ構成を無視するための手段と、
前記第１のＴＴＩ中にビームフォーミングパラメータの前記第１のセットを使用して前記ダウンリンク送信を送信するための手段と、
をさらに備える、請求項５１に記載の装置。
【請求項６６】
残存システム情報（ＲＭＳＩ）制御リソースセットを含む送信ビームのためにビームフォーミングパラメータの第３のセットを識別するための手段と、
前記ＲＭＳＩ制御リソースセットのための探索空間が前記第１のＴＴＩと重複するとき、ビームフォーミングパラメータの前記第３のセットを使用して前記ダウンリンク送信を送信するための手段と、
をさらに備える、請求項５１に記載の装置。
【請求項６７】
ワイヤレス通信のための装置であって、
プロセッサと、
前記プロセッサと電子通信するメモリと、
前記メモリに記憶された命令と、
を備え、前記命令は、前記装置に、
ユーザ機器（ＵＥ）において、基地局からダウンリンク許可を受信することと、ここで、前記ダウンリンク許可は、第１の送信時間インターバル（ＴＴＩ）中に前記基地局からダウンリンク送信ビームを介してダウンリンク送信を受信するために前記ＵＥによって使用されるべきビームフォーミングパラメータの第１のセットを示す、
ビームフォーミングパラメータの前記第１のセットおよびビームフォーミングパラメータの第２のセットに少なくとも部分的に基づいて、前記第１のＴＴＩの制御リソースセットおよび前記ダウンリンク送信に関連する優先順位を決定することと、
前記優先順位に少なくとも部分的に基づいて、ビームフォーミングパラメータの前記第１のセットを使用する前記ダウンリンク送信またはビームフォーミングパラメータの前記第２のセットを使用する前記制御リソースセットのうちの少なくとも１つを受信することと、
を行わせるために前記プロセッサによって実行可能である、装置。
【請求項６８】
ワイヤレス通信のための装置であって、
プロセッサと、
前記プロセッサと電子通信するメモリと、
前記メモリに記憶された命令と、
を備え、前記命令は、前記装置に、
ユーザ機器（ＵＥ）にダウンリンク許可を送信することと、ここで、前記ダウンリンク許可は、第１の送信時間インターバル（ＴＴＩ）中にダウンリンク送信ビームを介してダウンリンク送信を受信するために前記ＵＥによって使用されるべきビームフォーミングパラメータの第１のセットを示す、
ビームフォーミングパラメータの前記第１のセットおよびビームフォーミングパラメータの第２のセットに少なくとも部分的に基づいて、前記第１のＴＴＩの制御リソースセットおよび前記ダウンリンク送信に関連する優先順位を決定することと、
前記優先順位に少なくとも部分的に基づいて、ビームフォーミングパラメータの前記第１のセットを使用する前記ダウンリンク送信またはビームフォーミングパラメータの前記第２のセットを使用する前記制御リソースセットのうちの少なくとも１つを送信することと、
を行わせるために前記プロセッサによって実行可能である、装置。
【発明の詳細な説明】
【相互参照】
【０００１】
[0001]本特許出願は、２０１９年２月１３日に出願された、John Wilson等による「Downlink Transmission Beam Configuration Techniques for Wireless Communications」と題する米国特許出願第１６／２７４，７７４号および２０１８年２月１６日に出願された、John Wilson等による「Downlink Transmission Beam Configuration Techniques for Wireless Communications」と題する米国仮特許出願第６２／７１０，４０９号の利益を主張し、それらは各々、本願の譲受人に譲渡され、本明細書に明確に組み込まれる。
【技術分野】
【０００２】
[0002]以下は、一般に、ワイヤレス通信に関し、より具体的には、ワイヤレス通信のためのダウンリンク送信ビーム構成技法に関する。
【背景技術】
【０００３】
[0003]ワイヤレス通信システムは、音声、ビデオ、パケットデータ、メッセージング、ブロードキャスト、等のような様々なタイプの通信コンテンツを提供するために広く展開されている。これらのシステムは、利用可能なシステムリソース（例えば、時間、周波数、および電力）を共有することによって、複数のユーザとの通信をサポートすることが可能であり得る。そのような多元接続システムの例には、ロングタームエボリューション（ＬＴＥ（登録商標））システム、ＬＴＥ−アドバンスト（ＬＴＥ−Ａ）システム、またはＬＴＥ−Ａ Ｐｒｏシステムのような第４世代（４Ｇ）システムと、新無線（ＮＲ）システムと呼ばれ得る第５世代（５Ｇ）システムとが含まれる。これらのシステムは、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、または離散フーリエ変換拡散ＯＦＤＭ（ＤＦＴ−Ｓ−ＯＦＤＭ）のような技術を用い得る。ワイヤレス多元接続通信システムは、別名ユーザ機器（ＵＥ）としても知られ得る複数の通信デバイスのための通信を各々が同時にサポートするいくつかの基地局またはネットワークアクセスノードを含み得る。
【発明の概要】
【０００４】
[0004]説明される技法は、ワイヤレス通信のためのダウンリンク送信ビーム構成技法をサポートする改善された方法、システム、デバイス、または装置に関する。一般に、説明される技法は、制御送信およびデータ送信に対する優先順位を定義するルールのセットに少なくとも部分的に基づいた、ダウンリンク送信ビームのためのビームフォーミングパラメータと、当該ダウンリンク送信ビームを受信するための対応する受信ビームパラメータとの識別（identification）を提供する。いくつかのケースでは、ダウンリンクリソースは、ダウンリンクビームフォーミングパラメータの第１のセットを介してダウンリンク送信のためにユーザ機器（ＵＥ）に割り振られ得、ＵＥはまた、ダウンリンク送信と同じ送信時間インターバル（ＴＴＩ）内のダウンリンクビームフォーミングパラメータの異なるセットを使用して、制御リソースセットをモニタするように構成され得る。ＵＥおよび基地局は、優先順位に基づいて、どのビームフォーミングパラメータをダウンリンク送信に使用すべきかを識別し得る。いくつかのケースでは、ルールのセットは、ダウンリンクビームフォーミングパラメータのどのセットが空間受信ビームフィルタリングに使用されるべきかを定義するか、ダウンリンク送信が制御リソースセットの周りでレートマッチングされるかどうかを定義するか、またはそれらの組合せを定義する。
【０００５】
[0005]ワイヤレス通信の方法が説明される。方法は、ＵＥにおいて、基地局からダウンリンク許可（grant）を受信することと、ここで、ダウンリンク許可は、第１のＴＴＩ中に基地局からダウンリンク送信ビームを介してダウンリンク送信を受信するためにＵＥによって使用されるべきビームフォーミングパラメータの第１のセットを示し、ビームフォーミングパラメータの第１のセットおよびビームフォーミングパラメータの第２のセットに基づいて、第１のＴＴＩの制御リソースセットおよびダウンリンク送信に関連する優先順位を決定することと、優先順位に基づいて、ビームフォーミングパラメータの第１のセットを使用するダウンリンク送信またはビームフォーミングパラメータの第２のセットを使用する制御リソースセットのうちの少なくとも１つを受信することと、を含み得る。
【０００６】
[0006]ワイヤレス通信のための装置が説明される。装置は、プロセッサと、このプロセッサと電子通信するメモリと、このメモリに記憶された命令とを含み得る。命令は、ＵＥにおいて、基地局からダウンリンク許可を受信することと、ここで、ダウンリンク許可は、第１のＴＴＩ中に基地局からダウンリンク送信ビームを介してダウンリンク送信を受信するためにＵＥによって使用されるべきビームフォーミングパラメータの第１のセットを示し、ビームフォーミングパラメータの第１のセットおよびビームフォーミングパラメータの第２のセットに基づいて、第１のＴＴＩの制御リソースセットおよびダウンリンク送信に関連する優先順位を決定することと、優先順位に基づいて、ビームフォーミングパラメータの第１のセットを使用するダウンリンク送信またはビームフォーミングパラメータの第２のセットを使用する制御リソースセットのうちの少なくとも１つを受信することと、を装置行わせるためにプロセッサによって実行可能であり得る。
【０００７】
[0007]ワイヤレス通信のための別の装置が説明される。装置は、ＵＥにおいて、基地局からダウンリンク許可を受信し、ここで、ダウンリンク許可は、第１のＴＴＩ中に基地局からダウンリンク送信ビームを介してダウンリンク送信を受信するためにＵＥによって使用されるべきビームフォーミングパラメータの第１のセットを示し、ビームフォーミングパラメータの第１のセットおよびビームフォーミングパラメータの第２のセットに基づいて、第１のＴＴＩの制御リソースセットおよびダウンリンク送信に関連する優先順位を決定し、優先順位に基づいて、ビームフォーミングパラメータの第１のセットを使用するダウンリンク送信またはビームフォーミングパラメータの第２のセットを使用する制御リソースセットのうちの少なくとも１つを受信するための手段を含み得る。
【０００８】
[0008]ワイヤレス通信のためのコードを記憶する非一時的コンピュータ読取可能な媒体が説明される。コードは、ＵＥにおいて、基地局からダウンリンク許可を受信することと、ここで、ダウンリンク許可は、第１のＴＴＩ中に基地局からダウンリンク送信ビームを介してダウンリンク送信を受信するためにＵＥによって使用されるべきビームフォーミングパラメータの第１のセットを示し、ビームフォーミングパラメータの第１のセットおよびビームフォーミングパラメータの第２のセットに基づいて、第１のＴＴＩの制御リソースセットおよびダウンリンク送信に関連する優先順位を決定することと、優先順位に基づいて、ビームフォーミングパラメータの第１のセットを使用するダウンリンク送信またはビームフォーミングパラメータの第２のセットを使用する制御リソースセットのうちの少なくとも１つを受信することと、を行うためにプロセッサによって実行可能な命令を含み得る。
【０００９】
[0009]本明細書で説明される方法、装置、および非一時的コンピュータ読取可能な媒体のいくつかの例は、ビームフォーミングパラメータの第２のセットを使用して第１のＴＴＩの少なくとも一部分中、制御リソースセットがモニタされるべきであり得ることを決定するための動作、特徴、手段、または命令をさらに含み得る。
【００１０】
[0010]本明細書で説明される方法、装置、および非一時的コンピュータ読取可能な媒体のいくつかの例では、ダウンリンク送信または制御リソースセットのうちの少なくとも１つを受信することは、優先順位に基づいて、ダウンリンク許可を無視し、制御リソースセットを受信するための動作、特徴、手段、または命令を含み得る。
【００１１】
[0011]本明細書で説明される方法、装置、および非一時的コンピュータ読取可能な媒体のいくつかの例では、優先順位は、ＵＥによってモニタされ得る無線ネットワーク一時識別子（ＲＮＴＩ）に基づいて決定され得る。
【００１２】
[0012]本明細書で説明される方法、装置、および非一時的コンピュータ読取可能な媒体のいくつかの例では、優先順位は、ダウンリンク送信のための１つまたは複数のダウンリンクリソースのうちの少なくとも１つと、同じ直交周波数分割多重（ＯＦＤＭ）シンボル内に存在する制御リソースセットの１つまたは複数のダウンリンクリソースのうちの少なくとも１つとに基づいて決定され得る。
【００１３】
[0013]本明細書で説明される方法、装置、および非一時的コンピュータ読取可能な媒体のいくつかの例では、優先順位は、制御リソースセットがダウンリンク送信より高い優先度を有し得ることを示す。
【００１４】
[0014]本明細書で説明される方法、装置、および非一時的コンピュータ読取可能な媒体のいくつかの例では、優先順位は、制御リソースセットに関連するサービス品質（ＱｏＳ）がダウンリンク送信より高い優先度を有することに基づいて、制御リソースセットがより高い優先度を有し得ることを示し、制御リソースセットに関連するＱｏＳは、超高信頼低レイテンシ通信（ＵＲＬＬＣ）ＱｏＳであり得、ダウンリンク送信に関連するＱｏＳは、ＵＲＬＬＣ ＱｏＳより低い優先度を有し得る。
【００１５】
[0015]本明細書で説明される方法、装置、および非一時的コンピュータ読取可能な媒体のいくつかの例は、ビームフォーミングパラメータの第１のセットまたはビームフォーミングパラメータの第２のセットが空間受信ビームフィルタリングに使用されるべきであり得ると決定するための動作、特徴、手段、または命令をさらに含み得る。
【００１６】
[0016]本明細書で説明される方法、装置、および非一時的コンピュータ読取可能な媒体のいくつかの例は、ダウンリンク送信が制御リソースセットの周りでレートマッチングされ得るかどうかを決定するための動作、特徴、手段、または命令をさらに含み得る。
【００１７】
[0017]本明細書で説明される方法、装置、および非一時的コンピュータ読取可能な媒体のいくつかの例では、ダウンリンク送信が制御リソースセットの周りでレートマッチングされ得るとき、ダウンリンク送信または制御リソースセットのうちの少なくとも１つを受信することは、ビームフォーミングパラメータの第１のセットを使用して制御リソースセットをモニタし、ビームフォーミングパラメータの第１のセットを使用してダウンリンク送信を受信するための動作、特徴、手段、または命令を含み得る。
【００１８】
[0018]本明細書で説明される方法、装置、および非一時的コンピュータ読取可能な媒体のいくつかの例では、ダウンリンク送信または制御リソースセットのうちの少なくとも１つを受信することは、制御リソースセットを送信するために構成され得る第１のＴＴＩ内のリソースのサブセットを識別し、制御リソースセットを送信するために構成され得るリソースのサブセットを使用して、第１のＴＴＩ中にダウンリンク送信を受信するための動作、特徴、手段、または命令を含み得る。
【００１９】
[0019]本明細書で説明される方法、装置、および非一時的コンピュータ読取可能な媒体のいくつかの例では、優先順位は、制御リソースセットに関連する送信のタイプ、ダウンリンク送信のためのダウンリンクリソースと制御リソースセットのダウンリンクリソースとの間の周波数分割多重化、複数の送信ビームを同時に受信するＵＥの能力、またはそれらの任意の組合せのうちの１つまたは複数に基づいて決定され得る。
【００２０】
[0020]本明細書で説明される方法、装置、および非一時的コンピュータ読取可能な媒体のいくつかの例は、基地局によって構成された２つ以上の異なる制御リソースセットを識別するための動作、特徴、手段、または命令をさらに含み得、ここで、２つ以上の異なる制御リソースセットの各々は、優先順位において異なる優先度を有する。
【００２１】
[0021]本明細書で説明される方法、装置、および非一時的コンピュータ読取可能な媒体のいくつかの例では、２つ以上の異なる制御リソースセットのうちの第１の制御リソースセットは、超高信頼低レイテンシ通信（ＵＲＬＬＣ）サービスの送信に対応し、ダウンリンク送信より高い優先度を有し得、２つ以上の異なる制御リソースセットのうちの第２の制御リソースセットは、拡張モバイルブロードバンド（ｅＭＢＢ）サービスの送信に対応し、ダウンリンク送信より低い優先度を有し得る。
【００２２】
[0022]本明細書で説明される方法、装置、および非一時的コンピュータ読取可能な媒体のいくつかの例は、ビームフォーミングパラメータの第３のセットを用いて第１のＴＴＩ内の非周期的チャネル状態情報基準信号（ＣＳＩ−ＲＳ）構成を識別し、非周期的ＣＳＩ−ＲＳ構成を無視し、第１のＴＴＩ中にビームフォーミングパラメータの第１のセットを使用してダウンリンク送信を受信するための動作、特徴、手段、または命令をさらに含み得る。
【００２３】
[0023]本明細書で説明される方法、装置、および非一時的コンピュータ読取可能な媒体のいくつかの例は、残存システム情報（ＲＭＳＩ：remaining system information）制御リソースセットを含む送信ビームをモニタするためのビームフォーミングパラメータの第３のセットを識別し、ＲＭＳＩ制御リソースセットのための探索空間が第１のＴＴＩと重複するとき、ビームフォーミングパラメータの第３のセットを使用してダウンリンク送信をモニタするための動作、特徴、手段、または命令をさらに含み得る。
【００２４】
[0024]本明細書で説明される方法、装置、および非一時的コンピュータ読取可能な媒体のいくつかの例では、優先順位を定義するルールのセットは、ＵＥにおいて静的に定義され得る。
【００２５】
[0025]本明細書で説明される方法、装置、および非一時的コンピュータ読取可能な媒体のいくつかの例では、優先順位を定義するルールのセットは、無線リソース制御シグナリングを介して半静的に受信され得る。
【００２６】
[0026]ワイヤレス通信の方法が説明される。方法は、ＵＥにダウンリンク許可を送信することと、ここで、ダウンリンク許可は、第１のＴＴＩ中にダウンリンク送信ビームを介してダウンリンク送信を受信するためにＵＥによって使用されるべきビームフォーミングパラメータの第１のセットを示し、ビームフォーミングパラメータの第１のセットおよびビームフォーミングパラメータの第２のセットに基づいて、第１のＴＴＩの制御リソースセットおよびダウンリンク送信に関連する優先順位を決定することと、優先順位に基づいて、ビームフォーミングパラメータの第１のセットを使用するダウンリンク送信またはビームフォーミングパラメータの第２のセットを使用する制御リソースセットのうちの少なくとも１つを送信することと、を含み得る。
【００２７】
[0027]ワイヤレス通信のための装置が説明される。装置は、プロセッサと、このプロセッサと電子通信するメモリと、このメモリに記憶された命令とを含み得る。命令は、ＵＥにダウンリンク許可を送信することと、ここで、ダウンリンク許可は、第１のＴＴＩ中にダウンリンク送信ビームを介してダウンリンク送信を受信するためにＵＥによって使用されるべきビームフォーミングパラメータの第１のセットを示し、ビームフォーミングパラメータの第１のセットおよびビームフォーミングパラメータの第２のセットに基づいて、第１のＴＴＩの制御リソースセットおよびダウンリンク送信に関連する優先順位を決定することと、優先順位に基づいて、ビームフォーミングパラメータの第１のセットを使用するダウンリンク送信またはビームフォーミングパラメータの第２のセットを使用する制御リソースセットのうちの少なくとも１つを送信することと、を装置行わせるためにプロセッサによって実行可能であり得る。
【００２８】
[0028]ワイヤレス通信のための別の装置が説明される。装置は、ＵＥにダウンリンク許可を送信し、ここで、ダウンリンク許可は、第１のＴＴＩ中にダウンリンク送信ビームを介してダウンリンク送信を受信するためにＵＥによって使用されるべきビームフォーミングパラメータの第１のセットを示し、ビームフォーミングパラメータの第１のセットおよびビームフォーミングパラメータの第２のセットに基づいて、第１のＴＴＩの制御リソースセットおよびダウンリンク送信に関連する優先順位を決定し、優先順位に基づいて、ビームフォーミングパラメータの第１のセットを使用するダウンリンク送信またはビームフォーミングパラメータの第２のセットを使用する制御リソースセットのうちの少なくとも１つを送信するための手段を含み得る。
【００２９】
[0029]ワイヤレス通信のためのコードを記憶する非一時的コンピュータ読取可能な媒体が説明される。コードは、ＵＥにダウンリンク許可を送信することと、ここで、ダウンリンク許可は、第１のＴＴＩ中にダウンリンク送信ビームを介してダウンリンク送信を受信するためにＵＥによって使用されるべきビームフォーミングパラメータの第１のセットを示し、ビームフォーミングパラメータの第１のセットおよびビームフォーミングパラメータの第２のセットに基づいて、第１のＴＴＩの制御リソースセットおよびダウンリンク送信に関連する優先順位を決定することと、優先順位に基づいて、ビームフォーミングパラメータの第１のセットを使用するダウンリンク送信またはビームフォーミングパラメータの第２のセットを使用する制御リソースセットのうちの少なくとも１つを送信することと、を行うためにプロセッサによって実行可能な命令を含み得る。
【００３０】
[0030]本明細書で説明される方法、装置、および非一時的コンピュータ読取可能な媒体のいくつかの例は、ビームフォーミングパラメータの第２のセットを使用して第１のＴＴＩの少なくとも一部分中に制御リソースセットが送信されるべきであり得ると決定するための動作、特徴、手段、または命令をさらに含み得る。
【００３１】
[0031]本明細書で説明される方法、装置、および非一時的コンピュータ読取可能な媒体のいくつかの例では、ダウンリンク送信または制御リソースセットのうちの少なくとも１つを送信することは、優先順位に基づいて、ダウンリンク許可の送信をスキップし、制御リソースセットを送信するための動作、特徴、手段、または命令を含み得る。
【００３２】
[0032]本明細書で説明される方法、装置、および非一時的コンピュータ読取可能な媒体のいくつかの例では、優先順位は、ＵＥによってモニタされるべきであり得る無線ネットワーク一時識別子（ＲＮＴＩ）に基づいて決定され得る。
【００３３】
[0033]本明細書で説明される方法、装置、および非一時的コンピュータ読取可能な媒体のいくつかの例では、優先順位は、ダウンリンク送信のための１つまたは複数のダウンリンクリソースのうちの少なくとも１つと、同じ直交周波数分割多重（ＯＦＤＭ）シンボル内に存在する制御リソースセットの１つまたは複数のダウンリンクリソースのうちの少なくとも１つとに基づいて決定され得る。
【００３４】
[0034]本明細書で説明される方法、装置、および非一時的コンピュータ読取可能な媒体のいくつかの例では、優先順位は、制御リソースセットがダウンリンク送信より高い優先度を有し得ることを示す。
【００３５】
[0035]本明細書で説明される方法、装置、および非一時的コンピュータ読取可能な媒体のいくつかの例では、優先順位は、制御リソースセットに関連するサービス品質（ＱｏＳ）がダウンリンク送信より高い優先度を有することに基づいて、制御リソースセットがより高い優先度を有し得ることを示し、制御リソースセットに関連するＱｏＳは、超高信頼低レイテンシ通信（ＵＲＬＬＣ）ＱｏＳであり得、ダウンリンク送信に関連するＱｏＳは、ＵＲＬＬＣ ＱｏＳより低い優先度を有し得る。
【００３６】
[0036]本明細書で説明される方法、装置、および非一時的コンピュータ読取可能な媒体のいくつかの例は、ビームフォーミングパラメータの第１のセットまたはビームフォーミングパラメータの第２のセットが空間受信ビームフィルタリングに使用されるべきであり得ると決定するための動作、特徴、手段、または命令をさらに含み得る。
【００３７】
[0037]本明細書で説明される方法、装置、および非一時的コンピュータ読取可能な媒体のいくつかの例は、ダウンリンク送信が制御リソースセットの周りでレートマッチングされるべきであり得るかどうかを決定するための動作、特徴、手段、または命令をさらに含み得る。
【００３８】
[0038]本明細書で説明される方法、装置、および非一時的コンピュータ読取可能な媒体のいくつかの例では、ダウンリンク送信が制御リソースセットの周りでレートマッチングされ得るとき、方法はさらに、ビームフォーミングパラメータの第１のセットを使用して制御リソースセットを送信するための動作、特徴、手段、または命令を含み得る。
【００３９】
[0039]本明細書で説明される方法、装置、および非一時的コンピュータ読取可能な媒体のいくつかの例では、ダウンリンク送信または制御リソースセットのうちの少なくとも１つを送信することは、制御リソースセットの送信をスキップし、制御リソースセットを送信するために構成され得る第１のＴＴＩ内のリソースを使用してダウンリンク送信を送信するための動作、特徴、手段、または命令を含み得る。
【００４０】
[0040]本明細書で説明される方法、装置、および非一時的コンピュータ読取可能な媒体のいくつかの例では、優先順位は、制御リソースセットに関連する送信のタイプ、ダウンリンク送信のためのダウンリンクリソースと制御リソースセットのリソースとの間の周波数分割多重化、複数の送信ビームを同時に受信するＵＥの能力、またはそれらの任意の組合せのうちの１つまたは複数に基づいて決定され得る。
【００４１】
[0041]本明細書で説明される方法、装置、および非一時的コンピュータ読取可能な媒体のいくつかの例は、優先順位において異なる優先度を有する２つ以上の異なる制御リソースセットを識別するための動作、特徴、手段、または命令をさらに含み得る。
【００４２】
[0042]本明細書で説明される方法、装置、および非一時的コンピュータ読取可能な媒体のいくつかの例では、２つ以上の異なる制御リソースセットのうちの第１の制御リソースセットは、超高信頼低レイテンシ通信（ＵＲＬＬＣ）サービスの送信に対応し、ダウンリンク送信より高い優先度を有し得、２つ以上の異なる制御リソースセットのうちの第２の制御リソースセットは、拡張モバイルブロードバンド（ｅＭＢＢ）サービスの送信に対応し、ダウンリンク送信より低い優先度を有し得る。
【００４３】
[0043]本明細書で説明される方法、装置、および非一時的コンピュータ読取可能な媒体のいくつかの例は、ビームフォーミングパラメータの第３のセットを用いて第１のＴＴＩ内の非周期的ＣＳＩ−ＲＳ構成を識別し、非周期的ＣＳＩ−ＲＳ構成を無視し、第１のＴＴＩ中にビームフォーミングパラメータの第１のセットを使用してダウンリンク送信を送信するための動作、特徴、手段、または命令をさらに含み得る。
【００４４】
[0044]本明細書で説明される方法、装置、および非一時的コンピュータ読取可能な媒体のいくつかの例は、残存システム情報（ＲＭＳＩ）制御リソースセットを含む送信ビームのためにビームフォーミングパラメータの第３のセットを識別し、ＲＭＳＩ制御リソースセットのための探索空間が第１のＴＴＩと重複するとき、ビームフォーミングパラメータの第３のセットを使用してダウンリンク送信を送信するための動作、特徴、手段、または命令をさらに含み得る。
【００４５】
[0045]本明細書で説明される方法、装置、および非一時的コンピュータ読取可能な媒体のいくつかの例では、優先順位を定義するルールのセットは、静的に定義され得るか、または無線リソース制御シグナリングを介して半静的に送信され得る。
【図面の簡単な説明】
【００４６】
【図１】[0046]図１は、本開示の態様による、ワイヤレス通信のためのダウンリンク送信ビーム構成技法をサポートするワイヤレス通信システムの例を例示する。
【図２】[0047]図２は、本開示の態様による、ワイヤレス通信のためのダウンリンク送信ビーム構成技法をサポートするワイヤレス通信システムの一部分の例を例示する。
【図３】[0048]図３は、本開示の態様による、ワイヤレス通信のためのダウンリンク送信ビーム構成技法をサポートするビームフォーミングパラメータの例を例示する。
【図４】[0049]図４は、本開示の態様による、ワイヤレス通信のためのダウンリンク送信ビーム構成技法をサポートするビームフォーミングパラメータの別の例を例示する。
【図５】[0050]図５は、本開示の態様による、ワイヤレス通信のためのダウンリンク送信ビーム構成技法をサポートするビームフォーミングパラメータの別の例を例示する。
【図６】[0051]図６は、本開示の態様による、ワイヤレス通信のためのダウンリンク送信ビーム構成技法をサポートするチャネル状態情報基準信号リソースの例を例示する。
【図７Ａ】[0052]図７Ａは、本開示の態様による、ワイヤレス通信のためのダウンリンク送信ビーム構成技法をサポートする探索空間およびビームフォーミングパラメータの例を例示する。
【図７Ｂ】図７Ｂは、本開示の態様による、ワイヤレス通信のためのダウンリンク送信ビーム構成技法をサポートする探索空間およびビームフォーミングパラメータの例を例示する。
【図８】[0053]図８は、本開示の態様による、ワイヤレス通信のためのダウンリンク送信ビーム構成技法をサポートするプロセスフローの例を例示する。
【図９】[0054]図９は、本開示の態様による、ワイヤレス通信のためのダウンリンク送信ビーム構成技法をサポートするデバイスのブロック図を示す。
【図１０】図１０は、本開示の態様による、ワイヤレス通信のためのダウンリンク送信ビーム構成技法をサポートするデバイスのブロック図を示す。
【図１１】図１１は、本開示の態様による、ワイヤレス通信のためのダウンリンク送信ビーム構成技法をサポートするデバイスのブロック図を示す。
【図１２】[0055]図１２は、本開示の態様による、ワイヤレス通信のためのダウンリンク送信ビーム構成技法をサポートするＵＥを含むシステムのブロック図を例示する。
【図１３】[0056]図１３は、本開示の態様による、ワイヤレス通信のためのダウンリンク送信ビーム構成技法をサポートするデバイスのブロック図を示す。
【図１４】図１４は、本開示の態様による、ワイヤレス通信のためのダウンリンク送信ビーム構成技法をサポートするデバイスのブロック図を示す。
【図１５】図１５は、本開示の態様による、ワイヤレス通信のためのダウンリンク送信ビーム構成技法をサポートするデバイスのブロック図を示す。
【図１６】[0057]図１６は、本開示の態様による、ワイヤレス通信のためのダウンリンク送信ビーム構成技法をサポートする基地局を含むシステムのブロック図を例示する。
【図１７】[0058]図１７は、本開示の態様による、ワイヤレス通信のためのダウンリンク送信ビーム構成技法のための方法を例示する。
【図１８】図１８は、本開示の態様による、ワイヤレス通信のためのダウンリンク送信ビーム構成技法のための方法を例示する。
【図１９】図１９は、本開示の態様による、ワイヤレス通信のためのダウンリンク送信ビーム構成技法のための方法を例示する。
【図２０】図２０は、本開示の態様による、ワイヤレス通信のためのダウンリンク送信ビーム構成技法のための方法を例示する。
【図２１】図２１は、本開示の態様による、ワイヤレス通信のためのダウンリンク送信ビーム構成技法のための方法を例示する。
【図２２】図２２は、本開示の態様による、ワイヤレス通信のためのダウンリンク送信ビーム構成技法のための方法を例示する。
【図２３】図２３は、本開示の態様による、ワイヤレス通信のためのダウンリンク送信ビーム構成技法のための方法を例示する。
【図２４】図２４は、本開示の態様による、ワイヤレス通信のためのダウンリンク送信ビーム構成技法のための方法を例示する。
【図２５】図２５は、本開示の態様による、ワイヤレス通信のためのダウンリンク送信ビーム構成技法のための方法を例示する。
【図２６】図２６は、本開示の態様による、ワイヤレス通信のためのダウンリンク送信ビーム構成技法のための方法を例示する。
【詳細な説明】
【００４７】
[0059]様々な説明される技法は、制御リソースセット（ＣＯＲＥＳＥＴ）送信および割り振られたダウンリンクデータ送信に対する優先順位を定義するルールのセットに少なくとも部分的に基づいた、ダウンリンク送信ビームのためのビームフォーミングパラメータの識別を提供する。いくつかのケースでは、ユーザ機器（ＵＥ）は、基地局との接続を確立し得、これは、高帯域成分を、単独でまたは低帯域成分とともに使用し得る。様々な例では、高帯域成分は、指向性ビームの送信および受信のためにビームフォーミング技法を使用する、ミリメートル波（ｍｍＷ）周波数帯域のような比較的高い周波数帯域を使用し得る。（1つまたは複数の）低帯域成分は、（サブ６帯域と呼ばれ得る）６ＧＨｚを下回る周波数帯域のような比較的低い周波数帯域を使用し得る。本明細書で説明される様々な技法は、ｍｍＷ周波数帯域を使用した送信ビームおよびビームフォーミングパラメータ選択に関するが、そのような送信ビームが、単独でまたはより低い周波数帯域送信とともに使用され得ることは理解されるであろう。追加的に、本明細書で提供される技法は、非ｍｍＷ送信にも適用され得る。
【００４８】
[0060]いくつかのケースでは、ダウンリンクリソースは、ビームフォーミングパラメータの第１のセットを介してダウンリンク送信のためにＵＥに割り振られ得、ＵＥはまた、ダウンリンク送信と同じ送信時間インターバル（ＴＴＩ）内のビームフォーミングパラメータの異なるセットを使用してＣＯＲＥＳＥＴ送信をモニタするように構成され得る。ＣＯＲＥＳＥＴ送信は、基地局によって周期的に送信され得、ダウンリンク制御情報（ＤＣＩ）のような制御情報を含み得る。いくつかのケースでは、異なるタイプのＤＣＩを搬送する２つ以上のＣＯＲＥＳＥＴが構成され得る。ＣＯＲＥＳＥＴは、周波数ドメインには複数のリソースブロックを含み得、時間ドメインにはｎ個のＯＦＤＭシンボルを含み得る（ここで、ｎは整数である）。ＣＯＲＥＳＥＴは、制御情報のために割り振られたリソースのトータルなセットを含み得、いくつかの例では、フレームの１つまたは複数のスロット中の特定の探索候補に対応する１つまたは複数のＣＣＥを含み得る。
【００４９】
[0061]いくつかのケースでは、ＵＥは、ＵＥがビームフォーミングパラメータの第２の異なるセットを使用して制御リソースセットをモニタするように構成され得るＣＯＲＥＳＥＴ構成と重複するビームフォーミングパラメータの第１のセット（例えば、ダウンリンクビームフォーミングパラメータ）およびダウンリンクリソースを示すダウンリンク許可を受信し得る。例えば、同じ送信時間インターバル（ＴＴＩ）内で、ＵＥは、１つまたは複数のＣＯＲＥＳＥＴをモニタするように構成されるだけでなく、ダウンリンク許可を有し得、ここで、１つまたは複数のＣＯＲＥＳＥＴのモニタリングおよびダウンリンク許可は、ビームフォーミングパラメータの異なるセットに関連付けられ得る。いくつかのケースでは、ＵＥは、２つの送信ビームを同時にモニタすることが可能であり得、異なる送信ビーム上でＣＯＲＥＳＥＴおよびダウンリンク送信の両方を受信し得る。他のケースでは、ＵＥは、同時送信ビームを受信する能力がないか、またはＣＯＲＥＳＥＴ送信およびダウンリンク送信の両方を受信するのに十分な速さで異なるダウンリンク送信ビーム間を切り替えることができないであろう。そのようなケースでは、ＵＥおよび基地局は、優先順位を定義するルールのセットに基づいて、ビームフォーミングパラメータのどのセットをダウンリンク送信に使用すべきかを識別し得る。いくつかのケースでは、ルールのセットは、ほんのいくつかの例を挙げると、ＵＥによってモニタされるべきデフォルトビーム、およびビームフォーミングパラメータのどのセットが空間受信ビームフィルタリングに使用されるべきか、ダウンリンク送信がＣＯＲＥＳＥＴの周りでレートマッチングされるかどうか、基準信号送信挙動、探索空間構成、またはそれらの組合せを提供することによって、基地局およびＵＥの挙動を定義し得る。
【００５０】
[0062]１つの特定の新無線（ＮＲ）の例では、ＵＥは、上位レイヤパラメータを用いて、送信構成インジケータ（ＴＣＩ）がダウンリンクＤＣＩ中に存在するかどうかを想定するように構成され得る。例えば、パラメータTCI-PresentInDCIが、物理ダウンリンク共有チャネル（ＰＤＳＣＨ）送信をスケジューリングするＣＯＲＥＳＥＴに対して「イネーブル」に設定される場合、ＵＥは、ＴＣＩフィールドが、ＣＯＲＥＳＥＴ上で送信される物理ダウンリンク制御チャネル（ＰＤＣＣＨ）のダウンリンクＤＣＩ中に存在すると想定し得る。パラメータTCI-PresentInDCIが、ＰＤＳＣＨをスケジューリングするＣＯＲＥＳＥＴに対して「ディセーブル」に設定される場合、これは、ビームフォーミングパラメータとも呼ばれる、ＰＤＳＣＨアンテナポートの擬似コロケーション（ＱＣＬ）を決定するために使用され得、ＵＥは、ＰＤＳＣＨのＴＣＩ状態が、ＰＤＣＣＨ送信に使用されるＣＯＲＥＳＥＴに適用されるＴＣＩ状態と同一であると想定し得る。そのようなケースでは、パラメータTCI-PresentinDCIが「イネーブル」に設定される場合、ＵＥは、ＰＤＳＣＨアンテナポートの擬似コロケーションを決定するために、ＤＣＩを有する検出されたＰＤＣＣＨ中のＴＣＩフィールドの値にしたがったＴＣＩ状態を使用する。ＵＥは、ＤＬ ＤＣＩおよび対応するＰＤＳＣＨの受信間のオフセットがしきい値ｋ０以上である場合、サービングセルのＰＤＳＣＨの１つの復調基準信号（ＤＭ−ＲＳ）ポートグループのアンテナポートが、示されたＴＣＩ状態によって与えられる（1つ又は複数の）ＱＣＬタイプパラメータに関して基準信号セット中の基準信号と擬似コロケートされていると想定し得る。TCI-PresentInDCIが「イネーブル」であるケースと、TCI-PresentInDCIが「ディセーブル」であるケースの両方について、オフセットがしきい値未満である場合、ＵＥは、１つまたは複数のＣＯＲＥＳＥＴがＵＥのために構成された最新の（the latest）スロット中の最低ＣＯＲＥＳＥＴ−ＩＤのＰＤＣＣＨ擬似コロケーションインジケーションに使用されるＴＣＩ状態に基づいて、サービングセルのＰＤＳＣＨの１つの復調基準信号（ＤＭＲＳ）ポートグループのアンテナポートが擬似コロケートされていると想定し得る。
【００５１】
[0063]そのようなケースでは、スロットｎ中のＤＣＩが、ビームＡ（ＴＣＩ状態）を用いてスロットｎ＋１においてＰＤＳＣＨをスケジューリングし、ＵＥが、異なるビーム（ビームＢ）を用いてスロットｎ＋１においてＣＯＲＥＳＥＴをモニタするように構成される場合、ダウンリンク送信に対する優先順位を確立したルールの定義されたセットは、どのビーム（すなわち、ビームＡまたはビームＢ）がモニタされるべきか、ビーム上で受信されるべき情報、レートマッチング挙動、またはそれらの任意の組合せを決定するためにＵＥによって使用され得る。いくつかのケースでは、ルールのセットは、ＣＯＲＥＳＥＴタイプ（例えば、超高信頼低レイテンシ通信（ＵＲＬＬＣ）送信のためのＣＯＲＥＳＥＴ、拡張モバイルブロードバンド（ｅＭＢＢ）のためのＣＯＲＥＳＥＴ、等）、モニタされる無線ネットワーク一時識別子（ＲＮＴＩ）、またはそれらの任意の組合せの関数として優先順位を定義する。いくつかのケースでは、優先度ルールのうちの１つまたは複数はまた、ＵＥ能力（例えば、２つのビームを同時に受信するＵＥの能力）の関数であり得る。
【００５２】
[0064]いくつかのケースでは、優先度ルールは、静的に構成される。他のケースでは、優先度ルールは、無線リソース制御（ＲＲＣ）シグナリングを介して半静的に構成され得る。１つの非限定的な例では、優先度ルールは、ＰＤＳＣＨ ＱＣＬがＣＯＲＥＳＥＴより高い優先度を有すること、ＵＲＬＬＣ ＣＯＲＥＳＥＴモニタリングがＰＤＳＣＨ受信より高い優先度を有すること（このケースでは、ＰＤＳＣＨ許可が無視される）、（例えば、サービス品質（ＱｏＳ）パラメータ、レイテンシ要件、信頼性要件、もしくはそれらの任意の組合せに基づく）より高い優先度のサービスのＣＯＲＥＳＥＴが、より低い優先度のサービスのＰＤＳＣＨ受信もしくはより低い優先度のＣＯＲＥＳＥＴより高い優先度を有すること、またはそれらの任意の組合せを定義し得る。
【００５３】
[0065]本明細書で提供される様々な例は、ビームフォーミングパラメータのセットを決定し、ＣＯＲＥＳＥＴおよびＰＤＳＣＨ送信をモニタするための優先順位を説明するが、本明細書で説明される技法は一般に、関連するビームフォーミングパラメータを有し得る任意の２つのチャネル（例えば、任意の２つのＰＤＣＣＨまたはＰＤＳＣＨチャネル）に適用され得る。そのような技法は、基地局およびＵＥが、特定の通信のサービスの優先度にしたがってダウンリンク送信ビーム送信を送信および受信することを可能にし得る。ゆえに、そのような優先度ルールは、異なるタイプのダウンリンク送信の優先順位付けを通してネットワーク効率を高め得る。そのような優先度ルールはまた、どの特定のダウンリンク送信がモニタされ得るかついておよび送信がモニタされ得るリソースについての、基地局およびＵＥによる効率的な決定を提供し得る。
【００５４】
[0066]本開示の態様は、最初に、ワイヤレス通信システムのコンテキストにおいて説明される。次いで、ビームフォーミングパラメータおよび関連する優先順位の様々な態様が説明される。本開示の態様は、ワイヤレス通信のためのダウンリンク送信ビーム構成技法に関する装置図、システム図、およびフローチャートによってさらに例示され、それらを参照して説明される。
【００５５】
[0067]図１は、本開示の様々な態様による、ワイヤレス通信システム１００の例を例示する。ワイヤレス通信システム１００は、基地局１０５と、ＵＥ１１５と、コアネットワーク１３０とを含む。いくつかの例では、ワイヤレス通信システム１００は、ロングタームエボリューション（ＬＴＥ）ネットワーク、ＬＴＥ−アドバンスト（ＬＴＥ−Ａ）ネットワーク、ＬＴＥ−Ａ Ｐｒｏネットワーク、または新無線（ＮＲ）ネットワークであり得る。いくつかのケースでは、ワイヤレス通信システム１００は、拡張ブロードバンド通信、超高信頼（例えば、ミッションクリティカル）通信、低レイテンシ通信、または低コストおよび低複雑性デバイスとの通信をサポートし得る。いくつかのケースでは、基地局１０５およびＵＥ１１５は、指向性送信ビームを使用し得、ＰＤＳＣＨ送信およびＣＯＲＥＳＥＴ送信を含むＴＴＩ内のダウンリンク送信ビームのための１つまたは複数のビームパラメータは、本明細書の様々な例において説明されるように、優先度ルールのセットに少なくとも部分的に基づいて決定され得る。
【００５６】
[0068]基地局１０５は、１つまたは複数の基地局アンテナを介してＵＥ１１５とワイヤレスに通信し得る。本明細書で説明される基地局１０５は、トランシーバ基地局、無線基地局、アクセスポイント、無線トランシーバ、ノードＢ、ｅノードＢ（ｅＮＢ）、次世代ノードＢもしくはギガノードＢ（いずれもｇＮＢと呼ばれ得る）、ホームノードＢ、ホームｅノードＢ、または何らかの他の好適な用語を含み得るか、またはそのように当業者によって呼ばれ得る。ワイヤレス通信システム１００は、異なるタイプの基地局１０５（例えば、マクロセルまたはスモールセル基地局）を含み得る。本明細書で説明されるＵＥ１１５は、マクロｅＮＢ、スモールセルｅＮＢ、ｇＮＢ、リレー基地局、等を含む様々なタイプの基地局１０５およびネットワーク機器と通信することが可能であり得る。
【００５７】
[0069]各基地局１０５は、様々なＵＥ１１５との通信がサポートされる特定の地理的カバレッジエリア１１０に関連付けられ得る。各基地局１０５は、通信リンク１２５を介してそれぞれの地理的カバレッジエリア１１０に通信カバレッジを提供し得、基地局１０５とＵＥ１１５との間の通信リンク１２５は、１つまたは複数のキャリアを利用し得る。ワイヤレス通信システム１００に示される通信リンク１２５は、ＵＥ１１５から基地局１０５へのアップリンク送信、または基地局１０５からＵＥ１１５へのダウンリンク送信を含み得る。ダウンリンク送信は、順方向リンク送信とも呼ばれ得、アップリンク送信は、逆方向リンク送信とも呼ばれ得る。
【００５８】
[0070]基地局１０５のための地理的カバレッジエリア１１０は、地理的カバレッジエリア１１０の一部分のみを構成するセクタに分割され得、各セクタは、セルに関連付けられ得る。例えば、各基地局１０５は、マクロセル、スモールセル、ホットスポット、もしくは他のタイプのセル、またはそれらの様々な組合せのための通信カバレッジを提供し得る。いくつかの例では、基地局１０５は、可動であり得、したがって、移動する地理的カバレッジエリア１１０に通信カバレッジを提供し得る。いくつかの例では、異なる技術に関連する異なる地理的カバレッジエリア１１０は重複し得、異なる技術に関連する重複した地理的カバレッジエリア１１０は、同じ基地局１０５によってまたは異なる基地局１０５によってサポートされ得る。ワイヤレス通信システム１００は、例えば、異なるタイプの基地局１０５が様々な地理的カバレッジエリア１１０にカバレッジを提供する異種ＬＴＥ／ＬＴＥ−Ａ／ＬＴＥ−Ａ ＰｒｏまたはＮＲネットワークを含み得る。
【００５９】
[0071]「セル」という用語は、（例えば、キャリア上での）基地局１０５との通信に使用される論理通信エンティティを指し、同じまたは異なるキャリアを介して動作する隣接セルを区別するための識別子（例えば、物理セル識別子（ＰＣＩＤ）、仮想セル識別子（ＶＣＩＤ））に関連付けられ得る。いくつかの例では、キャリアは、複数のセルをサポートし得、異なるセルは、異なるタイプのデバイスにアクセスを提供し得る異なるプロトコルタイプ（例えば、マシンタイプ通信（ＭＴＣ）、狭帯域モノのインターネット（ＮＢ−ＩｏＴ）、拡張モバイルブロードバンド（ｅＭＢＢ）、またはその他）にしたがって構成され得る。いくつかのケースでは、「セル」という用語は、論理エンティティが動作する地理的カバレッジエリア１１０の一部分（例えば、セクタ）を指し得る。
【００６０】
[0072]ＵＥ１１５は、ワイヤレス通信システム１００全体に散在しており、各ＵＥ１１５は、据置式またはモバイルであり得る。ＵＥ１１５は、モバイルデバイス、ワイヤレスデバイス、リモートデバイス、ハンドヘルドデバイス、もしくは加入者デバイス、または何らかの他の好適な用語でも呼ばれ得、ここで、「デバイス」は、ユニット、局、端末、またはクライアントとも呼ばれ得る。ＵＥ１１５はまた、携帯電話、携帯情報端末（ＰＤＡ）、タブレットコンピュータ、ラップトップコンピュータ、またはパーソナルコンピュータのようなパーソナル電子デバイスであり得る。いくつかの例では、ＵＥ１１５はまた、電気器具、車両、メータ、または同様のもののような様々な物品でインプリメントされ得る、ワイヤレスローカルループ（ＷＬＬ）局、モノのインターネット（ＩｏＴ）デバイス、エブリシングのインターネット（ＩｏＥ）デバイス、またはＭＴＣデバイス、等を指し得る。
【００６１】
[0073]ＭＴＣまたはＩｏＴデバイスのようないくつかのＵＥ１１５は、低コストまたは低複雑性デバイスであり得、（例えば、マシン・ツー・マシン（Ｍ２Ｍ）通信を介した）マシン間の自動通信を提供し得る。Ｍ２Ｍ通信またはＭＴＣは、デバイスが人間の介在なしに互いにまたは基地局１０５と通信することを可能にするデータ通信技術を指し得る。いくつかの例では、Ｍ２Ｍ通信またはＭＴＣは、情報を測定または取り込むためのセンサまたはメータを統合し、この情報を使用することまたはプログラムもしくはアプリケーションとインタラクトしている人間にこの情報を提示することができる中央サーバまたはアプリケーションプログラムにこの情報を中継するデバイスからの通信を含み得る。いくつかのＵＥ１１５は、情報を収集するか、またはマシンの自動化された挙動を可能にするように設計され得る。ＭＴＣデバイスのためのアプリケーションの例には、スマート計測、在庫（inventory）モニタリング、水位モニタリング、機器モニタリング、ヘルスケアモニタリング、野生生物モニタリング、天気事象および地質学的イベントモニタリング、保有車両（fleet）管理および追跡、リモートセキュリティ感知、物理アクセス制御、およびトランザクションベースのビジネス課金が含まれる。
【００６２】
[0074]基地局１０５は、コアネットワーク１３０とおよび互いに通信し得る。例えば、基地局１０５は、バックホールリンク１３２を通して（例えば、Ｓ１または他のインターフェースを介して）コアネットワーク１３０とインターフェース接続し得る。基地局１０５は、直接的に（例えば、基地局１０５間で直接的に）または間接的に（例えば、コアネットワーク１３０を介して）のいずれかで、バックホールリンク１３４上で（例えば、Ｘ２または他のインターフェースを介して）互いに通信し得る。
【００６３】
[0075]コアネットワーク１３０は、ユーザ認証、アクセス認可、追跡、インターネットプロトコル（ＩＰ）接続性、および他のアクセス、ルーティング、またはモビリティ機能を提供し得る。コアネットワーク１３０は、少なくとも１つのモビリティ管理エンティティ（ＭＭＥ）と、少なくとも１つのサービングゲートウェイ（Ｓ−ＧＷ）と、少なくとも１つのパケットデータネットワーク（ＰＤＮ）ゲートウェイ（Ｐ−ＧＷ）とを含み得る発展型パケットコア（ＥＰＣ）であり得る。ＭＭＥは、ＥＰＣに関連する基地局１０５によってサービス提供されるＵＥ１１５のためのモビリティ、認可、およびベアラ管理のような非アクセス層（例えば、制御プレーン）機能を管理し得る。ユーザＩＰパケットは、Ｓ−ＧＷを通して転送され得、Ｓ−ＧＷ自体は、Ｐ−ＧＷに接続され得る。Ｐ−ＧＷは、ＩＰアドレス割振りおよび他の機能を提供し得る。Ｐ−ＧＷは、ネットワークオペレータのＩＰサービスに接続され得る。オペレータのＩＰサービスには、インターネット、イントラネット、ＩＰマルチメディアサブシステム（ＩＭＳ）、またはパケット交換（ＰＳ）ストリーミングサービスへのアクセスが含まれ得る。
【００６４】
[0076]基地局１０５のようなネットワークデバイスのうちの少なくともいくつかは、アクセスノードコントローラ（ＡＮＣ）の例であり得るアクセスネットワークエンティティのようなサブコンポーネントを含み得る。各アクセスネットワークエンティティは、無線ヘッド、スマート無線ヘッド、または送信／受信ポイント（ＴＲＰ）と呼ばれ得る、いくつかの他のアクセスネットワーク送信エンティティを通してＵＥ１１５と通信し得る。いくつかの構成では、各アクセスネットワークエンティティまたは基地局１０５の様々な機能は、様々なネットワークデバイス（例えば、無線ヘッドおよびアクセスネットワークコントローラ）にわたって分散されるか、または単一のネットワークデバイス（例えば、基地局１０５）に統合され得る。
【００６５】
[0077]ワイヤレス通信システム１００は、典型的に３００ＭＨｚ〜３００ＧＨｚの範囲内の１つまたは複数の周波数帯域を使用して動作し得る。一般に、３００ＭＨｚから３ＧＨｚまでの範囲は、波長が約１デシメートルから１メートルの長さに及ぶため、極超短波（ＵＨＦ）領域またはデシメートル帯域として知られている。ＵＨＦ波は、建物および環境特徴によって遮断またはリダイレクトされ得る。しかしながら、この波は、屋内に位置するＵＥ１１５にマクロセルがサービスを提供するのに十分に構造を貫通し得る。ＵＨＦ波の送信は、３００ＭＨｚ未満のスペクトルの高周波数（ＨＦ）または超高周波数（ＶＨＦ）部分のより小さい周波数およびより長い波を使用する送信と比較して、より小さいアンテナおよびより短い範囲（例えば、１００ｋｍ未満）に関連付けられ得る。
【００６６】
[0078]ワイヤレス通信システム１００はまた、センチメートル帯域としても知られている、３ＧＨｚから３０ＧＨｚまでの周波数帯域を使用する超高周波数（ＳＨＦ）領域において動作し得る。ＳＨＦ領域は、他のユーザからの干渉に耐えることができるデバイスによって日和見的に使用され得る、５ＧＨｚ ＩＳＭ（industrial, scientific, and medical）帯域のような帯域を含む。
【００６７】
[0079]ワイヤレス通信システム１００はまた、ミリメートル帯域としても知られている、スペクトルの超高周波数（ＥＨＦ）領域（例えば、３０ＧＨｚ〜３００ＧＨｚ）において動作し得る。いくつかの例では、ワイヤレス通信システム１００は、ＵＥ１１５と基地局１０５との間のミリメートル波（ｍｍＷ）通信をサポートし得、それぞれのデバイスのＥＨＦアンテナは、ＵＨＦアンテナより一層小さく、間隔がより密接であり得る。いくつかのケースでは、これは、ＵＥ１１５内のアンテナアレイの使用を容易にし得る。しかしながら、ＥＨＦ送信の伝搬は、ＳＨＦまたはＵＨＦ送信より一層大きい大気減衰およびより短いレンジを被り得る（subject to）。本明細書で開示される技法は、１つまたは複数の異なる周波数領域を使用する送信にわたって用いられ得、これらの周波数領域にわたる帯域の指定された使用は、国または規制団体ごとに異なり得る。
【００６８】
[0080]いくつかのケースでは、ワイヤレス通信システム１００は、ライセンス無線周波数スペクトル帯域およびアンライセンス無線周波数スペクトル帯域の両方を利用し得る。例えば、ワイヤレス通信システム１００は、５ＧＨｚ ＩＳＭ帯域のようなアンライセンス帯域において、ＬＡＡ（License Assisted Access）、ＬＴＥ−Ｕ（LTE（登録商標）-Unlicensed）無線アクセス技術、またはＮＲ技術を用い得る。アンライセンス無線周波数スペクトル帯域において動作するとき、基地局１０５およびＵＥ１１５のようなワイヤレスデバイスは、データを送信する前に周波数チャネルがクリアであることを保証するためにリッスンビフォアトーク（ＬＢＴ）プロシージャを用い得る。いくつかのケースでは、アンライセンス帯域における動作は、ライセンス帯域（例えば、ＬＡＡ）において動作するＣＣとともにＣＡ構成に基づき得る。アンライセンススペクトルにおける動作は、ダウンリンク送信、アップリンク送信、ピア・ツー・ピア送信、またはこれらの組合せを含み得る。アンライセンススペクトルにおける複信は、周波数分割複信（ＦＤＤ）、時分割複信（ＴＤＤ）、または両方の組合せに基づき得る。
【００６９】
[0081]いくつかの例では、基地局１０５またはＵＥ１１５は、送信ダイバーシティ、受信ダイバーシティ、多入力多出力（ＭＩＭＯ）通信、またはビームフォーミングのような技法を用いるために使用され得る複数のアンテナを装備し得る。例えば、ワイヤレス通信システム１００は、送信デバイス（例えば、基地局１０５）と受信デバイス（例えば、ＵＥ１１５）との間で送信方式を使用し得、ここで、送信デバイスは、複数のアンテナを装備し、受信デバイスは、１つまたは複数のアンテナを装備する。ＭＩＭＯ通信は、空間多重化と呼ばれ得る、異なる空間レイヤを介して複数の信号を送信または受信することによってスペクトル効率を高めるためにマルチパス信号伝搬を用い得る。複数の信号は、例えば、異なるアンテナまたはアンテナの異なる組合せを介して送信デバイスによって送信され得る。同様に、複数の信号は、異なるアンテナまたはアンテナの異なる組合せを介して受信デバイスによって受信され得る。複数の信号の各々は、分離空間ストリーム（separate spatial stream）と呼ばれ得、同じデータストリーム（例えば、同じコードワード）または異なるデータストリームに関連するビットを搬送し得る。異なる空間レイヤは、チャネル測定および報告に使用される異なるアンテナポートに関連付けられ得る。ＭＩＭＯ技法には、複数の空間レイヤが同じ受信デバイスに送信されるシングルユーザＭＩＭＯ（ＳＵ−ＭＩＭＯ）と、複数の空間レイヤが複数のデバイスに送信されるマルチユーザＭＩＭＯ（ＭＵ−ＭＩＭＯ）とが含まれる。
【００７０】
[0082]空間フィルタリング、指向性送信、または指向性受信とも呼ばれ得るビームフォーミングは、送信デバイスと受信デバイスとの間の空間経路に沿ってアンテナビーム（例えば、送信ビームまたは受信ビーム）を成形またはステアリングするために、送信デバイスまたは受信デバイス（例えば、基地局１０５またはＵＥ１１５）において使用され得る信号処理技法である。ビームフォーミングは、アンテナアレイに対して特定の向きで伝搬する信号が建設的干渉（constructive interference）を経験し、他の信号が相殺的干渉（destructive interference）を経験するように、アンテナアレイのアンテナ素子を介して通信される信号を組み合わせることによって達成され得る。アンテナ素子を介して通信される信号の調整は、送信デバイスまたは受信デバイスが、このデバイスに関連付けられたアンテナ素子の各々を介して搬送される信号に特定の振幅および位相オフセットを適用することを含み得る。アンテナ素子の各々に関連する調整は、（例えば、送信デバイスまたは受信デバイスのアンテナアレイに対してまたは何らかの他の向きに対して）特定の向きに関連するビームフォーミング重みセットによって定義され得る。
【００７１】
[0083]一例では、基地局１０５は、ＵＥ１１５との指向性通信のためのビームフォーミング動作を行うために複数のアンテナまたはアンテナアレイを使用し得る。例えば、いくつかの信号（例えば、同期信号、基準信号、ビーム選択信号、または他の制御信号）は、基地局１０５によって異なる方向に複数回送信され得、それは、信号が、異なる送信方向に関連する異なるビームフォーミング重みセットにしたがって送信されることを含み得る。異なるビーム方向への送信は、基地局１０５による後続の送信および／または受信のためのビーム方向を（例えば、基地局１０５またはＵＥ１１５のような受信デバイスによって）識別するために使用され得る。特定の受信デバイスに関連するデータ信号のようないくつかの信号は、単一のビーム方向（例えば、ＵＥ１１５のような受信デバイスに関連する方向）に基地局１０５によって送信され得る。いくつかの例では、単一のビーム方向に沿った送信に関連するビーム方向は、異なるビーム方向に送信された信号に少なくとも部分的に基づいて決定され得る。例えば、ＵＥ１１５は、基地局１０５によって異なる方向に送信された信号のうちの１つまたは複数を受信し得、ＵＥ１１５は、最も高い信号品質で、そうでなければ許容可能な信号品質で、それが受信した信号のインジケーションを基地局１０５に報告し得る。これらの技法は、基地局１０５によって１つまたは複数の方向に送信される信号に関して説明されるが、ＵＥ１１５は、（例えば、ＵＥ１１５による後続の送信または受信のためのビーム方向を識別するために）異なる方向に複数回信号を送信するために、または（例えば、受信デバイスにデータを送信するために）単一の方向に信号を送信するために、同様の技法を用い得る。
【００７２】
[0084]受信デバイス（例えば、ｍｍＷ受信デバイスの例であり得るＵＥ１１５）は、同期信号、基準信号、ビーム選択信号、または他の制御信号のような様々な信号を基地局１０５から受信するとき、複数の受信ビームを試み得る。例えば、受信デバイスは、異なるアンテナサブアレイを介して受信することによって、異なるアンテナサブアレイにしたがって受信信号を処理することによって、アンテナアレイの複数のアンテナ素子において受信された信号に適用される異なる受信ビームフォーミング重みセットにしたがって受信することによって、またはアンテナアレイの複数のアンテナ素子において受信された信号に適用される異なる受信ビームフォーミング重みセットにしたがって受信信号を処理することによって、複数の受信方向を試み得、それらのいずれも、異なる受信ビームまたは受信方向にしたがった「リスニング」と呼ばれ得る。いくつかの例では、受信デバイスは、（例えば、データ信号を受信するとき）単一のビーム方向に沿って受信するために単一の受信ビームを使用し得る。単一の受信ビームは、異なる受信ビーム方向にしたがったリスニングに少なくとも部分的に基づいて決定されたビーム方向（例えば、複数のビーム方向にしたがったリスニングに少なくとも部分的に基づいて、最高の信号強度、最高の信号対ノイズ比、またはそうでなければ許容可能な信号品質を有すると決定されたビーム方向）にアラインされ得る。
【００７３】
[0085]いくつかのケースでは、基地局１０５またはＵＥ１１５のアンテナは、ＭＩＭＯ動作をサポートし得るか、またはビームフォーミングを送信もしくは受信し得る、１つまたは複数のアンテナアレイ内に位置し得る。例えば、１つまたは複数の基地局アンテナまたはアンテナアレイは、アンテナタワーのようなアンテナアセンブリにコロケートされ得る。いくつかのケースでは、基地局１０５に関連するアンテナまたはアンテナアレイは、様々な地理的ロケーションに位置し得る。基地局１０５は、ＵＥ１１５との通信のビームフォーミングをサポートするために基地局１０５が使用し得るアンテナポートのいくつかの行および列を有するアンテナアレイを有し得る。同様に、ＵＥ１１５は、様々なＭＩＭＯまたはビームフォーミング動作をサポートし得る１つまたは複数のアンテナアレイを有し得る。
【００７４】
[0086]いくつかのケースでは、ワイヤレス通信システム１００は、階層化プロトコルスタックにしたがって動作するパケットベースのネットワークであり得る。ユーザプレーンでは、ベアラまたはパケットデータコンバージェンスプロトコル（ＰＤＣＰ）レイヤにおける通信は、ＩＰベースであり得る。無線リンク制御（ＲＬＣ）レイヤは、いくつかのケースでは、論理チャネル上で通信するためにパケットセグメンテーションおよびリアセンブリを実行し得る。媒体アクセス制御（ＭＡＣ）レイヤは、優先度処理と、トランスポートチャネルへの論理チャネルの多重化とを実行し得る。ＭＡＣレイヤはまた、リンク効率を改善するために、ＭＡＣレイヤにおいて再送信を提供するためにハイブリッド自動再送要求（ＨＡＲＱ）を使用し得る。制御プレーンでは、無線リソース制御（ＲＲＣ）プロトコルレイヤは、ユーザプレーンデータのための無線ベアラをサポートするＵＥ１１５と基地局１０５またはコアネットワーク１３０との間のＲＲＣ接続の確立、構成、および維持を提供し得る。物理（ＰＨＹ）レイヤにおいて、トランスポートチャネルが物理チャネルにマッピングされ得る。
【００７５】
[0087]ＬＴＥまたはＮＲにおける時間インターバルは、基本時間単位の倍数で表され得、それは、例えば、Ｔｓ＝１／３０，７２０，０００秒のサンプリング期間を指し得る。通信リソースの時間インターバルは、各々が１０ミリ秒（ｍｓ）の持続時間を有する無線フレームにしたがって編成され得、ここで、フレーム期間は、Ｔｆ＝３０７，２００Ｔｓと表され得る。無線フレームは、０から１０２３までの範囲のシステムフレーム番号（ＳＦＮ）によって識別され得る。各フレームは、０から９まで番号付けされた１０個のサブフレームを含み得、各サブフレームは、１ｍｓの持続時間を有し得る。サブフレームは、各々が０．５ｍｓの持続時間を有する２つのスロットにさらに分割され得、各スロットは、（例えば、各シンボル期間にプリペンドされているサイクリックプレフィックスの長さに応じて）６または７つの変調シンボル期間を含み得る。サイクリックプレフィックスを除いて、各シンボル期間は、２０４８個のサンプリング期間を含み得る。いくつかのケースでは、サブフレームは、ワイヤレス通信システム１００の最小スケジューリング単位であり得、送信時間インターバル（ＴＴＩ）と呼ばれ得る。他のケースでは、ワイヤレス通信システム１００の最小スケジューリング単位は、サブフレームよりも短い可能性があるか、または（例えば、短縮ＴＴＩ（ｓＴＴＩ）のバーストにおいてもしくはｓＴＴＩを使用する選択されたコンポーネントキャリアにおいて）動的に選択され得る。
【００７６】
[0088]いくつかのワイヤレス通信システムでは、スロットは、１つまたは複数のシンボルを含む複数のミニスロットにさらに分割され得る。いくつかの事例では、ミニスロットのシンボルまたはミニスロットは、スケジューリングの最小単位であり得る。各シンボルは、例えば、サブキャリア間隔または動作の周波数帯域に応じて持続時間が異なり得る。さらに、いくつかのワイヤレス通信システムは、複数のスロットまたはミニスロットが一緒にアグリゲートされ、ＵＥ１１５と基地局１０５との間の通信に使用されるスロットアグリゲーションをインプリメントし得る。
【００７７】
[0089]「キャリア」という用語は、通信リンク１２５上での通信をサポートするための定義された物理レイヤ構造を有する無線周波数スペクトルリソースのセットを指す。例えば、通信リンク１２５のキャリアは、所与の無線アクセス技術のための物理レイヤチャネルにしたがって動作される無線周波数スペクトル帯域の一部分を含み得る。各物理レイヤチャネルは、ユーザデータ、制御情報、または他のシグナリングを搬送し得る。キャリアは、あらかじめ定義された周波数チャネル（例えば、Ｅ−ＵＴＲＡ絶対無線周波数チャネル番号（ＥＡＲＦＣＮ））に関連付けられ得、ＵＥ１１５による発見のためのチャネルラスタにしたがって配置され得る。キャリアは、（例えば、ＦＤＤモードでは）ダウンリンクまたはアップリンクであるか、または（例えば、ＴＤＤモードでは）ダウンリンクおよびアップリンク通信を搬送するように構成され得る。いくつかの例では、キャリア上で送信される信号波形は、（例えば、ＯＦＤＭまたはＤＦＴ−ｓ−ＯＦＤＭのようなマルチキャリア変調（ＭＣＭ）技法を使用して）複数のサブキャリアから構成され得る。
【００７８】
[0090]キャリアの組織構造は、異なる無線アクセス技術（例えば、ＬＴＥ、ＬＴＥ−Ａ、ＬＴＥ−Ａ Ｐｒｏ、ＮＲ、等）によって異なり得る。例えば、キャリア上の通信は、各々が、ユーザデータと、このーザデータを復号することをサポートするための制御情報またはシグナリングとを含み得るＴＴＩまたはスロットにしたがって編成され得る。キャリアはまた、専用捕捉シグナリング（例えば、同期信号またはシステム情報、等）と、キャリアのための動作を調整する制御シグナリングとを含み得る。（例えば、キャリアアグリゲーション構成における）いくつかの例では、キャリアはまた、他のキャリアのための動作を調整する捕捉シグナリングまたは制御シグナリングを有し得る。
【００７９】
[0091]物理チャネルは、様々な技法にしたがってキャリア上で多重化され得る。物理制御チャネルおよび物理データチャネルは、例えば、時分割多重化（ＴＤＭ）技法、周波数分割多重化（ＦＤＭ）技法、またはハイブリッドＴＤＭ−ＦＤＭ技法を使用して、ダウンリンクキャリア上で多重化され得る。いくつかの例では、物理制御チャネルにおいて送信される制御情報は、異なる制御領域間で（例えば、共通制御領域または共通探索空間と１つまたは複数のＵＥ固有制御領域またはＵＥ固有探索空間との間で）カスケード式に分散され得る。
【００８０】
[0092]キャリアは、無線周波数スペクトルの特定の帯域幅に関連付けられ得、いくつかの例では、キャリア帯域幅は、キャリアまたはワイヤレス通信システム１００の「システム帯域幅」と呼ばれ得る。例えば、キャリア帯域幅は、特定の無線アクセス技術のキャリアのためのいくつかの所定の帯域幅（例えば、１．４、３、５、１０、１５、２０、４０、または８０ＭＨｚ）のうちの１つであり得る。いくつかの例では、サービス提供される各ＵＥ１１５は、キャリア帯域幅の一部分または全体にわたって動作するために構成され得る。他の例では、いくつかのＵＥ１１５は、キャリア内のあらかじめ定義された部分または範囲（例えば、サブキャリアまたはＲＢのセット）に関連付けられた狭帯域プロトコルタイプ（例えば、狭帯域プロトコルタイプの「帯域内」展開）を使用する動作のために構成され得る。
【００８１】
[0093]ワイヤレス通信システム１００のデバイス（例えば、基地局１０５またはＵＥ１１５）は、特定のキャリア帯域幅上での通信をサポートするハードウェア構成を有し得るか、またはキャリア帯域幅のセットのうちの１つ上での通信をサポートするように構成可能であり得る。いくつかの例では、ワイヤレス通信システム１００は、１つよりも多くの異なるキャリア帯域幅に関連するキャリアを介した同時通信をサポートすることができる基地局１０５および／またはＵＥ１１５を含み得る。
【００８２】
[0094]いくつかのケースでは、ＵＥは、物理ダウンリンク制御チャネル（ＰＤＣＣＨ）および対応する物理ダウンリンク共有チャネル（ＰＤＳＣＨ）を受信し得る。ＰＤＣＣＨは、制御リソースセット（ＣＯＲＥＳＥＴ）上で送信され得、送信構成インジケーション（ＴＣＩ）状態情報を含み得る。ＵＥは、ＰＤＣＣＨ送信に使用されるＣＯＲＥＳＥＴのＴＣＩ状態がＰＤＳＣＨ送信のＴＣＩ状態と同じであると自動的に想定し得る。しかしながら、この想定は、システムの柔軟性を制限し得る。
【００８３】
[0095]本明細書で説明される技法にしたがって、基地局１０５は、ビームフォーミングパラメータの第１のセットを介してダウンリンク送信のためにダウンリンクリソースをＵＥ１１５に割り振り得、ＵＥ１１５はまた、ダウンリンク送信と同じ送信時間インターバル（ＴＴＩ）内のビームフォーミングパラメータの異なるセット（例えば、ダウンリンクビームフォーミングパラメータの第２のセット）を使用してＣＯＲＥＳＥＴ送信をモニタするように構成され得る。ＵＥ１１５および基地局１０５は、ダウンリンク送信およびＣＯＲＥＳＥＴ送信に対する優先順位を定義するルールのセットに基づいて、ビームフォーミングパラメータのどのセットをダウンリンク送信に使用すべきかを識別し得る。いくつかのケースでは、ルールのセットは、例えば、ＵＥによってモニタされるべきデフォルトビーム、およびダウンリンクビームフォーミングパラメータのどのセットが空間受信ビームフィルタリングに使用されるべきか、ダウンリンク送信がＣＯＲＥＳＥＴの周りでレートマッチングされるかどうか、基準信号送信挙動、探索空間構成、またはそれらの組合せを提供することによって、基地局１０５およびＵＥ１１５の挙動を定義し得る。
【００８４】
[0096]図２は、本開示の様々な態様による、ワイヤレス通信のためのダウンリンク送信ビーム構成技法をサポートするワイヤレス通信システム２００の一部分の例を例示する。いくつかの例では、ワイヤレス通信システム２００は、ワイヤレス通信システム１００の態様をインプリメントし得る。図２の例では、ワイヤレス通信システム２００は、図１の基地局１０５の例であり得る基地局１０５−ａを含み得る。ワイヤレス通信システム２００はまた、図１のＵＥ１１５の例であり得るＵＥ１１５−ａを含み得る。いくつかのケースでは、ワイヤレス通信システム２００は、ｍｍＷスペクトルでまたはＮＲ技術を使用して動作し得る。
【００８５】
[0097]この例では、基地局１０５−ａは、地理的カバレッジエリア２０５を有し得、ビームフォーミングされたｍｍＷ周波数を使用する高帯域接続であり得る送信ビーム２１５を介してダウンリンク送信が基地局１０５−ａから送信され得るＵＥ１１５−ａとの第１の接続２１０を確立し得る。当然ながら、他の例は、異なる周波数帯域、周波数帯域の組合せ、キャリアの組合せ、またはそれらの組合せを使用し得る。ＵＥ１１５−ａから基地局１０５−ａへのアップリンク送信は、アップリンク送信ビームを介するか、１つまたは複数の低帯域（例えば、サブ６ＧＨｚ帯域）接続を介するか、またはそれらの組合せであり得る。上で示したように、いくつかのケースでは、基地局１０５−ａは、ビームフォーミングパラメータの第１のセットを使用し得る周期的なＣＯＲＥＳＥＴ送信を構成し得る。いくつかのケースでは、例えば、ＵＥ１１５−ａが、ＣＯＲＥＳＥＴ送信と重複する（例えば、ＣＯＲＥＳＥＴ送信と同じＴＴＩ内の）ダウンリンクリソースを割り振られる場合、ＵＥ１１５−ａおよび基地局１０５−ａは、送信／受信されるべき送信の優先順位と、それらの送信に関連するビームフォーミングパラメータとを決定するために、定義されたルールのセットを使用し得る。重複するＣＯＲＥＳＥＴ送信とは異なるビームフォーミングパラメータを有し得るダウンリンク送信（例えば、ＰＳＤＣＨ送信）の例が図３に例示されている。
【００８６】
[0098]図３は、本開示の様々な態様による、ワイヤレス通信のためのダウンリンク送信ビーム構成技法をサポートするビームフォーミングパラメータ３００の例を例示する。いくつかの例では、ビームフォーミングパラメータ３００は、ワイヤレス通信システム１００または２００の態様をインプリメントするために使用され得る。図３の例では、ＤＣＩ３１５は、第１のＴＴＩ３０５（図３の例ではＴＴＩ−０）において送信され得、第２のＴＴＩ３１０（図３の例ではＴＴＩ−１）におけるＰＤＳＣＨ３２０に対する許可のための情報をＵＥ１１５に提供し得る。
【００８７】
[0099]この例では、ＰＤＳＣＨ３２０許可は、ビームフォーミングパラメータの第１のセット３３０がダウンリンクＰＤＳＣＨ３２０送信に使用されるべきであることを示し得る。しかしながら、この例では、ＣＯＲＥＳＥＴ３２５は、ＵＥ１１５が、ビームフォーミングパラメータの第１のセット３３０とは異なるビームフォーミングパラメータの第２のセット３３５を使用して、ＣＯＲＥＳＥＴ３２５のためのダウンリンク送信をモニタし得るように構成され得る。ＵＥ１１５は、ＲＲＣシグナリングまたはＤＣＩシグナリングのような半静的シグナリングを介してビームフォーミングパラメータの第２のセット３３５を受信し得る。追加的または代替的に、ＵＥ１１５は、ビームフォーミングパラメータの第２のセット３３５を動的に受信し得る。いくつかのケースでは、例えば、図３に例示されるように、ＣＯＲＥＳＥＴ３２５およびＰＤＳＣＨ３２０は、同じＴＴＩ（例えば、ＴＴＩ−１）内にあり得る。さらに、ＵＥ１１５は、どのビームフォーミングパラメータを使用すべきか（例えば、ビームフォーミングパラメータの第１のセット３３０を使用すべきかビームフォーミングパラメータの第２のセット３３５を使用すべきか）、およびどのダウンリンク送信をモニタすべきか、についての優先順位を定義するルールのセットに基づいて決定される受信ビームフォーミングパラメータ３４０を使用し得る。
【００８８】
[0100]いくつかのケースでは、スケジューリングされたＰＤＳＣＨ３２０が、ＣＯＲＥＳＥＴ３２５の空間ＱＣＬと比較して、１シンボル中に同じまたは異なる空間ＱＣＬを有するときに、競合を回避するために、当該シンボル中のデフォルトビーム（または空間受信フィルタリングパラメータ）を識別するように、優先度ルールのセットが定義され得る。いくつかのケースでは、優先度ルールはまた、レートマッチング挙動を包含し得る。そのような優先度ルールは、ＣＯＲＥＳＥＴ３２５モニタリングとＰＤＳＣＨ３２０許可との間での、ＱＣＬ想定、レートマッチング、または両方に対する優先順位を提供し得る。いくつかのケースでは、優先度ルールは、ＣＯＲＥＳＥＴ３２５タイプ（例えば、ＵＲＬＬＣまたはｅＭＢＢサービスのようなＣＯＲＥＳＥＴ３２５が構成するサービス）、ＵＥにおいてモニタされるＲＮＴＩ、ＰＤＳＣＨ３２０がＣＯＲＥＳＥＴ３２５と部分的にまたは完全に周波数分割多重化されるかどうか、またはそれらの任意の組合せの関数であり得る。優先度ルールはまた、ＵＥ能力（例えば、２つのビームを同時に受信するＵＥ１１５の能力）の関数であり得る。上で示したように、いくつかのケースでは、そのような優先度ルールは、ＵＥ１１５および基地局１０５において静的に構成され得る。他のケースでは、優先度ルール、またはいくつかの異なる構成された優先度ルールセットのうちのどれかのインジケーションは、半静的に構成され、例えば、ＲＲＣシグナリングを介してＵＥ１１５にシグナリングされ得る。
【００８９】
[0101]いくつかのケースでは、優先度ルールは、ＰＤＳＣＨ３２０ ＱＣＬに関連するＱＣＬが、ＣＯＲＥＳＥＴ３２５に関連するＱＣＬより高い優先度を有することを定め得る。追加的または代替的に、優先度ルールは、ＵＲＬＬＣ ＣＯＲＥＳＥＴモニタリングが、ＰＤＳＣＨ受信より高い優先度を有することを定義し得る。そのようなケースでは、ＣＯＲＥＳＥＴ３２５が１つまたは複数のＵＲＬＬＣ送信（または、ＰＤＳＣＨ３２０より高い優先度もしくはより高いＱｏＳを有する他の送信、ここでは、ＱｏＳの例は、レイテンシ要件、信頼性要件、等を含み得る）に関連付けられる場合、ＵＥ１１５は、ＰＤＳＣＨ３２０に対する許可を無視し、第２のビームフォーミングパラメータ３３５を使用してＣＯＲＥＳＥＴ３２５をモニタし得る。
【００９０】
[0102]上で示したように、いくつかのケースでは、ＵＥ１１５は、ダウンリンクＤＣＩ３１５および対応するＰＤＳＣＨ３２０の受信間のオフセットがしきい値３４５（ｋ０）以上である場合、サービングセルのＰＤＳＣＨ３２０の１つのＤＭＲＳポートグループのアンテナポートが、示されたＴＣＩ状態によって与えられる（１つまたは複数の）ＱＣＬタイプパラメータに関して基準信号セット中の（１つまたは複数の）基準信号と擬似コロケートされていると想定し得る。そのようなケースでは、ＰＤＳＣＨ３２０がＣＯＲＥＳＥＴと同じ優先度、またはより高い優先度に関連付けられる（かつ、ｋ０がしきい値以上である）場合、ＵＥ１１５は、ＰＤＳＣＨ３２０許可に従い、ビームフォーミングパラメータの第１のセット３３０を使用してダウンリンク送信をモニタし、モニタＣＯＲＥＳＥＴ３２５を無視し得る。いくつかのケースでは、基地局１０５は、以前ＣＯＲＥＳＥＴ３２５に関連付けられていたリソースをデータ送信に再使用し得る。いくつかのケースでは、上で示したように、優先度ルールは、ＣＯＲＥＳＥＴ３２５がＵＲＬＬＣトラフィックに関連付けられる場合、ＤＣＩ３１５中のＰＤＳＣＨ許可を無視するようにＵＥ１１５を構成し得る。そのようなケースでは、ＵＥ１１５は、ＤＣＩ３１５許可を無視し、例えば、最も低いＵＲＬＬＣ ＣＯＲＥＳＥＴ ＩＤに属するＴＣＩ状態に関連する受信ビームを使用することによって、ＵＲＬＬＣ ＣＯＲＥＳＥＴ３２５をモニタするために第２のビームフォーミングパラメータ３３５を使用し得る。
【００９１】
[0103]いくつかの他のケースでは、ＣＯＲＥＳＥＴ３２５は、ＵＥ１１５によってモニタされない。さらに他のケースでは、ＵＥ１１５は、ＣＯＲＥＳＥＴ３２５をモニタするが、ＱＣＬ想定を用い、ＰＤＳＣＨ３２０に関連する許可からのビームフォーミングパラメータの第１のセット３３０を使用してモニタし得る。いくつかのケースでは、異なる信号間のＱＣＬ想定が互いに競合するとき、それらの間に優先度ルールが確立され得る。一例では、例えば、同じ受信ビームを使用して制御およびデータを同時に受信することができないとき、またはオフセット（ｋ０）＞しきい値である場合、またはデータおよび制御リソースが同じスロット中で重複／ＦＤＭする場合、またはそれらの組合せである場合、ＵＥ１１５は、ＰＤＳＣＨ３２０を受信するためにＤＣＩ３１５からの（すなわち、データに関連する）ＱＣＬ想定を使用し得る。場合によっては、ＵＥ１１５は、制御領域においてＰＤＳＣＨ３２０に使用されるリソースと重複するＣＯＲＥＳＥＴ３２５をモニタしないであろう（すなわち、ＣＯＲＥＳＥＴ３２５は、ＰＤＳＣＨ３２０を受信するためにレートマッチングされない）。ただし、ＣＯＲＥＳＥＴ３２５が上位レイヤパラメータ（例えば、ＵＲＬＬＣ ＣＯＲＥＳＥＴ）に関連付けられるときを除く。そのようなケースでは、ＰＤＳＣＨ許可は無効とみなされ得、ＵＥ１１５は、その関連するＱＣＬを有するＣＯＲＥＳＥＴ３２５をモニタし得る。
【００９２】
[0104]いくつかのケースでは、ＴＲＰは、それら自体のＩＤをもつＣＯＲＥＳＥＴのセットを有するリンク（例えば、ＵＲＬＬＣリンク）を構成し得、ＵＥ１１５は、構成されたリンクのために、ＣＯＲＥＳＥＴの中で最も低いＩＤを選択し得る。例えば、優先度ルールは、ｋ０がしきい値未満であるとき、ＵＥ１１５が、最も低いＵＲＲＬＣ ＣＯＲＥＳＥＴ ＩＤに関連するＱＣＬを有する、ＵＲＬＬＣトラフィックに関連するＰＤＳＣＨ３２０を受信することを定め得る。
【００９３】
[0105]いくつかのケースでは、ＵＥ１１５が同じ空間フィルタを使用してＰＤＣＣＨおよびＰＤＳＣＨを同時に受信することができない場合、ユニキャストＰＤＳＣＨおよび構成されたＣＯＲＥＳＥＴが同じＯＦＤＭシンボル上で周波数分割多重化されるとき、ＱＣＬパラメータの決定のために優先順位が定義され得る。そのようなケースでは、ランダムアクセスプロシージャのＭｓｇ４を搬送するＰＤＳＣＨを受信するとき、ＵＥ１１５は、ＰＤＳＣＨのＤＭＲＳポートが、ランダムアクセスチャネル（ＲＡＣＨ）関連付けおよび送信のためにＵＥ１１５が選択したＳＳ／ＰＢＣＨブロックとＱＣＬされると想定し得る。
【００９４】
[0106]いくつかの態様では、ＵＥ１１５が同じ空間フィルタを使用してＰＤＣＣＨおよびＰＤＳＣＨの両方を同時に受信しない（または受信する能力がない）とき、優先度ルールが定義され得る。いくつかのケースでは、ＣＯＲＥＳＥＴが上位レイヤシグナリングを介してＵＲＬＬＣ ＱｏＳセットに関連付けられるとき、ＵＥ１１５は、ＣＯＲＥＳＥＴのための構成されたＴＣＩ状態に関連する擬似コロケーションパラメータを用いてＣＯＲＥＳＥＴをモニタし得る。いくつかのケースでは、ユニキャストＰＤＳＣＨが、ＣＯＲＥＳＥＴに関連する探索空間を含む同じＯＦＤＭシンボル中にＵＥ１１５によって受信されるべきであるとき、およびＣＯＲＥＳＥＴが上位レイヤシグナリングを介してＵＲＬＬＣ ＱｏＳセットに関連付けられないとき、ＰＤＳＣＨに関連する擬似コロケーションパラメータが優位となり得、ＵＥ１１５は、その関連する擬似コロケーションパラメータを用いてＰＤＳＣＨを受信し得る。そのようなケースでは、ＵＥ１１５は、ＰＤＣＣＨについてこのＣＯＲＥＳＥＴをモニタすると期待されないであろう。追加的に、ＵＥ１１５は、ＰＤＣＣＨによって搬送されるユニキャストＰＤＳＣＨを受信するために示されたＲＥにおいていずれのＰＤＣＣＨも送信されないと想定し得る。
【００９５】
[0107]いくつかのケースでは、例えば、非周期的チャネル状態情報（ＣＳＩ）基準信号（ＣＳＩ−ＲＳ）およびＰＤＳＣＨが同じＯＦＤＭシンボル中でＦＤＭされ、ＵＥ１１５が同じ空間フィルタを使用してＰＤＳＣＨおよびＣＳＩ−ＲＳの両方を同時に受信しないとき、ＵＥ１１５は、非周期的ＣＳＩ−ＲＳを受信または処理することを選ばないであろう。いくつかの例では、非周期的ＣＳＩ−ＲＳが非周期的報告とともに使用されるとき、ＣＳＩ−ＲＳオフセットは、上位レイヤパラメータAperiodicNZP-CSI-RS-TriggeringOffsetを介してリソースセットごとに構成され得る。いくつかのケースでは、ＣＳＩ−ＲＳトリガリングオフセットは、スロット中に測定され得、ＵＥ１１５は、トリガリングＤＣＩを搬送するＯＦＤＭシンボルの前の非周期的ＣＳＩ−ＲＳの送信を期待しないであろう。いくつかのケースでは、同じＯＦＤＭシンボル上にマッピングされた非周期的ＣＳＩ−ＲＳおよびＰＤＳＣＨの空間ＱＣＬ想定が異なり、ＵＥ１１５が同じ空間フィルタを使用してＰＤＳＣＨおよびＣＳＩ−ＲＳの両方を同時に受信しないとき、ＵＥ１１５は、非周期的ＣＳＩ−ＲＳを受信しないであろう。
【００９６】
[0108]図４は、本開示の様々な態様による、ワイヤレス通信のためのダウンリンク送信ビーム構成技法をサポートするビームフォーミングパラメータ４００の例を例示する。いくつかの例では、ビームフォーミングパラメータ４００は、ワイヤレス通信システム１００または２００の態様でインプリメントされ得る。図４の例では、第１のＴＴＩ４０５（例えば、図４の例ではＴＴＩ−０）におけるＤＣＩ送信４１５は、第２のＴＴＩ４１０（例えば、図４の例ではＴＴＩ−１）におけるＰＤＳＣＨ４２０許可のための情報をＵＥ１１５に提供し得る。この例では、ＰＤＳＣＨ４２０は、ＣＯＲＥＳＥＴ４２５の開始後に開始され得るため、ＣＯＲＥＳＥＴ４２５は、ＰＤＳＣＨ４２０と部分的にＦＤＭされる。
【００９７】
[0109]この例では、ＰＤＳＣＨ４２０許可は、ビームフォーミングパラメータの第１のセット４３０がダウンリンクＰＤＳＣＨ４２０送信を送信するために使用されるべきであることを示し得る。しかしながら、この例では、ＣＯＲＥＳＥＴ４２５は、ＵＥ１１５が、ビームフォーミングパラメータの第１のセット４３０とは異なるビームフォーミングパラメータの第２のセット４３５を使用してＣＯＲＥＳＥＴ４２５をモニタし得るように構成され得る。そのようなケースでは、例えば、ＣＯＲＥＳＥＴ４２５およびＰＤＳＣＨ４２０が同じＴＴＩ内にあるとき、ＵＥ１１５は、どのビームフォーミングパラメータを使用すべきかおよびどのダウンリンク送信をモニタすべきかについての優先順位を定義するルールのセットに基づいて決定される受信ビームフォーミングパラメータ４４０を使用し得る。
【００９８】
[0110]いくつかのケースでは、ＵＥ１１５がＣＯＲＥＳＥＴ４２５をモニタし得ることに基づいて、優先度ルールのセットが定義され得る。いくつかの態様では、ＵＥ１１５はまた、ＰＤＳＣＨ４２０と重複するＣＯＲＥＳＥＴ４２５の一部分がパンクチャまたはレートマッチングされると想定し得る。いくつかの態様では、そのようなルールは、ＰＤＣＣＨを受信するためのチャネル推定の複数のモードをサポートし得る。他のケースでは、ＵＥ１１５は、ＣＯＲＥＳＥＴ４２５がＰＤＳＣＨ４２０より高い優先度のサービスに関連付けられない限り、ＣＯＲＥＳＥＴ４２５を無視し得る。
【００９９】
[0111]図５は、本開示の様々な態様による、ワイヤレス通信のためのダウンリンク送信ビーム構成技法をサポートするビームフォーミングパラメータ５００の別の例を例示する。いくつかの例では、ビームフォーミングパラメータ５００は、ワイヤレス通信システム１００または２００の態様でインプリメントされ得る。図５の例では、第１のＴＴＩ５０５（図５の例ではＴＴＩ−０）におけるＤＣＩ送信５１５は、第２のＴＴＩ５１０（図５の例ではＴＴＩ−１）におけるＰＤＳＣＨ５２０許可のための情報をＵＥ１１５に提供し得る。この例では、ＤＣＩ送信５１５とＰＤＳＣＨ５２０送信との間の時間差（すなわち、ｋ０ ５４５）は、しきい値未満であり得る。
【０１００】
[0112]この例では、ＰＤＳＣＨ許可に関連する許可は、ビームフォーミングパラメータの第１のセット５３０がダウンリンクＰＤＳＣＨ５２０送信を送信するために使用されるべきであることを示し得る。さらに、いくつかのケースでは、ＣＯＲＥＳＥＴ５２５は、ＵＥ１１５が、ビームフォーミングパラメータの第１のセット５３０とは異なるビームフォーミングパラメータの第２のセット５３５を使用してＣＯＲＥＳＥＴ５２５をモニタし得るように構成され得る。そのようなケースでは、ＣＯＲＥＳＥＴ５２５およびＰＤＳＣＨ５２０が同じＴＴＩ内にあるとき、ＵＥ１１５は、どのビームフォーミングパラメータを使用すべきかおよびどのダウンリンク送信をモニタすべきかについての優先順位を定義するルールのセットに基づいて決定される受信ビームフォーミングパラメータ５４０を使用し得る。いくつかのケースでは、時間ｋ０がしきい値未満であるとき、優先度ルールは、ＵＥ１１５が、最も低いＵＲＲＬＣ ＣＯＲＥＳＥＴ ＩＤに関連するＱＣＬを有する、ＵＲＬＬＣトラフィックに関連するＰＤＳＣＨ３２０を受信することを定め得る。
【０１０１】
[0113]図６は、本開示の様々な態様による、ワイヤレス通信のためのダウンリンク送信ビーム構成技法をサポートする基準信号構成６００の例を例示する。いくつかの例では、基準信号構成６００は、ワイヤレス通信システム１００または２００の態様でインプリメントされ得る。図６の例では、ＤＣＩ６２５は、基地局１０５によって送信され得るいくつかのＤＣＩ送信６４０、６４５、６５０を含み得る。いくつかのケースでは、第１のＴＴＩ６０５（図６の例ではＴＴＩ−０）におけるＤＣＩ送信６５０は、第２のＴＴＩ６１０（図６の例ではＴＴＩ−１）におけるＰＤＳＣＨ６３０許可のための情報をＵＥ１１５に提供し得る。追加的に、非周期的ＣＳＩ−ＲＳ送信６３５は、第２のＴＴＩ６１０におけるＤＣＩ送信６４０によってトリガされ得る。
【０１０２】
[0114]いくつかのケースでは、優先順位を定義するルールのセットはまた、非周期的ＣＳＩ−ＲＳ許可ＱＣＬとＰＤＳＣＨ ＱＣＬとが不一致であり、ＡＰ ＣＳＩ−ＲＳおよびＰＤＳＣＨがＦＤＭされるとき、ＵＥ１１５が、ＡＰ ＣＳＩ−ＲＳを無視し得、ＣＳＩ−ＲＳを測定すると期待されないことを定義し得る。ゆえに、図６の例では、ＵＥ１１５は、非周期的ＣＳＩ−ＲＳトリガを無視し、ＤＣＩ送信６５０によって示されるビームフォーミングパラメータを使用してＰＤＳＣＨ６３０をモニタし得る。いくつかのケースでは、基地局１０５は、非周期的ＣＳＩ−ＲＳ送信６３５を送信することをスキップし、関連リソースをダウンリンク送信に再使用し得る。
【０１０３】
[0115]図７Ａおよび図７Ｂは、本開示の様々な態様による、ワイヤレス通信のためのダウンリンク送信ビーム構成技法をサポートする探索空間およびビームフォーミングパラメータ７００、７５０の例を例示する。いくつかの例では、探索空間およびビームフォーミングパラメータ７００、７５０は、ワイヤレス通信システム１００または２００の態様でインプリメントされ得る。図７Ａの例では、第１のＣＯＲＥＳＥＴ７１０は、第１のシンボル７０５において、ビームフォーミングパラメータの第１のセットを使用して送信され得、第２のＣＯＲＥＳＥＴ７２０は、第２のシンボル７１５において、ビームフォーミングパラメータの第２のセットを使用して送信され得る。
【０１０４】
[0116]この例では、第１のＣＯＲＥＳＥＴ７１０は、ビームフォーミングパラメータの第１のセットを使用し得るＰＤＳＣＨ７２５に対する許可を含み得る。ゆえに、このケースでは、ＵＥ１１５は、ビームフォーミングパラメータの第１のセットを使用して受信ビームを受信している間にビームフォーミングパラメータをビームフォーミングパラメータの第２のセットに切り替え、次いで、ＰＤＳＣＨ７２５を受信するために、ビームフォーミングパラメータの第１のセットに戻り得る。場合によっては、このような状況は、ＵＥ１１５が、最新の（the latest）スロット（すなわち、ＰＤＳＣＨ受信のための）中に、デフォルトで、最も低いＣＯＲＥＳＥＴ ＩＤ（ＣＯＲＥＳＥＴ０）７１０をモニタするときに、生じ（result）得る。一例では、第１のＣＯＲＥＳＥＴ７１０は、ＣＯＲＥＳＥＴ ＩＤ０に関連付けられ得、残存システム情報（ＲＭＳＩ）をモニタするために使用され得る。さらに、ＵＥ１１５は、（すなわち、デフォルトで）ＲＭＳＩビームをモニタすると期待され得る。そのようなケースでは、ＵＥ１１５はまた、第２のＣＯＲＥＳＥＴ７２０をモニタし得、これは、図７Ａに示すように、頻繁なビーム切替えを引き起こす。追加的に、ＤＭＲＳチャネル推定は、１つのシンボル（第２のシンボル７１５）をジャンプすることを伴い得、これは、このシンボルにわたってチャネルを推定する間、性能損失を招き得る。いくつかのケースでは、そのような性能損失は、ＤＭＲＳチャネル推定が最新の（the latest）シンボル中のＣＯＲＥＳＥＴに基づく場合、緩和され得る。
【０１０５】
[0117]図７Ｂの例では、このような状況は、最新の（the latest）シンボルと重複する探索空間に関連するＣＯＲＥＳＥＴの中で最も低いＣＯＲＥＳＥＴ ＩＤをモニタするようにＵＥ１１５を構成（または定義）することによって回避され得る。そのようなケースでは、ＵＥ１１５は、第１のシンボル７５５中に第１のＣＯＲＥＳＥＴ７６０をモニタし得、第２のシンボル７６５中に第２のＣＯＲＥＳＥＴ７７０をモニタし得、同じビームフォーミングパラメータを使用してＰＤＳＣＨ７７５をモニタし続け得る。ゆえに、そのようなケースでは、ＵＥ１１５は、異なる送信ビーム間の追加の切替えを回避し得る。
【０１０６】
[0118]図８は、本開示の様々な態様による、ワイヤレス通信のためのダウンリンク送信ビーム構成技法をサポートするプロセスフロー８００の例を例示する。いくつかの例では、プロセスフロー８００は、ワイヤレス通信システム１００または２００の態様でインプリメントされ得る。プロセスフロー８００は、図１〜２を参照して説明された対応するデバイスの例であり得る、基地局１０５−ｂとＵＥ１１５−ｂとを含み得る。
【０１０７】
[0119]８０５において、ＵＥ１１５−ｂおよび基地局１０５−ｂは、互いとの接続を確立し得る。いくつかのケースでは、そのような接続確立は、確立した接続確立技法にしたがって実行され得る。いくつかのケースでは、基地局１０５−ｂがいくつかの異なる方向にいくつかの送信ビームを送信し、ＵＥ１１５−ｂがこれらの送信ビームをモニタして、基地局１０５−ｂからＵＥ１１５−ｂへの送信で使用するための送信ビームを識別する、ビームスイーププロシージャ（beam sweep procedure）が行われ得る。いくつかのケースでは、１つまたは複数のビームリファインメントプロシージャ（beam refinement procedure）も実行され得る。
【０１０８】
[0120]８１０において、基地局１０５−ｂは、ＣＯＲＥＳＥＴ送信を構成し得る。上で示したように、いくつかのケースでは、基地局１０５−ｂは、ＵＥ１１５−ｂおよび他のＵＥ１１５にＤＣＩを提供するために使用され得る周期的ＣＯＲＥＳＥＴ送信を構成し得る。いくつかの例では、ＣＯＲＥＳＥＴ送信は、ＵＥ１１５−ｂにおいてＣＯＲＥＳＥＴ送信をモニタするために使用され得る、特定のビームフォーミングパラメータを用いて構成され得る。
【０１０９】
[0121]８２０において、基地局１０５−ｂは、（例えば、ＰＤＳＣＨ送信のための）ダウンリンクリソースをＵＥ１１５−ｂに割り振り得る。いくつかのケースでは、ダウンリンクリソースは、ビームフォーミングパラメータの第１のセットを用いて構成され、第１のＴＴＩ内に位置し得る。
【０１１０】
[0122]８２５において、基地局１０５−ｂは、ＵＥ１１５−ｂへの送信のためのＤＣＩを構成し得る。ＤＣＩは、８２０において割り振られたダウンリンクリソースを示すための割振りを含み得る。さらに、基地局１０５−ｂは、ＤＣＩ８３０をＵＥ１１５−ｂに送信し得、ＵＥ１１５−ｂは、ＤＣＩを受信し、ダウンリンクリソースおよび関連するビームフォーミングパラメータを決定し得る。
【０１１１】
[0123]８３５において、基地局１０５−ｂは、ダウンリンク送信に対する優先順位を決定し得る。上で示したように、いくつかのケースでは、優先順位は、優先順位を定義するルールのセットに基づいて決定され得る。いくつかのケースでは、優先順位は、同じＴＴＩ内でＵＥ１１５−ｂにＣＯＲＥＳＥＴが送信されるべきかＰＤＳＣＨが送信されるべきかを識別し得る。いくつかの例では、優先順位は、ＰＤＳＣＨおよびＣＯＲＥＳＥＴに関連する通信の優先度に基づき得る。いくつかのケースでは、ＣＯＲＥＳＥＴがより高い優先度の通信に関連付けられない限り、ＰＤＳＣＨ送信により高い優先度が与えられ得る。
【０１１２】
[0124]８４０において、基地局１０５−ｂは、ダウンリンク送信ビームを構成し得る。ダウンリンク送信ビームは、ダウンリンク送信に対する優先順位に基づいて決定されたビームフォーミングパラメータを使用して構成され得る。さらに、ダウンリンク送信ビームで送信される情報は、優先順位に基づいて決定され得る。例えば、ＰＤＳＣＨ送信がＣＯＲＥＳＥＴ送信より高い優先度を有する場合、ダウンリンク送信ビームは、ＰＤＳＣＨ送信を送信するように構成され得、ＣＯＲＥＳＥＴは送信しないであろう。いくつかのケースでは、ＣＯＲＥＳＥＴリソースは、ダウンリンクＰＤＳＣＨ送信に再使用され得る。次いで、基地局１０５−ｂは、ダウンリンク送信８５０を送信し得る。
【０１１３】
[0125]８４５において、ＵＥ１１５−ｂは、優先順位を決定し得、それは、８３５において基地局１０５−ｂで行われたのと同じ優先順位決定にしたがって実行され得る。いくつかのケースでは、８５０において、基地局１０５−ｂは、ダウンリンク送信をＵＥ１１５−ｂに送信し得る。
【０１１４】
[0126]８５５において、ＵＥ１１５−ｂは、優先順位に基づいて送信ビームをモニタし得る。上で説明されたように、いくつかのケースでは、ＵＥ１１５−ｂにおいて送信ビームをモニタするために使用されるビームフォーミングパラメータおよびモニタされる情報は、説明される様々な優先順位技法にしたがって決定され得る。
【０１１５】
[0127]図９は、本開示の態様による、ワイヤレス通信のためのダウンリンク送信ビーム構成技法をサポートするワイヤレスデバイス９０５のブロック図９００を示す。ワイヤレスデバイス９０５は、本明細書で説明されるＵＥ１１５の態様の例であり得る。ワイヤレスデバイス９０５は、受信機９１０と、ＵＥ通信マネジャ９１５と、送信機９２０とを含み得る。ワイヤレスデバイス９０５はまた、プロセッサを含み得る。これらの構成要素の各々は、（例えば、１つまたは複数のバスを介して）互いに通信状態にあり得る。
【０１１６】
[0128]受信機９１０は、パケット、ユーザデータ、または様々な情報チャネル（例えば、制御チャネル、データチャネル、およびワイヤレス通信のためのダウンリンク送信ビーム構成技法に関係する情報、等）に関連する制御情報のような情報を受信し得る。情報は、デバイスの他の構成要素に渡され得る。受信機９１０は、図１２を参照して説明されるトランシーバ１２３５の態様の例であり得る。受信機９１０は、単一のアンテナまたはアンテナのセットを利用し得る。
【０１１７】
[0129]ＵＥ通信マネジャ９１５は、図１２を参照して説明されるＵＥ通信マネジャ１２１５の態様の例であり得る。
【０１１８】
[0130]ＵＥ通信マネジャ９１５および／またはその様々なサブコンポーネントのうちの少なくともいくつかは、ハードウェア、プロセッサによって実行されるソフトウェア、ファームウェア、またはそれらの任意の組合せでインプリメントされ得る。プロセッサによって実行されるソフトウェアでインプリメントされる場合、ＵＥ通信マネジャ９１５および／またはその様々なサブコンポーネントのうちの少なくともいくつかの機能は、汎用プロセッサ、デジタルシグナルプロセッサ（ＤＳＰ）、特定用途向け集積回路（ＡＳＩＣ）、フィールドプログラマブルゲートアレイ（ＦＰＧＡ）もしくは他のプログラマブル論理デバイス、ディスクリートゲートもしくはトランジスタロジック、ディスクリートハードウェア構成要素、または本開示で説明される機能を実行するように設計されたそれらの任意の組合せによって実行され得る。
【０１１９】
[0131]ＵＥ通信マネジャ９１５および／またはその様々なサブコンポーネントのうちの少なくともいくつかは、様々な位置に物理的に配置され得、これには、機能の部分が１つまたは複数の物理デバイスによって異なる物理ロケーションでインプリメントされるように分散されることが含まれる。いくつかの例では、ＵＥ通信マネジャ９１５および／またはその様々なサブコンポーネントのうちの少なくともいくつかは、本開示の様々な態様にしたがった別個の異なる構成要素であり得る。他の例では、ＵＥ通信マネジャ９１５および／またはその様々なサブコンポーネントのうちの少なくともいくつかは、本開示の様々な態様にしたがって、Ｉ／Ｏ構成要素、トランシーバ、ネットワークサーバ、別のコンピューティングデバイス、本開示で説明された１つまたは複数の他の構成要素、またはそれらの組合せを含むがそれらに限定されない、１つまたは複数の他のハードウェア構成要素と組み合わされ得る。
【０１２０】
[0132]ＵＥ通信マネジャ９１５は、基地局１０５からダウンリンク許可を受信し、ここで、ダウンリンク許可は、第１のＴＴＩ中に基地局１０５からダウンリンク送信ビームを介してダウンリンク送信を受信するためにＵＥによって使用されるべきビームフォーミングパラメータの第１のセットを示す、ビームフォーミングパラメータの第２のセットを使用して第１のＴＴＩの少なくとも一部分中、制御リソースセットがモニタされるべきであると決定し、ダウンリンク送信および制御リソースセットに関連する優先順位を定義するルールのセットを識別し、優先順位に基づいて、ビームフォーミングパラメータの第１のセットを使用するダウンリンク送信またはビームフォーミングパラメータの第２のセットを使用する制御リソースセットのうちの少なくとも１つを受信し得る。
【０１２１】
[0133]送信機９２０は、デバイスの他の構成要素によって生成された信号を送信し得る。いくつかの例では、送信機９２０は、トランシーバモジュールにおいて受信機９１０とコロケートされ得る。例えば、送信機９２０は、図１２を参照して説明されるトランシーバ１２３５の態様の例であり得る。送信機９２０は、単一のアンテナまたはアンテナのセットを利用し得る。
【０１２２】
[0134]図１０は、本開示の態様による、ワイヤレス通信のためのダウンリンク送信ビーム構成技法をサポートするワイヤレスデバイス１００５のブロック図１０００を示す。ワイヤレスデバイス１００５は、図９を参照して説明されたように、ワイヤレスデバイス９０５またはＵＥ１１５の態様の例であり得る。ワイヤレスデバイス１００５は、受信機１０１０と、ＵＥ通信マネジャ１０１５と、送信機１０２０とを含み得る。ワイヤレスデバイス１００５はまた、プロセッサを含み得る。これらの構成要素の各々は、（例えば、１つまたは複数のバスを介して）互いに通信状態にあり得る。
【０１２３】
[0135]受信機１０１０は、パケット、ユーザデータ、または様々な情報チャネル（例えば、制御チャネル、データチャネル、およびワイヤレス通信のためのダウンリンク送信ビーム構成技法に関係する情報、等）に関連する制御情報のような情報を受信し得る。情報は、デバイスの他の構成要素に渡され得る。受信機１０１０は、図１２を参照して説明されるトランシーバ１２３５の態様の例であり得る。受信機１０１０は、単一のアンテナまたはアンテナのセットを利用し得る。
【０１２４】
[0136]ＵＥ通信マネジャ１０１５は、図１２を参照して説明されるＵＥ通信マネジャ１２１５の態様の例であり得る。ＵＥ通信マネジャ１０１５はまた、ビームフォーミング構成要素１０２５と、ＣＯＲＥＳＥＴマネジャ１０３０と、受信ビームマネジャ１０３５とを含み得る。
【０１２５】
[0137]ビームフォーミング構成要素１０２５は、基地局１０５からダウンリンク許可を受信し得、ここで、ダウンリンク許可は、第１のＴＴＩ中に基地局１０５からダウンリンク送信ビームを介してダウンリンク送信を受信するためにＵＥ１１５によって使用されるべきビームフォーミングパラメータの第１のセットを示す。いくつかのケースでは、ビームフォーミング構成要素１０２５は、１つまたは複数のＣＯＲＥＳＥＴに関連するダウンリンクビームフォーミングパラメータの第２のセット、またはＲＭＳＩのための制御リソースセットを含む送信ビームをモニタするためのビームフォーミングパラメータの第３のセット、のようなダウンリンクビームフォーミングパラメータの１つまたは複数の他のセットを受信し得る。
【０１２６】
[0138]ＣＯＲＥＳＥＴマネジャ１０３０は、ビームフォーミングパラメータの第２のセットを使用して第１のＴＴＩの少なくとも一部分中、制御リソースセットがモニタされるべきであると決定し得る。いくつかのケースでは、ＣＯＲＥＳＥＴマネジャ１０３０は、基地局１０５によって構成された２つ以上の異なる制御リソースセットを識別し得、ここで、２つ以上の異なる制御リソースセットの各々は、優先順位において異なる優先度を有する。いくつかのケースでは、２つ以上の異なる制御リソースセットのうちの第１の制御リソースセットは、ＵＲＬＬＣサービスの送信に対応し、ダウンリンク送信より高い優先度を有し得る。さらに、２つ以上の異なる制御リソースセットのうちの第２の制御リソースセットは、ダウンリンク送信より低い優先度を有するｅＭＢＢサービスの送信に対応し得る。
【０１２７】
[0139]受信ビームマネジャ１０３５は、ダウンリンク送信および制御リソースセットに関連する優先順位を定義するルールのセットを識別し、優先順位に基づいて、ビームフォーミングパラメータの第１のセットを使用するダウンリンク送信またはビームフォーミングパラメータの第２のセットを使用する制御リソースセットのうちの少なくとも１つを受信し得る。いくつかのケースでは、受信ビームマネジャ１０３５は、ビームフォーミングパラメータの第１のセットを使用してダウンリンク送信を受信し、制御リソースセットを送信するために構成されたリソースのサブセットを使用して、第１のＴＴＩ中にダウンリンク送信を受信し得る。いくつかのケースでは、ルールのセットは、ダウンリンクビームフォーミングパラメータの第１のセットまたはダウンリンクビームフォーミングパラメータの第２のセットのうちのどちらが空間受信ビームフィルタリングに使用されるべきかを定義する。いくつかのケースでは、ルールのセットは、ダウンリンク送信が制御リソースセットの周りでレートマッチングされるかどうかを定義する。いくつかのケースでは、ダウンリンク送信または制御リソースセットのうちの少なくとも１つを受信することは、制御リソースセットを送信するために構成された第１のＴＴＩ内のリソースのサブセットを識別することを含む。いくつかのケースでは、ルールのセットは、優先順位が、制御リソースセットに関連する送信のタイプ、ＵＥによってモニタされるＲＮＴＩ、ダウンリンク送信のためのダウンリンクリソースと制御リソースセットのダウンリンクリソースとの間の周波数分割多重化、複数の送信ビームを同時に受信するＵＥ１１５の能力、またはそれらの任意の組合せのうちの１つまたは複数に基づくことを定義する。いくつかのケースでは、受信ビームマネジャ１０３５は、ダウンリンクビームフォーミングパラメータの第１のセットおよびビームフォーミングパラメータの第２のセットに基づいて、第１のＴＴＩの制御リソースセットおよびダウンリンク送信に関連する優先順位を決定し得る。
【０１２８】
[0140]送信機１０２０は、デバイスの他の構成要素によって生成された信号を送信し得る。いくつかの例では、送信機１０２０は、トランシーバモジュールにおいて受信機１０１０とコロケートされ得る。例えば、送信機１０２０は、図１２を参照して説明されるトランシーバ１２３５の態様の例であり得る。送信機１０２０は、単一のアンテナまたはアンテナのセットを利用し得る。
【０１２９】
[0141]図１１は、本開示の態様による、ワイヤレス通信のためのダウンリンク送信ビーム構成技法をサポートするＵＥ通信マネジャ１１１５のブロック図１１００を示す。ＵＥ通信マネジャ１１１５は、図９、図１０、および図１２を参照して説明されるＵＥ通信マネジャ９１５、ＵＥ通信マネジャ１０１５、またはＵＥ通信マネジャ１２１５の態様の例であり得る。ＵＥ通信マネジャ１１１５は、ビームフォーミング構成要素１１２０と、ＣＯＲＥＳＥＴマネジャ１１２５と、受信ビームマネジャ１１３０と、レートマッチング構成要素１１３５と、ＱｏＳマネジャ１１４０と、基準信号マネジャ１１４５と、優先順位構成要素１１５０とを含み得る。これらのモジュールの各々は、（例えば、１つまたは複数のバスを介して）互いに直接的または間接的に通信し得る。
【０１３０】
[0142]ビームフォーミング構成要素１１２０は、基地局１０５からダウンリンク許可を受信し得、ここで、ダウンリンク許可は、第１のＴＴＩ中に基地局１０５からダウンリンク送信ビームを介してダウンリンク送信を受信するためにＵＥ１１５によって使用されるべきダウンリンクビームフォーミングパラメータの第１のセットを示す。いくつかのケースでは、ビームフォーミング構成要素１１２０は、１つまたは複数のＣＯＲＥＳＥＴに関連するダウンリンクビームフォーミングパラメータの第２のセットまたはＲＭＳＩのための制御リソースセットを含む送信ビームをモニタするためのビームフォーミングパラメータの第３のセットのようなダウンリンクビームフォーミングパラメータの１つまたは複数の他のセットを受信し得る。
【０１３１】
[0143]ＣＯＲＥＳＥＴマネジャ１１２５は、ビームフォーミングパラメータの第２のセットを使用して第１のＴＴＩの少なくとも一部分中、制御リソースセットがモニタされるべきであると決定し得る。いくつかのケースでは、ＣＯＲＥＳＥＴマネジャ１０３０は、基地局１０５によって構成された２つ以上の異なる制御リソースセットを識別し得、ここで、異なる制御リソースセットの各々は、優先順位において異なる優先度を有する。いくつかのケースでは、２つ以上の異なる制御リソースセットのうちの第１の制御リソースセットは、ＵＲＬＬＣサービスの送信に対応し、ダウンリンク送信より高い優先度を有し、２つ以上の異なる制御リソースセットのうちの第２の制御リソースセットは、ｅＭＢＢサービスの送信に対応し、ダウンリンク送信より低い優先度を有する。
【０１３２】
[0144]受信ビームマネジャ１１３０は、ダウンリンク送信および制御リソースセットに関連する優先順位を定義するルールのセットを識別し、優先順位に基づいて、ビームフォーミングパラメータの第１のセットを使用するダウンリンク送信またはビームフォーミングパラメータの第２のセットを使用する制御リソースセットのうちの少なくとも１つを受信し得る。いくつかのケースでは、受信ビームマネジャ１１３０は、ビームフォーミングパラメータの第１のセットを使用してダウンリンク送信を受信し、制御リソースセットを送信するために構成されたリソースのサブセットを使用して、第１のＴＴＩ中にダウンリンク送信を受信し得る。いくつかのケースでは、ルールのセットは、ダウンリンクビームフォーミングパラメータの第１のセットまたはダウンリンクビームフォーミングパラメータの第２のセットのうちのどちらが空間受信ビームフィルタリングに使用されるべきかを定義する。いくつかのケースでは、ルールのセットは、ダウンリンク送信が制御リソースセットの周りでレートマッチングされるかどうかを定義する。いくつかのケースでは、受信ビームマネジャ１１３０は、ダウンリンクビームフォーミングパラメータの第１のセットおよびビームフォーミングパラメータの第２のセットに基づいて、第１のＴＴＩの制御リソースセットおよびダウンリンク送信に関連する優先順位を決定し得る。
【０１３３】
[0145]いくつかのケースでは、ダウンリンク送信または制御リソースセットのうちの少なくとも１つを受信することは、制御リソースセットを送信するために構成された第１のＴＴＩ内のリソースのサブセットを識別することを含む。いくつかのケースでは、ルールのセットは、優先順位が、制御リソースセットに関連する送信のタイプ、ＵＥによってモニタされる無線ネットワーク一時識別子（ＲＮＴＩ）、ダウンリンク送信のためのダウンリンクリソースと制御リソースセットのダウンリンクリソースとの間の周波数分割多重化、複数の送信ビームを同時に受信するＵＥ１１５の能力、またはそれらの任意の組合せのうちの１つまたは複数に基づくことを定義する。いくつかのケースでは、優先順位は、ＵＥによってモニタされるＲＮＴＩに基づいて決定され得る。いくつかのケースでは、優先順位は、ダウンリンク送信のための１つまたは複数のダウンリンクリソースのうちの少なくとも１つと、同じＯＦＤＭシンボル内に存在する制御リソースセットの１つまたは複数のダウンリンクリソースのうちの少なくとも１つとで決定され得る。いくつかのケースでは、優先順位は、制御リソースセットがダウンリンク送信より高い優先度を有することを示し得る。いくつかのケースでは、ダウンリンク送信または制御リソースセットのうちの少なくとも１つを受信することは、優先順位に基づいて、ダウンリンク許可を無視することと、制御リソースセットを受信することとを含み得る。
【０１３４】
[0146]レートマッチング構成要素１１３５は、ダウンリンク送信が制御リソースセットの周りでレートマッチングされると決定されるとき、ビームフォーミングパラメータの第１のセットを使用して制御リソースセットをモニタし得る。
【０１３５】
[0147]ＱｏＳマネジャ１１４０は、送信のＱｏＳ態様を識別および管理し得る。いくつかのケースでは、優先順位は、制御リソースセットに関連するＱｏＳがダウンリンク送信より高い優先度を有することを示し、ダウンリンク送信または制御リソースセットのうちの少なくとも１つを受信することは、ダウンリンク許可を無視することと、制御リソースセットを受信することとを含む。いくつかのケースでは、制御リソースセットに関連するＱｏＳは、ＵＲＬＬＣ ＱｏＳであり、ダウンリンク送信に関連するＱｏＳは、ＵＲＬＬＣ ＱｏＳより低い優先度を有する。
【０１３６】
[0148]基準信号マネジャ１１４５は、ビームフォーミングパラメータの第３のセットを用いて第１のＴＴＩ内の非周期的ＣＳＩ−ＲＳ構成を識別し、非周期的ＣＳＩ構成を無視し、第１のＴＴＩ中にビームフォーミングパラメータの第１のセットを使用してダウンリンク送信を受信し得る。いくつかのケースでは、基準信号マネジャ１１４５は、ＲＭＳＩ制御リソースセットのための探索空間が第１のＴＴＩと重複するとき、ビームフォーミングパラメータの第３のセットを使用してダウンリンク送信をモニタし得る。
【０１３７】
[0149]優先順位構成要素１１５０は、いくつかのケースでは、ＵＥにおいて静的に定義され得るか、または無線リソース制御シグナリングを介して半静的に受信され得る、ルールのセットに基づいて優先順位を識別し得る。
【０１３８】
[0150]図１２は、本開示の態様による、ワイヤレス通信のためのダウンリンク送信ビーム構成技法をサポートするデバイス１２０５を含むシステム１２００の図を示す。デバイス１２０５は、例えば、図９および図１０を参照して上で説明されたワイヤレスデバイス９０５、ワイヤレスデバイス１００５、またはＵＥ１１５の構成要素の例であり得るか、またはそれを含み得る。デバイス１２０５は、ＵＥ通信マネジャ１２１５と、プロセッサ１２２０と、メモリ１２２５と、ソフトウェア１２３０と、トランシーバ１２３５と、アンテナ１２４０と、Ｉ／Ｏコントローラ１２４５とを含む、通信を送信および受信するための構成要素を含む双方向の音声およびデータ通信のための構成要素を含み得る。これらの構成要素は、１つまたは複数のバス（例えば、バス１２１０）を介して電子通信状態にあり得る。いくつかの例では、ＵＥ通信マネジャ１０１５は、本明細書で説明される様々な技法を実行するために、プロセッサ１２２０、メモリ１２２５、ソフトウェア１２３０、およびトランシーバ１２３５の任意の組合せで、ならびに説明される構成要素のうちの任意の他のものでインプリメントされ得る。デバイス１２０５は、１つまたは複数の基地局１０５とワイヤレスに通信し得る。
【０１３９】
[0151]プロセッサ１２２０は、インテリジェントハードウェアデバイス（例えば、汎用プロセッサ、ＤＳＰ、ＣＰＵ、マイクロコントローラ、ＡＳＩＣ、ＦＰＧＡ、プログラマブル論理デバイス、ディスクリートゲートもしくはトランジスタ論理構成要素、ディスクリートハードウェア構成要素、またはそれらの任意の組合せ）を含み得る。いくつかのケースでは、プロセッサ１２２０は、メモリコントローラを使用してメモリアレイを動作するように構成され得る。他のケースでは、メモリコントローラは、プロセッサ１２２０に統合され得る。プロセッサ１２２０は、様々な機能（例えば、ワイヤレス通信のためのダウンリンク送信ビーム構成技法をサポートする機能またはタスク）を実行するために、メモリに記憶されたコンピュータ読取可能な命令を実行するように構成され得る。
【０１４０】
[0152]メモリ１２２５は、ランダムアクセスメモリ（ＲＡＭ）および読取り専用メモリ（ＲＯＭ）を含み得る。メモリ１２２５は、実行されると、プロセッサに、本明細書で説明される様々な機能を実行させる命令を含むコンピュータ読取可能でコンピュータ実行可能なソフトウェア１２３０を記憶し得る。いくつかのケースでは、メモリ１２２５は、とりわけ、周辺構成要素またはデバイスとのインタラクションのような基本ハードウェアまたはソフトウェア動作を制御し得る基本入出力システム（ＢＩＯＳ）を含み得る。
【０１４１】
[0153]ソフトウェア１２３０は、本開示の態様をインプリメントするためのコードを含み得、これには、ワイヤレス通信のためのダウンリンク送信ビーム構成技法をサポートするためのコードが含まれる。ソフトウェア１２３０は、システムメモリまたは他のメモリのような非一時的コンピュータ読取可能な媒体に記憶され得る。いくつかのケースでは、ソフトウェア１２３０は、プロセッサによって直接実行可能ではない可能性があるが、（例えば、コンパイルされ実行されると）コンピュータに、本明細書で説明される機能を実行させ得る。
【０１４２】
[0154]トランシーバ１２３５は、上で説明されたように、１つまたは複数のアンテナ、ワイヤードリンク、またはワイヤレスリンクを介して双方向に通信し得る。例えば、トランシーバ１２３５は、ワイヤレストランシーバを表し得、別のワイヤレストランシーバと双方向に通信し得る。トランシーバ１２３５はまた、パケットを変調し、変調されたパケットを送信のためにアンテナに提供し、アンテナから受信されたパケットを復調するためのモデムを含み得る。
【０１４３】
[0155]いくつかのケースでは、ワイヤレスデバイスは、単一のアンテナ１２４０を含み得る。しかしながら、いくつかのケースでは、デバイスは、複数のワイヤレス送信を同時に送信または受信することが可能であり得る１つよりも多くのアンテナ１２４０を有し得る。
【０１４４】
[0156]Ｉ／Ｏコントローラ１２４５は、デバイス１２０５のための入力および出力信号を管理し得る。Ｉ／Ｏコントローラ１２４５はまた、デバイス１２０５に統合されていない周辺機器を管理し得る。いくつかのケースでは、Ｉ／Ｏコントローラ１２４５は、外部周辺機器への物理的接続またはポートを表し得る。いくつかのケースでは、Ｉ／Ｏコントローラ１２４５は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）のようなオペレーティングシステムまたは別の既知のオペレーティングシステムを利用し得る。他のケースでは、Ｉ／Ｏコントローラ１２４５は、モデム、キーボード、マウス、タッチスクリーン、または同様のデバイスを表すか、またはそれらとインタラクトし得る。いくつかのケースでは、Ｉ／Ｏコントローラ１２４５は、プロセッサの一部としてインプリメントされ得る。いくつかのケースでは、ユーザは、Ｉ／Ｏコントローラ１２４５を介してまたはＩ／Ｏコントローラ１２４５によって制御されるハードウェア構成要素を介して、デバイス１２０５とインタラクトし得る。
【０１４５】
[0157]図１３は、本開示の態様による、ワイヤレス通信のためのダウンリンク送信ビーム構成技法をサポートするワイヤレスデバイス１３０５のブロック図１３００を示す。ワイヤレスデバイス１３０５は、本明細書で説明された基地局１０５の態様の例であり得る。ワイヤレスデバイス１３０５は、受信機１３１０と、基地局通信マネジャ１３１５と、送信機１３２０とを含み得る。ワイヤレスデバイス１３０５はまた、プロセッサを含み得る。これらの構成要素の各々は、（例えば、１つまたは複数のバスを介して）互いに通信状態にあり得る。
【０１４６】
[0158]受信機１３１０は、パケット、ユーザデータ、または様々な情報チャネル（例えば、制御チャネル、データチャネル、およびワイヤレス通信のためのダウンリンク送信ビーム構成技法に関係する情報、等）に関連する制御情報のような情報を受信し得る。情報は、デバイスの他の構成要素に渡され得る。受信機１３１０は、図１６を参照して説明されるトランシーバ１６３５の態様の例であり得る。受信機１３１０は、単一のアンテナまたはアンテナのセットを利用し得る。
【０１４７】
[0159]基地局通信マネジャ１３１５は、図１６を参照して説明される基地局通信マネジャ１６１５の態様の例であり得る。
【０１４８】
[0160]基地局通信マネジャ１３１５および／またはその様々なサブコンポーネントのうちの少なくともいくつかは、ハードウェア、プロセッサによって実行されるソフトウェア、ファームウェア、またはそれらの任意の組合せでインプリメントされ得る。プロセッサによって実行されるソフトウェアでインプリメントされる場合、基地局通信マネジャ１３１５および／またはその様々なサブコンポーネントのうちの少なくともいくつかの機能は、汎用プロセッサ、ＤＳＰ、ＡＳＩＣ、ＦＰＧＡもしくは他のプログラマブル論理デバイス、ディスクリートゲートもしくはトランジスタロジック、ディスクリートハードウェア構成要素、または本開示で説明される機能を実行するように設計されたそれらの任意の組合せによって実行され得る。
【０１４９】
[0161]いくつかのケースでは、基地局通信マネジャ１３１５および／またはその様々なサブコンポーネントのうちの少なくともいくつかは、様々な位置に物理的に配置され得、これには、機能の部分が１つまたは複数の物理デバイスによって異なる物理ロケーションでインプリメントされるように分散されることが含まれる。いくつかの例では、基地局通信マネジャ１３１５および／またはその様々なサブコンポーネントのうちの少なくともいくつかは、本開示の様々な態様にしたがった別個の異なる構成要素であり得る。他の例では、基地局通信マネジャ１３１５および／またはその様々なサブコンポーネントのうちの少なくともいくつかは、本開示の様々な態様にしたがって、Ｉ／Ｏ構成要素、トランシーバ、ネットワークサーバ、別のコンピューティングデバイス、本開示で説明された１つまたは複数の他の構成要素、またはそれらの組合せを含むがそれらに限定されない、１つまたは複数の他のハードウェア構成要素と組み合わされ得る。
【０１５０】
[0162]基地局通信マネジャ１３１５は、ＵＥにダウンリンク許可を送信し、ここで、ダウンリンク許可は、第１のＴＴＩ中にダウンリンク送信ビームを介してダウンリンク送信を受信するためにＵＥ１１５によって使用されるべきビームフォーミングパラメータの第１のセットを示す、ビームフォーミングパラメータの第２のセットを使用して第１のＴＴＩの少なくとも一部分中に制御リソースセットが送信されるべきであると決定し、ダウンリンク送信および制御リソースセットに関連する優先順位を定義するルールのセットを識別し、優先順位に基づいて、ビームフォーミングパラメータの第１のセットを使用するダウンリンク送信またはビームフォーミングパラメータの第２のセットを使用する制御リソースセットのうちの少なくとも１つを送信し得る。
【０１５１】
[0163]送信機１３２０は、デバイスの他の構成要素によって生成された信号を送信し得る。いくつかの例では、送信機１３２０は、トランシーバモジュールにおいて受信機１３１０とコロケートされ得る。例えば、送信機１３２０は、図１６を参照して説明されるトランシーバ１６３５の態様の例であり得る。送信機１３２０は、単一のアンテナまたはアンテナのセットを利用し得る。
【０１５２】
[0164]図１４は、本開示の態様による、ワイヤレス通信のためのダウンリンク送信ビーム構成技法をサポートするワイヤレスデバイス１４０５のブロック図１４００を示す。ワイヤレスデバイス１４０５は、図１３を参照して説明されたワイヤレスデバイス１３０５または基地局１０５の態様の例であり得る。ワイヤレスデバイス１４０５は、受信機１４１０と、基地局通信マネジャ１４１５と、送信機１４２０とを含み得る。ワイヤレスデバイス１４０５はまた、プロセッサを含み得る。これらの構成要素の各々は、（例えば、１つまたは複数のバスを介して）互いに通信状態にあり得る。
【０１５３】
[0165]受信機１４１０は、パケット、ユーザデータ、または様々な情報チャネル（例えば、制御チャネル、データチャネル、およびワイヤレス通信のためのダウンリンク送信ビーム構成技法に関係する情報、等）に関連する制御情報のような情報を受信し得る。情報は、デバイスの他の構成要素に渡され得る。受信機１４１０は、図１６を参照して説明されるトランシーバ１６３５の態様の例であり得る。受信機１４１０は、単一のアンテナまたはアンテナのセットを利用し得る。
【０１５４】
[0166]基地局通信マネジャ１４１５は、図１６を参照して説明される基地局通信マネジャ１６１５の態様の例であり得る。
【０１５５】
[0167]基地局通信マネジャ１４１５はまた、ビームフォーミング構成要素１４２５と、ＣＯＲＥＳＥＴマネジャ１４３０と、優先順位構成要素１４３５と、送信ビームマネジャ１４４０とを含み得る。
【０１５６】
[0168]ビームフォーミング構成要素１４２５は、ＵＥにダウンリンク許可を送信し得、ここで、ダウンリンク許可は、第１のＴＴＩ中にダウンリンク送信ビームを介してダウンリンク送信を受信するためにＵＥ１１５によって使用されるべきビームフォーミングパラメータの第１のセットを示す。いくつかのケースでは、ビームフォーミング構成要素１４２５は、ＲＭＳＩ制御リソースセットを含む送信ビームのためにビームフォーミングパラメータの第３のセットを識別し得る。
【０１５７】
[0169]ＣＯＲＥＳＥＴマネジャ１４３０は、ビームフォーミングパラメータの第２のセットを使用して第１のＴＴＩの少なくとも一部分中に制御リソースセットが送信されるべきであると決定し得る。いくつかのケースでは、ＣＯＲＥＳＥＴマネジャ１４３０は、優先順位に基づいて、制御リソースセットの送信をスキップし得る。いくつかのケースでは、ＣＯＲＥＳＥＴマネジャ１４３０は、優先順位において異なる優先度を有する２つ以上の異なる制御リソースセットを識別し得る。いくつかのケースでは、２つ以上の異なる制御リソースセットのうちの第１の制御リソースセットは、ＵＲＬＬＣサービスの送信に対応し、ダウンリンク送信より高い優先度を有し、２つ以上の異なる制御リソースセットのうちの第２の制御リソースセットは、ｅＭＢＢサービスの送信に対応し、ダウンリンク送信より低い優先度を有する。
【０１５８】
[0170]優先順位構成要素１４３５は、ダウンリンク送信および制御リソースセットに関連する優先順位を定義するルールのセットを識別し得る。いくつかのケースでは、優先順位を定義するルールのセットは、ダウンリンクビームフォーミングパラメータの第１のセットまたはダウンリンクビームフォーミングパラメータの第２のセットのうちのどちらが空間受信ビームフィルタリングに使用されるべきかを示す。いくつかのケースでは、優先順位を定義するルールのセットは、ダウンリンク送信が制御リソースセットの周りでレートマッチングされるかどうかを示す。いくつかのケースでは、ルールのセットは、優先順位が、制御リソースセットに関連する送信のタイプ、ＵＥによってモニタされるべきＲＮＴＩ、ダウンリンク送信のためのダウンリンクリソースと制御リソースセットのリソースとの間の周波数分割多重化、複数の送信ビームを同時に受信するＵＥ１１５の能力、またはそれらの任意の組合せのうちの１つまたは複数に基づくことを定義する。いくつかのケースでは、ルールのセットは、静的に定義されるか、または無線リソース制御シグナリングを介して半静的に受信される。いくつかのケースでは、優先順位構成要素１４３５は、ダウンリンクビームフォーミングパラメータの第１のセットおよびビームフォーミングパラメータの第２のセットに基づいて、第１のＴＴＩの制御リソースセットおよびダウンリンク送信に関連する優先順位を決定し得る。
【０１５９】
[0171]送信ビームマネジャ１４４０は、制御リソースセットを送信するために構成された第１のＴＴＩ内のリソースを使用してダウンリンク送信を送信し、ＲＭＳＩ制御リソースセットのための探索空間が第１のＴＴＩと重複するとき、ビームフォーミングパラメータの第３のセットを使用してダウンリンク送信を送信し、優先順位に基づいて、ビームフォーミングパラメータの第１のセットを使用するダウンリンク送信またはビームフォーミングパラメータの第２のセットを使用する制御リソースセットのうちの少なくとも１つを送信し得る。
【０１６０】
[0172]送信機１４２０は、デバイスの他の構成要素によって生成された信号を送信し得る。いくつかの例では、送信機１４２０は、トランシーバモジュールにおいて受信機１４１０とコロケートされ得る。例えば、送信機１４２０は、図１６を参照して説明されるトランシーバ１６３５の態様の例であり得る。送信機１４２０は、単一のアンテナまたはアンテナのセットを利用し得る。
【０１６１】
[0173]図１５は、本開示の態様による、ワイヤレス通信のためのダウンリンク送信ビーム構成技法をサポートする基地局通信マネジャ１５１５のブロック図１５００を示す。基地局通信マネジャ１５１５は、図１３、図１４、および図１６を参照して説明される基地局通信マネジャ１６１５の態様の例であり得る。基地局通信マネジャ１５１５は、ビームフォーミング構成要素１５２０と、ＣＯＲＥＳＥＴマネジャ１５２５と、優先順位構成要素１５３０と、送信ビームマネジャ１５３５と、レートマッチング構成要素１５４０と、ＱｏＳマネジャ１５４５と、基準信号マネジャ１５５０とを含み得る。これらのモジュールの各々は、（例えば、１つまたは複数のバスを介して）互いに直接的または間接的に通信し得る。
【０１６２】
[0174]ビームフォーミング構成要素１５２０は、ＵＥにダウンリンク許可を送信し得、ここで、ダウンリンク許可は、第１のＴＴＩ中にダウンリンク送信ビームを介してダウンリンク送信を受信するためにＵＥ１１５によって使用されるべきビームフォーミングパラメータの第１のセットを示す。いくつかのケースでは、ビームフォーミング構成要素１５２０は、ＲＭＳＩ制御リソースセットを含む送信ビームのためにビームフォーミングパラメータの第３のセットを識別し得る。
【０１６３】
[0175]ＣＯＲＥＳＥＴマネジャ１５２５は、ビームフォーミングパラメータの第２のセットを使用して第１のＴＴＩの少なくとも一部分中に制御リソースセットが送信されるべきであると決定し得る。いくつかのケースでは、ＣＯＲＥＳＥＴマネジャ１５２５は、優先順位に基づいて、制御リソースセットの送信をスキップし得る。いくつかのケースでは、ＣＯＲＥＳＥＴマネジャ１５２５は、優先順位において異なる優先度を有する２つ以上の異なる制御リソースセットを識別し得る。いくつかのケースでは、２つ以上の異なる制御リソースセットのうちの第１の制御リソースセットは、ダウンリンク送信より高い優先度を有するＵＲＬＬＣサービスの送信に対応し、２つ以上の異なる制御リソースセットのうちの第２の制御リソースセットは、ダウンリンク送信より低い優先度を有するｅＭＢＢサービスの送信に対応する。
【０１６４】
[0176]優先順位構成要素１５３０は、ダウンリンク送信および制御リソースセットに関連する優先順位を定義するルールのセットを識別し得る。いくつかのケースでは、優先順位を定義するルールのセットは、ダウンリンクビームフォーミングパラメータの第１のセットまたはダウンリンクビームフォーミングパラメータの第２のセットのうちのどちらが空間受信ビームフィルタリングに使用されるべきかを示す。いくつかのケースでは、優先順位を定義するルールのセットは、ダウンリンク送信が制御リソースセットの周りでレートマッチングされるべきかどうかを示す。いくつかのケースでは、ルールのセットは、優先順位が、制御リソースセットに関連する送信のタイプ、ＵＥによってモニタされるべきＲＮＴＩ、ダウンリンク送信のためのダウンリンクリソースと制御リソースセットのリソースとの間の周波数分割多重化、複数の送信ビームを同時に受信するＵＥ１１５の能力、またはそれらの任意の組合せのうちの１つまたは複数に基づくことを定義する。
【０１６５】
[0177]いくつかのケースでは、ルールのセットは静的に定義される。他のケースでは、ルールのセットは、無線リソース制御シグナリングを介して半静的に受信され得る。いくつかのケースでは、優先順位構成要素１５３０は、ダウンリンクビームフォーミングパラメータの第１のセットおよびビームフォーミングパラメータの第２のセットに基づいて、第１のＴＴＩの制御リソースセットおよびダウンリンク送信に関連する優先順位を決定し得る。いくつかのケースでは、優先順位は、ＵＥによってモニタされるべきＲＮＴＩに基づいて決定され得る。いくつかのケースでは、優先順位は、ダウンリンク送信のための１つまたは複数のダウンリンクリソースのうちの少なくとも１つと、同じＯＦＤＭシンボル内に存在する制御リソースセットの１つまたは複数のダウンリンクリソースのうちの少なくとも１つとに基づいて決定され得る。いくつかのケースでは、優先順位は、制御リソースセットがダウンリンク送信より高い優先度を有することを示し得る。
【０１６６】
[0178]送信ビームマネジャ１５３５は、制御リソースセットを送信するために構成された第１のＴＴＩ内のリソースを使用してダウンリンク送信を送信し、ＲＭＳＩ制御リソースセットのための探索空間が第１のＴＴＩと重複するとき、ビームフォーミングパラメータの第３のセットを使用してダウンリンク送信を送信し、優先順位に基づいて、ビームフォーミングパラメータの第１のセットを使用するダウンリンク送信またはビームフォーミングパラメータの第２のセットを使用する制御リソースセットのうちの少なくとも１つを送信し得る。いくつかのケースでは、ダウンリンク送信または制御リソースセットのうちの少なくとも１つを送信することは、優先順位に基づいて、ダウンリンク許可の送信をスキップすることおよび／または制御リソースセットを送信することを含み得る。
【０１６７】
[0179]レートマッチング構成要素１５４０は、ダウンリンク送信が制御リソースセットの周りでレートマッチングされるとき、ビームフォーミングパラメータの第１のセットを使用して制御リソースセットを送信し得る。
【０１６８】
[0180]ＱｏＳマネジャ１５４５は、いくつかのケースでは、優先順位を定義するルールのセットを識別し、制御リソースセットに関連するＱｏＳがダウンリンク送信より高い優先度を有することを識別し得る。いくつかのケースでは、送信デバイスは、ダウンリンク送信を送信することをスキップし得、制御リソースセットだけを送信し得る。いくつかのケースでは、制御リソースセットに関連するＱｏＳは、ＵＲＬＬＣ ＱｏＳであり、ダウンリンク送信に関連するＱｏＳは、ＵＲＬＬＣ ＱｏＳより低い優先度を有する。
【０１６９】
[0181]基準信号マネジャ１５５０は、ビームフォーミングパラメータの第３のセットを用いて第１のＴＴＩ内の非周期的ＣＳＩ−ＲＳ構成を識別し、非周期的ＣＳＩ構成を無視し、第１のＴＴＩ中にビームフォーミングパラメータの第１のセットを使用してダウンリンク送信を送信し得る。
【０１７０】
[0182]図１６は、本開示の態様による、ワイヤレス通信のためのダウンリンク送信ビーム構成技法をサポートするデバイス１６０５を含むシステム１６００の図を示す。デバイス１６０５は、例えば、図１および図２を参照して上で説明された基地局１０５の構成要素の例であり得るか、またはそれを含み得る。デバイス１６０５は、基地局通信マネジャ１６１５と、プロセッサ１６２０と、メモリ１６２５と、ソフトウェア１６３０と、トランシーバ１６３５と、アンテナ１６４０と、ネットワーク通信マネジャ１６４５と、局間通信マネジャ１６５０とを含む、通信を送信および受信するための構成要素を含む双方向の音声およびデータ通信のための構成要素を含み得る。これらの構成要素は、１つまたは複数のバス（例えば、バス１６１０）を介して電子通信状態にあり得る。いくつかの例では、基地局通信マネジャ１６１５は、本明細書で説明される様々な技法を実行するために、プロセッサ１６２０、メモリ１６２５、ソフトウェア１６３０、およびトランシーバ１６３５の任意の組合せで、ならびに説明される構成要素のうちの任意の他のものでインプリメントされ得る。いくつかの例では、局間通信マネジャ１６５０は、本明細書で説明される様々な技法を実行するために、プロセッサ１６２０、メモリ１６２５、ソフトウェア１６３０、およびトランシーバ１６３５の任意の組合せで、ならびに説明される構成要素のうちの任意の他のものでインプリメントされ得る。デバイス１６０５は、１つまたは複数のＵＥ１１５とワイヤレスに通信し得る。
【０１７１】
[0183]プロセッサ１６２０は、インテリジェントハードウェアデバイス（例えば、汎用プロセッサ、ＤＳＰ、ＣＰＵ、マイクロコントローラ、ＡＳＩＣ、ＦＰＧＡ、プログラマブル論理デバイス、ディスクリートゲートもしくはトランジスタ論理構成要素、ディスクリートハードウェア構成要素、またはそれらの任意の組合せ）を含み得る。いくつかのケースでは、プロセッサ１６２０は、メモリコントローラを使用してメモリアレイを動作するように構成され得る。他のケースでは、メモリコントローラは、プロセッサ１６２０に統合され得る。プロセッサ１６２０は、様々な機能（例えば、ワイヤレス通信のためのダウンリンク送信ビーム構成技法をサポートする機能またはタスク）を実行するために、メモリに記憶されたコンピュータ読取可能な命令を実行するように構成され得る。
【０１７２】
[0184]メモリ１６２５は、ＲＡＭおよびＲＯＭを含み得る。メモリ１６２５は、実行されると、プロセッサに、本明細書で説明される様々な機能を実行させる命令を含むコンピュータ読取可能でコンピュータ実行可能なソフトウェア１６３０を記憶し得る。いくつかのケースでは、メモリ１６２５は、とりわけ、周辺構成要素またはデバイスとのインタラクションのような基本ハードウェアまたはソフトウェア動作を制御し得るＢＩＯＳを含み得る。
【０１７３】
[0185]ソフトウェア１６３０は、本開示の態様をインプリメントするためのコードを含み得、これには、ワイヤレス通信のためのダウンリンク送信ビーム構成技法をサポートするためのコードが含まれる。ソフトウェア１６３０は、システムメモリまたは他のメモリのような非一時的コンピュータ読取可能な媒体に記憶され得る。いくつかのケースでは、ソフトウェア１６３０は、プロセッサによって直接実行可能ではない可能性があるが、（例えば、コンパイルされ実行されると）コンピュータに、本明細書で説明される機能を実行させ得る。
【０１７４】
[0186]トランシーバ１６３５は、上で説明されたように、１つまたは複数のアンテナ、ワイヤードリンク、またはワイヤレスリンクを介して双方向に通信し得る。例えば、トランシーバ１６３５は、ワイヤレストランシーバを表し得、別のワイヤレストランシーバと双方向に通信し得る。トランシーバ１６３５はまた、パケットを変調し、変調されたパケットを送信のためにアンテナに提供し、アンテナから受信されたパケットを復調するためのモデムを含み得る。
【０１７５】
[0187]いくつかのケースでは、ワイヤレスデバイスは、単一のアンテナ１６４０を含み得る。しかしながら、いくつかのケースでは、デバイスは、複数のワイヤレス送信を同時に送信または受信することが可能であり得る１つよりも多くのアンテナ１６４０を有し得る。
【０１７６】
[0188]ネットワーク通信マネジャ１６４５は、（例えば、１つまたは複数のワイヤードバックホールリンクを介した）コアネットワークとの通信を管理し得る。例えば、ネットワーク通信マネジャ１６４５は、１つまたは複数のＵＥ１１５のようなクライアントデバイスのためのデータ通信の転送を管理し得る。
【０１７７】
[0189]局間通信マネジャ１６５０は、他の基地局１０５との通信を管理し得、他の基地局１０５と協働してＵＥ１１５との通信を制御するためのコントローラまたはスケジューラを含み得る。例えば、局間通信マネジャ１６５０は、ビームフォーミングまたはジョイント送信のような様々な干渉緩和技法について、ＵＥ１１５への送信のためのスケジューリングを調整し得る。いくつかの例では、局間通信マネジャ１６５０は、基地局１０５間の通信を提供するために、ロングタームエボリューション（ＬＴＥ）／ＬＴＥ−Ａ技術を展開するワイヤレス通信ネットワーク内でＸ２インターフェースを提供し得る。
【０１７８】
[0190]図１７は、本開示の態様による、ワイヤレス通信のためのダウンリンク送信ビーム構成技法のための方法１７００を例示するフローチャートを示す。方法１７００の動作は、本明細書で説明されたＵＥ１１５またはそれの構成要素によってインプリメントされ得る。例えば、方法１７００の動作は、図９〜図１２を参照して説明されたように、ＵＥ通信マネジャによって実行され得る。いくつかの例では、ＵＥ１１５は、以下で説明される機能を実行するようにデバイスの機能要素を制御するためのコードのセットを実行し得る。追加的または代替的に、ＵＥ１１５は、専用ハードウェアを使用して、以下で説明される機能の態様を実行し得る。
【０１７９】
[0191]１７０５において、ＵＥ１１５は、基地局１０５からダウンリンク許可を受信し得、ここで、ダウンリンク許可は、第１のＴＴＩ中に基地局１０５からダウンリンク送信ビームを介してダウンリンク送信を受信するためにＵＥによって使用されるべきビームフォーミングパラメータの第１のセットを示す。１７０５の動作は、本明細書で説明された方法にしたがって実行され得る。特定の例では、１７０５の動作の態様は、図９〜図１２を参照して説明されたビームフォーミング構成要素によって実行され得る。
【０１８０】
[0192]１７１０において、ＵＥ１１５は、ビームフォーミングパラメータの第１のセットおよびビームフォーミングパラメータの第２のセットに少なくとも部分的に基づいて、第１のＴＴＩの制御リソースセットおよびダウンリンク送信に関連する優先順位を決定することを決定し得る。１７１０の動作は、本明細書で説明された方法にしたがって実行され得る。特定の例では、１７１０の動作の態様は、図９〜図１２を参照して説明されたＣＯＲＥＳＥＴマネジャによって実行され得る。
【０１８１】
[0193]１７１５において、ＵＥ１１５は、優先順位に少なくとも部分的に基づいて、ビームフォーミングパラメータの第１のセットを使用するダウンリンク送信またはビームフォーミングパラメータの第２のセットを使用する制御リソースセットのうちの少なくとも１つを受信し得る。１７１５の動作は、本明細書で説明された方法にしたがって実行され得る。特定の例では、１７１５の動作の態様は、図９〜図１２を参照して説明された受信ビームマネジャによって実行され得る。
【０１８２】
[0194]図１８は、本開示の態様による、ワイヤレス通信のためのダウンリンク送信ビーム構成技法のための方法１８００を例示するフローチャートを示す。方法１８００の動作は、本明細書で説明されたＵＥ１１５またはそれの構成要素によってインプリメントされ得る。例えば、方法１８００の動作は、図９〜図１２を参照して説明されたように、ＵＥ通信マネジャによって実行され得る。いくつかの例では、ＵＥ１１５は、以下で説明される機能を実行するようにデバイスの機能要素を制御するためのコードのセットを実行し得る。追加的または代替的に、ＵＥ１１５は、専用ハードウェアを使用して、以下で説明される機能の態様を実行し得る。
【０１８３】
[0195]１８０５において、ＵＥ１１５は、基地局１０５からダウンリンク許可を受信し得、ここで、ダウンリンク許可は、第１の送信時間インターバル（ＴＴＩ）中に基地局１０５からダウンリンク送信ビームを介してダウンリンク送信を受信するためにＵＥによって使用されるべきダウンリンクビームフォーミングパラメータの第１のセットを示す。１８０５の動作は、本明細書で説明された方法にしたがって実行され得る。特定の例では、１８０５の動作の態様は、図９〜図１２を参照して説明されたビームフォーミング構成要素によって実行され得る。
【０１８４】
[0196]１８１０において、ＵＥ１１５は、ビームフォーミングパラメータの第２のセットを使用して第１のＴＴＩの少なくとも一部分中、制御リソースセットがモニタされるべきであると決定し得る。１８１０の動作は、本明細書で説明された方法にしたがって実行され得る。特定の例では、１８１０の動作の態様は、図９〜図１２を参照して説明されたＣＯＲＥＳＥＴマネジャによって実行され得る。
【０１８５】
[0197]１８１５において、ＵＥ１１５は、ダウンリンク送信および制御リソースセットに関連する優先順位を定義するルールのセットを識別し得る。１８１５の動作は、本明細書で説明された方法にしたがって実行され得る。特定の例では、１８１５の動作の態様は、図９〜図１２を参照して説明された受信ビームマネジャによって実行され得る。いくつかのケースでは、ルールのセットは、ダウンリンク送信が制御リソースセットの周りでレートマッチングされるかどうかを定義する。
【０１８６】
[0198]１８２０において、ＵＥ１１５は、ダウンリンク送信が制御リソースセットの周りでレートマッチングされると決定されるとき、ビームフォーミングパラメータの第１のセットを使用して制御リソースセットをモニタし得る。１８２０の動作は、本明細書で説明された方法にしたがって実行され得る。特定の例では、１８２０の動作の態様は、図９〜図１２を参照して説明されたレートマッチング構成要素によって実行され得る。
【０１８７】
[0199]１８２５において、ＵＥ１１５は、ビームフォーミングパラメータの第１のセットを使用してダウンリンク送信を受信し得る。１８２５の動作は、本明細書で説明された方法にしたがって実行され得る。特定の例では、１８２５の動作の態様は、図９〜図１２を参照して説明された受信ビームマネジャによって実行され得る。
【０１８８】
[0200]図１９は、本開示の態様による、ワイヤレス通信のためのダウンリンク送信ビーム構成技法のための方法１９００を例示するフローチャートを示す。方法１９００の動作は、本明細書で説明されたＵＥ１１５またはそれの構成要素によってインプリメントされ得る。例えば、方法１９００の動作は、図９〜図１２を参照して説明されたように、ＵＥ通信マネジャによって実行され得る。いくつかの例では、ＵＥ１１５は、以下で説明される機能を実行するようにデバイスの機能要素を制御するためのコードのセットを実行し得る。追加的または代替的に、ＵＥ１１５は、専用ハードウェアを使用して、以下で説明される機能の態様を実行し得る。
【０１８９】
[0201]１９０５において、ＵＥ１１５は、基地局１０５からダウンリンク許可を受信し得、ここで、ダウンリンク許可は、第１の送信時間インターバル（ＴＴＩ）中に基地局１０５からダウンリンク送信ビームを介してダウンリンク送信を受信するためにＵＥによって使用されるべきダウンリンクビームフォーミングパラメータの第１のセットを示す。１９０５の動作は、本明細書で説明された方法にしたがって実行され得る。特定の例では、１９０５の動作の態様は、図９〜図１２を参照して説明されたビームフォーミング構成要素によって実行され得る。
【０１９０】
[0202]１９１０において、ＵＥ１１５は、ビームフォーミングパラメータの第２のセットを使用して第１のＴＴＩの少なくとも一部分中、制御リソースセットがモニタされるべきであると決定し得る。１９１０の動作は、本明細書で説明された方法にしたがって実行され得る。特定の例では、１９１０の動作の態様は、図９〜図１２を参照して説明されたＣＯＲＥＳＥＴマネジャによって実行され得る。
【０１９１】
[0203]１９１５において、ＵＥ１１５は、ダウンリンク送信および制御リソースセットに関連する優先順位を定義するルールのセットを識別し得る。１９１５の動作は、本明細書で説明された方法にしたがって実行され得る。特定の例では、１９１５の動作の態様は、図９〜図１２を参照して説明された受信ビームマネジャによって実行され得る。
【０１９２】
[0204]１９２０において、ＵＥ１１５は、制御リソースセットに関連するＱｏＳがダウンリンク送信より高い優先度を有することを優先順位が示すとき、ダウンリンク許可を無視し、制御リソースセットを受信し得る。１９２０の動作は、本明細書で説明された方法にしたがって実行され得る。特定の例では、１９２０の動作の態様は、図９〜図１２を参照して説明された受信ビームマネジャによって実行され得る。
【０１９３】
[0205]図２０は、本開示の態様による、ワイヤレス通信のためのダウンリンク送信ビーム構成技法のための方法２０００を例示するフローチャートを示す。方法２０００の動作は、本明細書で説明されたＵＥ１１５またはそれの構成要素によってインプリメントされ得る。例えば、方法２０００の動作は、図９〜図１２を参照して説明されたように、ＵＥ通信マネジャによって実行され得る。いくつかの例では、ＵＥ１１５は、以下で説明される機能を実行するようにデバイスの機能要素を制御するためのコードのセットを実行し得る。追加的または代替的に、ＵＥ１１５は、専用ハードウェアを使用して、以下で説明される機能の態様を実行し得る。
【０１９４】
[0206]２００５において、ＵＥ１１５は、基地局１０５からダウンリンク許可を受信し得、ここで、ダウンリンク許可は、第１の送信時間インターバル（ＴＴＩ）中に基地局１０５からダウンリンク送信ビームを介してダウンリンク送信を受信するためにＵＥによって使用されるべきダウンリンクビームフォーミングパラメータの第１のセットを示す。２００５の動作は、本明細書で説明された方法にしたがって実行され得る。特定の例では、２００５の動作の態様は、図９〜図１２を参照して説明されたビームフォーミング構成要素によって実行され得る。
【０１９５】
[0207]２０１０において、ＵＥ１１５は、ビームフォーミングパラメータの第２のセットを使用して第１のＴＴＩの少なくとも一部分中、制御リソースセットがモニタされるべきであると決定し得る。２０１０の動作は、本明細書で説明された方法にしたがって実行され得る。特定の例では、２０１０の動作の態様は、図９〜図１２を参照して説明されたＣＯＲＥＳＥＴマネジャによって実行され得る。
【０１９６】
[0208]２０１５において、ＵＥ１１５は、ダウンリンク送信および制御リソースセットに関連する優先順位を定義するルールのセットを識別し得る。２０１５の動作は、本明細書で説明された方法にしたがって実行され得る。特定の例では、２０１５の動作の態様は、図９〜図１２を参照して説明された受信ビームマネジャによって実行され得る。
【０１９７】
[0209]２０２０において、ＵＥ１１５は、ビームフォーミングパラメータの第３のセットを用いて第１のＴＴＩ内の非周期的ＣＳＩ−ＲＳ構成を識別し得る。２０２０の動作は、本明細書で説明された方法にしたがって実行され得る。特定の例では、２０２０の動作の態様は、図９〜図１２を参照して説明された基準信号マネジャによって実行され得る。
【０１９８】
[0210]２０２５において、ＵＥ１１５は、非周期的ＣＳＩ構成を無視し得る。２０２５の動作は、本明細書で説明された方法にしたがって実行され得る。特定の例では、２０２５の動作の態様は、図９〜図１２を参照して説明された基準信号マネジャによって実行され得る。
【０１９９】
[0211]２０３０において、ＵＥ１１５は、第１のＴＴＩ中にビームフォーミングパラメータの第１のセットを使用してダウンリンク送信を受信し得る。２０３０の動作は、本明細書で説明された方法にしたがって実行され得る。特定の例では、２０３０の動作の態様は、図９〜図１２を参照して説明された基準信号マネジャによって実行され得る。
【０２００】
[0212]図２１は、本開示の態様による、ワイヤレス通信のためのダウンリンク送信ビーム構成技法のための方法２１００を例示するフローチャートを示す。方法２１００の動作は、本明細書で説明されたＵＥ１１５またはそれの構成要素によってインプリメントされ得る。例えば、方法２１００の動作は、図９〜図１２を参照して説明されたように、ＵＥ通信マネジャによって実行され得る。いくつかの例では、ＵＥ１１５は、以下で説明される機能を実行するようにデバイスの機能要素を制御するためのコードのセットを実行し得る。追加的または代替的に、ＵＥ１１５は、専用ハードウェアを使用して、以下で説明される機能の態様を実行し得る。
【０２０１】
[0213]２１０５において、ＵＥ１１５は、基地局１０５からダウンリンク許可を受信し得、ここで、ダウンリンク許可は、第１の送信時間インターバル（ＴＴＩ）中に基地局１０５からダウンリンク送信ビームを介してダウンリンク送信を受信するためにＵＥ１１５によって使用されるべきダウンリンクビームフォーミングパラメータの第１のセットを示す。２１０５の動作は、本明細書で説明された方法にしたがって実行され得る。特定の例では、２１０５の動作の態様は、図９〜図１２を参照して説明されたビームフォーミング構成要素によって実行され得る。
【０２０２】
[0214]２１１０において、ＵＥ１１５は、ビームフォーミングパラメータの第２のセットを使用して第１のＴＴＩの少なくとも一部分中、制御リソースセットがモニタされるべきであると決定し得る。２１１０の動作は、本明細書で説明された方法にしたがって実行され得る。特定の例では、２１１０の動作の態様は、図９〜図１２を参照して説明されたＣＯＲＥＳＥＴマネジャによって実行され得る。
【０２０３】
[0215]２１１５において、ＵＥ１１５は、ダウンリンク送信および制御リソースセットに関連する優先順位を定義するルールのセットを識別し得る。２１１５の動作は、本明細書で説明された方法にしたがって実行され得る。特定の例では、２１１５の動作の態様は、図９〜図１２を参照して説明された受信ビームマネジャによって実行され得る。
【０２０４】
[0216]２１２０において、ＵＥ１１５は、残存システム情報（ＲＭＳＩ）制御リソースセットを含む送信ビームをモニタするためのビームフォーミングパラメータの第３のセットを識別し得る。２１２０の動作は、本明細書で説明された方法にしたがって実行され得る。特定の例では、２１２０の動作の態様は、図９〜図１２を参照して説明されたビームフォーミング構成要素によって実行され得る。
【０２０５】
[0217]２１２５において、ＵＥ１１５は、ＲＭＳＩ制御リソースセットのための探索空間が第１のＴＴＩと重複するとき、ビームフォーミングパラメータの第３のセットを使用してダウンリンク送信をモニタし得る。２１２５の動作は、本明細書で説明された方法にしたがって実行され得る。特定の例では、２１２５の動作の態様は、図９〜図１２を参照して説明された基準信号マネジャによって実行され得る。
【０２０６】
[0218]図２２は、本開示の態様による、ワイヤレス通信のためのダウンリンク送信ビーム構成技法のための方法２２００を例示するフローチャートを示す。方法２２００の動作は、本明細書で説明された基地局１０５またはそれの構成要素によってインプリメントされ得る。例えば、方法２２００の動作は、図１３〜図１６を参照して説明された基地局通信マネジャによって実行され得る。いくつかの例では、基地局１０５は、以下で説明される機能を実行するようにデバイスの機能要素を制御するためのコードのセットを実行し得る。追加的または代替的に、基地局１０５は、専用ハードウェアを使用して、以下で説明される機能の態様を実行し得る。
【０２０７】
[0219]２２０５において、基地局１０５は、ユーザ機器（ＵＥ）にダウンリンク許可を送信し得、ここで、ダウンリンク許可は、第１の送信時間インターバル（ＴＴＩ）中にダウンリンク送信ビームを介してダウンリンク送信を受信するためにＵＥ１１５によって使用されるべきビームフォーミングパラメータの第１のセットを示す。２２０５の動作は、本明細書で説明された方法にしたがって実行され得る。特定の例では、２２０５の動作の態様は、図１３〜図１６を参照して説明されたビームフォーミング構成要素によって実行され得る。
【０２０８】
[0220]２２１０において、基地局１０５は、ビームフォーミングパラメータの第１のセットおよびビームフォーミングパラメータの第２のセットに少なくとも部分的に基づいて、第１のＴＴＩの制御リソースセットおよびダウンリンク送信に関連する優先順位を決定し得る。２２１０の動作は、本明細書で説明された方法にしたがって実行され得る。特定の例では、２２１０の動作の態様は、図１３〜図１６を参照して説明されたＣＯＲＥＳＥＴマネジャによって実行され得る。
【０２０９】
[0221]２２１５において、基地局１０５は、優先順位に少なくとも部分的に基づいて、ビームフォーミングパラメータの第１のセットを使用するダウンリンク送信またはビームフォーミングパラメータの第２のセットを使用する制御リソースセットのうちの少なくとも１つを送信し得る。２２１５の動作は、本明細書で説明された方法にしたがって実行され得る。特定の例では、２２１５の動作の態様は、図１３〜図１６を参照して説明された送信ビームマネジャによって実行され得る。
【０２１０】
[0222]図２３は、本開示の態様による、ワイヤレス通信のためのダウンリンク送信ビーム構成技法のための方法２３００を例示するフローチャートを示す。方法２３００の動作は、本明細書で説明された基地局１０５またはそれの構成要素によってインプリメントされ得る。例えば、方法２３００の動作は、図１３〜図１６を参照して説明された基地局通信マネジャによって実行され得る。いくつかの例では、基地局１０５は、以下で説明される機能を実行するようにデバイスの機能要素を制御するためのコードのセットを実行し得る。追加的または代替的に、基地局１０５は、専用ハードウェアを使用して、以下で説明される機能の態様を実行し得る。
【０２１１】
[0223]２３０５において、基地局１０５は、ＵＥ１１５にダウンリンク許可を送信し得、ここで、ダウンリンク許可は、第１の送信時間インターバル（ＴＴＩ）中にダウンリンク送信ビームを介してダウンリンク送信を受信するためにＵＥ１１５によって使用されるべきダウンリンクビームフォーミングパラメータの第１のセットを示す。２３０５の動作は、本明細書で説明された方法にしたがって実行され得る。特定の例では、２３０５の動作の態様は、図１３〜図１６を参照して説明されたビームフォーミング構成要素によって実行され得る。
【０２１２】
[0224]２３１０において、基地局１０５は、ビームフォーミングパラメータの第２のセットを使用して第１のＴＴＩの少なくとも一部分中に制御リソースセットが送信されるべきであると決定し得る。２３１０の動作は、本明細書で説明された方法にしたがって実行され得る。特定の例では、２３１０の動作の態様は、図１３〜図１６を参照して説明されたＣＯＲＥＳＥＴマネジャによって実行され得る。
【０２１３】
[0225]２３１５において、基地局１０５は、ダウンリンク送信および制御リソースセットに関連する優先順位を定義するルールのセットを識別し得る。２３１５の動作は、本明細書で説明された方法にしたがって実行され得る。特定の例では、２３１５の動作の態様は、図１３〜図１６を参照して説明された優先順位構成要素によって実行され得る。いくつかのケースでは、優先順位を定義するルールのセットは、ダウンリンク送信が制御リソースセットの周りでレートマッチングされるかどうかを示す。
【０２１４】
[0226]２３２０において、基地局１０５は、ダウンリンク送信が制御リソースセットの周りでレートマッチングされるとき、ビームフォーミングパラメータの第１のセットを使用して制御リソースセットを送信し得る。２３２０の動作は、本明細書で説明された方法にしたがって実行され得る。特定の例では、２３２０の動作の態様は、図１３〜図１６を参照して説明されたレートマッチング構成要素によって実行され得る。
【０２１５】
[0227]図２４は、本開示の態様による、ワイヤレス通信のためのダウンリンク送信ビーム構成技法のための方法２４００を例示するフローチャートを示す。方法２４００の動作は、本明細書で説明された基地局１０５またはそれの構成要素によってインプリメントされ得る。例えば、方法２４００の動作は、図１３〜図１６を参照して説明された基地局通信マネジャによって実行され得る。いくつかの例では、基地局１０５は、以下で説明される機能を実行するようにデバイスの機能要素を制御するためのコードのセットを実行し得る。追加的または代替的に、基地局１０５は、専用ハードウェアを使用して、以下で説明される機能の態様を実行し得る。
【０２１６】
[0228]２４０５において、基地局１０５は、ＵＥ１１５にダウンリンク許可を送信し得、ここで、ダウンリンク許可は、第１の送信時間インターバル（ＴＴＩ）中にダウンリンク送信ビームを介してダウンリンク送信を受信するためにＵＥ１１５によって使用されるべきダウンリンクビームフォーミングパラメータの第１のセットを示す。２４０５の動作は、本明細書で説明された方法にしたがって実行され得る。特定の例では、２４０５の動作の態様は、図１３〜図１６を参照して説明されたビームフォーミング構成要素によって実行され得る。
【０２１７】
[0229]２４１０において、基地局１０５は、ビームフォーミングパラメータの第２のセットを使用して第１のＴＴＩの少なくとも一部分中に制御リソースセットが送信されるべきであると決定し得る。２４１０の動作は、本明細書で説明された方法にしたがって実行され得る。特定の例では、２４１０の動作の態様は、図１３〜図１６を参照して説明されたＣＯＲＥＳＥＴマネジャによって実行され得る。
【０２１８】
[0230]２４１５において、基地局１０５は、ダウンリンク送信および制御リソースセットに関連する優先順位を定義するルールのセットを識別し得る。２４１５の動作は、本明細書で説明された方法にしたがって実行され得る。特定の例では、２４１５の動作の態様は、図１３〜図１６を参照して説明された優先順位構成要素によって実行され得る。
【０２１９】
[0231]２４２０において、基地局１０５は、優先順位に基づいて制御リソースセットの送信をスキップし得る。２４２０の動作は、本明細書で説明された方法にしたがって実行され得る。特定の例では、２４２０の動作の態様は、図１３〜図１６を参照して説明されたＣＯＲＥＳＥＴマネジャによって実行され得る。
【０２２０】
[0232]２４２５において、基地局１０５は、制御リソースセットを送信するために構成された第１のＴＴＩ内のリソースを使用してダウンリンク送信を送信し得る。２４２５の動作は、本明細書で説明された方法にしたがって実行され得る。特定の例では、２４２５の動作の態様は、図１３〜図１６を参照して説明された送信ビームマネジャによって実行され得る。
【０２２１】
[0233]図２５は、本開示の態様による、ワイヤレス通信のためのダウンリンク送信ビーム構成技法のための方法２５００を例示するフローチャートを示す。方法２４００の動作は、本明細書で説明された基地局１０５またはそれの構成要素によってインプリメントされ得る。例えば、方法２４００の動作は、図１３〜図１６を参照して説明された基地局通信マネジャによって実行され得る。いくつかの例では、基地局１０５は、以下で説明される機能を実行するようにデバイスの機能要素を制御するためのコードのセットを実行し得る。追加的または代替的に、基地局１０５は、専用ハードウェアを使用して、以下で説明される機能の態様を実行し得る。
【０２２２】
[0234]２５０５において、基地局１０５は、ＵＥ１１５にダウンリンク許可を送信し得、ここで、ダウンリンク許可は、第１の送信時間インターバル（ＴＴＩ）中にダウンリンク送信ビームを介してダウンリンク送信を受信するためにＵＥ１１５によって使用されるべきダウンリンクビームフォーミングパラメータの第１のセットを示す。２５０５の動作は、本明細書で説明された方法にしたがって実行され得る。特定の例では、２５０５の動作の態様は、図１３〜図１６を参照して説明されたビームフォーミング構成要素によって実行され得る。
【０２２３】
[0235]２５１０において、基地局１０５は、ビームフォーミングパラメータの第２のセットを使用して第１のＴＴＩの少なくとも一部分中に制御リソースセットが送信されるべきであると決定し得る。２５１０の動作は、本明細書で説明された方法にしたがって実行され得る。特定の例では、２５１０の動作の態様は、図１３〜図１６を参照して説明されたＣＯＲＥＳＥＴマネジャによって実行され得る。
【０２２４】
[0236]２５１５において、基地局１０５は、ダウンリンク送信および制御リソースセットに関連する優先順位を定義するルールのセットを識別し得る。２５１５の動作は、本明細書で説明された方法にしたがって実行され得る。特定の例では、２５１５の動作の態様は、図１３〜図１６を参照して説明された優先順位構成要素によって実行され得る。
【０２２５】
[0237]２５２０において、基地局１０５は、制御リソースセットに関連するＱｏＳがダウンリンク送信より高い優先度を有するとき、ダウンリンク送信をスキップし、制御リソースセットを送信し得る。２５２０の動作は、本明細書で説明された方法にしたがって実行され得る。特定の例では、２５２０の動作の態様は、図１３〜図１６を参照して説明された送信ビームマネジャによって実行され得る。
【０２２６】
[0238]図２６は、本開示の態様による、ワイヤレス通信のためのダウンリンク送信ビーム構成技法のための方法２６００を例示するフローチャートを示す。方法２６００の動作は、本明細書で説明された基地局１０５またはそれの構成要素によってインプリメントされ得る。例えば、方法２６００の動作は、図１３〜図１６を参照して説明された基地局通信マネジャによって実行され得る。いくつかの例では、基地局１０５は、以下で説明される機能を実行するようにデバイスの機能要素を制御するためのコードのセットを実行し得る。追加的または代替的に、基地局１０５は、専用ハードウェアを使用して、以下で説明される機能の態様を実行し得る。
【０２２７】
[0239]２６０５において、基地局１０５は、ＵＥ１１５にダウンリンク許可を送信し得、ここで、ダウンリンク許可は、第１の送信時間インターバル（ＴＴＩ）中にダウンリンク送信ビームを介してダウンリンク送信を受信するためにＵＥ１１５によって使用されるべきダウンリンクビームフォーミングパラメータの第１のセットを示す。２６０５の動作は、本明細書で説明された方法にしたがって実行され得る。特定の例では、２６０５の動作の態様は、図１３〜図１６を参照して説明されたビームフォーミング構成要素によって実行され得る。
【０２２８】
[0240]２６１０において、基地局１０５は、ビームフォーミングパラメータの第２のセットを使用して第１のＴＴＩの少なくとも一部分中に制御リソースセットが送信されるべきであると決定し得る。２６１０の動作は、本明細書で説明された方法にしたがって実行され得る。特定の例では、２６１０の動作の態様は、図１３〜図１６を参照して説明されたＣＯＲＥＳＥＴマネジャによって実行され得る。
【０２２９】
[0241]２６１５において、基地局１０５は、ダウンリンク送信および制御リソースセットに関連する優先順位を定義するルールのセットを識別し得る。２６１５の動作は、本明細書で説明された方法にしたがって実行され得る。特定の例では、２６１５の動作の態様は、図１３〜図１６を参照して説明された優先順位構成要素によって実行され得る。
【０２３０】
[0242]２６２０において、基地局１０５は、ビームフォーミングパラメータの第３のセットを用いて第１のＴＴＩ内の非周期的ＣＳＩ−ＲＳ構成を識別し得る。２６２０の動作は、本明細書で説明された方法にしたがって実行され得る。特定の例では、２６２０の動作の態様は、図１３〜図１６を参照して説明された基準信号マネジャによって実行され得る。
【０２３１】
[0243]２６２５において、基地局１０５は、非周期的ＣＳＩ構成を無視し得る。２６２５の動作は、本明細書で説明された方法にしたがって実行され得る。特定の例では、２６２５の動作の態様は、図１３〜図１６を参照して説明された基準信号マネジャによって実行され得る。
【０２３２】
[0244]２６３０において、基地局１０５は、第１のＴＴＩ中にビームフォーミングパラメータの第１のセットを使用してダウンリンク送信を送信し得る。２６３０の動作は、本明細書で説明された方法にしたがって実行され得る。特定の例では、２６３０の動作の態様は、図１３〜図１６を参照して説明された基準信号マネジャによって実行され得る。
【０２３３】
[0245]上で説明された方法が、可能なインプリメンテーションを説明していること、動作およびステップが並べ替えられ得るかまたは場合によっては修正され得ること、そして他のインプリメンテーションが可能であることは留意されるべきである。さらに、方法のうちの２つ以上からの態様が組み合わされ得る。
【０２３４】
[0246]本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムのような様々なワイヤレス通信システムに使用され得る。ＣＤＭＡシステムは、ＣＤＭＡ２０００、ユニバーサル地上無線アクセス（ＵＴＲＡ）、等のような無線技術をインプリメントし得る。ＣＤＭＡ２０００は、ＩＳ−２０００、ＩＳ−９５、およびＩＳ−８５６規格をカバーする。ＩＳ−２０００リリースは、一般に、ＣＤＭＡ２０００ １Ｘ、１Ｘ、等と呼ばれ得る。ＩＳ−８５６（ＴＩＡ−８５６）は、一般に、ＣＤＭＡ２０００ １ｘＥＶ−ＤＯ、高速パケットデータ（ＨＲＰＤ）、等と呼ばれる。ＵＴＲＡは、広帯域ＣＤＭＡ（ＷＣＤＭＡ（登録商標））およびＣＤＭＡの他の変形を含む。ＴＤＭＡシステムは、モバイル通信のためのグローバルシステム（ＧＳＭ（登録商標））のような無線技術をインプリメントし得る。
【０２３５】
[0247]ＯＦＤＭＡシステムは、ウルトラモバイルブロードバンド（ＵＭＢ）、発展型ＵＴＲＡ（Ｅ−ＵＴＲＡ）、電気電子技術者協会（ＩＥＥＥ）８０２．１１（Ｗｉ−Ｆｉ）、ＩＥＥＥ８０２．１６（ＷｉＭＡＸ）、ＩＥＥＥ８０２．２０、フラッシュＯＦＤＭ、等のような無線技術をインプリメントし得る。ＵＴＲＡおよびＥ−ＵＴＲＡは、ユニバーサルモバイル電気通信システム（ＵＭＴＳ）の一部である。ＬＴＥ、ＬＴＥ−Ａ、およびＬＴＥ−Ａ Ｐｒｏは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、ＬＴＥ−Ａ Ｐｒｏ、ＮＲ、およびＧＳＭは、「第３世代パートナーシッププロジェクト」（３ＧＰＰ（登録商標））という名称の団体からの文書に記載されている。ＣＤＭＡ２０００およびＵＭＢは、「第３世代パートナーシッププロジェクト２」（３ＧＰＰ２）という名称の団体からの文書に記載されている。本明細書で説明された技法は、上述のシステムおよび無線技術ならびに他のシステムおよび無線技術に使用され得る。ＬＴＥ、ＬＴＥ−Ａ、ＬＴＥ−Ａ Ｐｒｏ、またはＮＲシステムの態様が例示を目的として説明され得、説明の大部分においてＬＴＥ、ＬＴＥ−Ａ、ＬＴＥ−Ａ Ｐｒｏ、またはＮＲ用語が使用され得るが、本明細書で説明された技法は、ＬＴＥ、ＬＴＥ−Ａ、ＬＴＥ−Ａ Ｐｒｏ、またはＮＲアプリケーションを超えて適用可能である。
【０２３６】
[0248]マクロセルは一般に、比較的広い地理的エリア（例えば、半径数キロメートル）をカバーし、ネットワークプロバイダにサービス加入しているＵＥ１１５による無制限アクセスを可能にし得る。スモールセルは、マクロセルと比較して、より低い電力の基地局１０５に関連付けられ得、スモールセルは、マクロセルと同じかまたは異なる（例えば、ライセンス、アンライセンス、等）周波数帯域において動作し得る。スモールセルは、様々な例にしたがって、ピコセル、フェムトセル、およびマイクロセルを含み得る。例えば、ピコセルは、狭い地理的エリアをカバーし得、ネットワークプロバイダにサービス加入しているＵＥ１１５による無制限アクセスを可能にし得る。フェムトセルもまた、狭い地理的エリア（例えば、自宅）をカバーし得、このフェムトセルと関連があるＵＥ１１５（例えば、クローズド加入者グループ（ＣＳＧ）のＵＥ１１５、自宅の中にいるユーザのＵＥ１１５、等）による制限付きアクセスを提供し得る。マクロセルのためのｅＮＢは、マクロｅＮＢと呼ばれ得る。スモールセルのためのｅＮＢは、スモールセルｅＮＢ、ピコｅＮＢ、フェムトｅＮＢ、またはホームｅＮＢと呼ばれ得る。ｅＮＢは、１つまたは複数（例えば、２つ、３つ、４つ、等）のセルをサポートし得、１つまたは複数のコンポーネントキャリアを使用する通信をサポートもし得る。
【０２３７】
[0249]ワイヤレス通信システム１００または本明細書で説明されたシステムは、同期動作または非同期動作をサポートし得る。同期動作の場合、基地局１０５は、同様のフレームタイミングを有し得、異なる基地局１０５からの送信は、時間的におおまかにアラインされ得る。非同期動作の場合、基地局１０５は、異なるフレームタイミングを有し得、異なる基地局１０５からの送信は、時間的にアラインされないであろう。本明細書で説明された技法は、同期動作または非同期動作のどちらにも使用され得る。
【０２３８】
[0250]本明細書で説明された情報および信号は、多種多様な技術および技法のうちの任意のものを使用して表され得る。例えば、上の説明全体にわたって参照され得るデータ、命令、コマンド、情報、信号、ビット、シンボル、およびチップは、電圧、電流、電磁波、磁場または磁性粒子、光場または光粒子、またはそれらの任意の組合せによって表され得る。
【０２３９】
[0251]本明細書の開示に関連して説明された実例となる様々なブロックおよびモジュールは、汎用プロセッサ、デジタルシグナルプロセッサ（ＤＳＰ）、特定用途向け集積回路（ＡＳＩＣ）、フィールドプログラマブルゲートアレイ（ＦＰＧＡ）もしくは他のプログラマブル論理デバイス（ＰＬＤ）、ディスクリートゲートもしくはトランジスタロジック、ディスクリートハードウェア構成要素、または本明細書で説明された機能を実行するように設計されたそれらの任意の組合せでインプリメントまたは実行され得る。汎用プロセッサは、マイクロプロセッサであり得るが、代替的に、プロセッサは、任意の従来のプロセッサ、コントローラ、マイクロコントローラ、またはステートマシンであり得る。プロセッサはまた、コンピューティングデバイスの組合せ（例えば、ＤＳＰと、１つのマイクロプロセッサ、複数のマイクロプロセッサ、ＤＳＰコアに連結した１つまたは複数のマイクロプロセッサ、または任意の他のそのような構成との組合せ）としてインプリメントされ得る。
【０２４０】
[0252]本明細書で説明された機能は、ハードウェア、プロセッサによって実行されるソフトウェア、ファームウェア、またはそれらの任意の組合せでインプリメントされ得る。プロセッサによって実行されるソフトウェアでインプリメントされる場合、機能は、コンピュータ読取可能な媒体上の１つまたは複数の命令またはコードとして記憶または送信され得る。他の例およびインプリメンテーションは、本開示および添付の特許請求の範囲内である。例えば、ソフトウェアの性質により、上で説明された機能は、プロセッサによって実行されるソフトウェア、ハードウェア、ファームウェア、ハードワイヤリング、またはこれらのうちの任意のものの組合せを使用してインプリメントされ得る。特徴をインプリメントする機能はまた、様々な位置に物理的に配置され得、これには、機能の部分が異なる物理ロケーションでインプリメントされるように分散されることが含まれる。
【０２４１】
[0253]コンピュータ読取可能な媒体は、ある場所から別の場所へのコンピュータプログラムの転送を容易にする任意の媒体を含む通信媒体および非一時的コンピュータ記憶媒体の両方を含む。非一時的記憶媒体は、汎用または専用コンピュータによってアクセス可能な任意の利用可能な媒体であり得る。限定ではなく例として、非一時的コンピュータ読取可能な媒体は、ＲＡＭ、ＲＯＭ、電気的消去可能プログラマブル読取り専用メモリ（ＥＥＰＲＯＭ（登録商標））、フラッシュメモリ、コンパクトディスク（ＣＤ）ＲＯＭもしくは他の光ディスク記憶装置、磁気ディスク記憶装置もしくは他の磁気記憶デバイス、または命令もしくはデータ構造の形式で所望のプログラムコード手段を搬送もしくは記憶するために使用され得、汎用もしくは専用コンピュータまたは汎用もしくは専用プロセッサによってアクセス可能な任意の他の非一時的媒体を備え得る。また、いずれの接続も、厳密にはコンピュータ読取可能な媒体と称される。例えば、ソフトウェアが、ウェブサイト、サーバ、または他のリモートソースから、同軸ケーブル、光ファイバーケーブル、ツイストペア、デジタル加入者回線（ＤＳＬ）、または赤外線、電波、およびマイクロ波のようなワイヤレス技術を使用して送信される場合、同軸ケーブル、光ファイバーケーブル、ツイストペア、ＤＳＬ、または赤外線、電波、およびマイクロ波のようなワイヤレス技術は、媒体の定義に含まれる。本明細書で使用される場合、ディスク（disk）およびディスク（disc）は、ＣＤ、レーザーディスク（登録商標）、光ディスク、デジタル多用途ディスク（ＤＶＤ）、フロッピー（登録商標）ディスク、およびブルーレイディスクを含み、ここで、ディスク（disk）は、通常磁気的にデータを再生し、ディスク（disc）は、レーザーを用いて光学的にデータを再生する。上記の組合せも、コンピュータ読取可能な媒体の範囲内に含まれる。
【０２４２】
[0254]特許請求の範囲を含めて本明細書で使用される場合、項目のリスト（例えば、「〜のうちの少なくとも１つ（at least one of）」または「〜のうちの１つまたは複数（one or more of）」のような表現が付いている項目のリスト）で使用される「もしくは／または（or）」は、例えば、Ａ、Ｂ、またはＣのうちの少なくとも１つのリストが、ＡまたはＢまたはＣまたはＡＢまたはＡＣまたはＢＣまたはＡＢＣ（すなわち、ＡおよびＢおよびＣ）を意味するような包括的なリストを示す。また、本明細書で使用される場合、「〜に基づく（based on）」という表現は、条件の閉じたセットへの参照として解釈されるべきではない。例えば、「条件Ａに基づく」と記載されている例示的なステップは、本開示の範囲から逸脱することなく、条件Ａおよび条件Ｂの両方に基づき得る。換言すると、本明細書で使用される場合、「〜に基づく」という表現は、「〜に少なくとも部分的に基づく（based at least in part on）」という表現と同じように解釈されるものとする。
【０２４３】
[0255]添付の図では、同様の構成要素または特徴は、同じ参照ラベルを有し得る。さらに、同じタイプの様々な構成要素は、参照ラベルの後に、ダッシュと、同様の構成要素を区別する第２のラベルとが続くことによって区別され得る。第１の参照ラベルだけが本明細書で使用される場合、説明は、第２の参照ラベルまたは他の後続の参照ラベルにかかわらず、同じ第１の参照ラベルを有する同様の構成要素のどれに対しても適用可能である。
【０２４４】
[0256]添付の図面に関連して本明細書で示された説明は、例となる構成を説明しおり、インプリメントされ得るまたは特許請求の範囲の範囲内にあるすべての例を表すわけではない。本明細書で使用される場合、「例示的（exemplary）」という用語は、「例、事例、または例示としての役割を果たす」ことを意味し、「好ましい」または「他の例よりも有利である」ことを意味しない。詳細な説明は、説明された技法の理解を提供することを目的として特定の詳細を含む。しかしながら、これらの技法は、これらの特定の詳細なしに実施され得る。いくつかの事例では、周知の構造およびデバイスは、説明された例の概念を曖昧にしないために、ブロック図の形式で示される。
【０２４５】
[0257]本明細書の説明は、当業者による本開示の作成または使用を可能にするために提供される。本開示に対する様々な修正は、当業者には容易に明らかであり、本明細書で定義された包括的な原理は、本開示の範囲から逸脱することなく他の変形に適用され得る。ゆえに、本開示は、本明細書で説明された例および設計に制限されるのではなく、本明細書で開示された原理および新規の特徴と一致する最も広い範囲が与えられるべきである。
【図１】
2021514146.tif 000003
【図２】
2021514146.tif 000004
【図３】
2021514146.tif 000005
【図４】
2021514146.tif 000006
【図５】
2021514146.tif 000007
【図６】
2021514146.tif 000008
【図７Ａ】
2021514146.tif 000009
【図７Ｂ】
2021514146.tif 000010
【図８】
2021514146.tif 000011
【図９】
2021514146.tif 000012
【図１０】
2021514146.tif 000013
【図１１】
2021514146.tif 000014
【図１２】
2021514146.tif 000015
【図１３】
2021514146.tif 000016
【図１４】
2021514146.tif 000017
【図１５】
2021514146.tif 000018
【図１６】
2021514146.tif 000019
【図１７】
2021514146.tif 000020
【図１８】
2021514146.tif 000021
【図１９】
2021514146.tif 000022
【図２０】
2021514146.tif 000023
【図２１】
2021514146.tif 000024
【図２２】
2021514146.tif 000025
【図２３】
2021514146.tif 000026
【図２４】
2021514146.tif 000027
【図２５】
2021514146.tif 000028
【図２６】
2021514146.tif 000029
【国際調査報告】
2021514146.tif 000030
2021514146.tif 000031